(57)【要約】  溶融塩原子炉は、溶融燃料塩によって燃料を供給される核分裂反応を維持する原子炉心を備える。溶融燃料塩制御システムは、ある量の上記溶融燃料塩を上記原子炉心から除去して、反応度のパラメータを、ノミナルの反応度の範囲内に保つ。上記溶融燃料塩制御システムは溶融燃料塩交換システムを有しており、上記溶融燃料塩交換システムは、上記原子炉心と流体的に接続されており、ある量の上記溶融燃料塩を、選択された親物質と担体塩の混合物を含むある量の供給物質と交換する。上記溶融燃料塩制御システムは体積押しのけ制御システムを有しうる。上記体積押しのけ制御システムは、上記原子炉心に挿入可能な一つまたは複数の体積押しのけ本体を有する。各体積押しのけ本体は、上記原子炉心から、ある量の溶融燃料塩を、例えば溢出システムを介して除去しうる。
2018506047.tif 000002
【特許請求の範囲】
【請求項１】
溶融燃料塩によって燃料を供給される核分裂反応を含むよう構成された原子炉心と、
上記原子炉心に接続された溶融燃料塩制御システムであって、選択された体積の上記溶融燃料塩を上記原子炉心から除去して、溶融塩原子炉の反応度を示すパラメータを、ノミナルの反応度の選択された範囲内に保つよう構成された溶融燃料塩制御システムと、を備える、溶融塩原子炉。
【請求項２】
上記溶融燃料塩制御システムは溶融燃料塩交換システムを有しており、上記溶融燃料塩交換システムは、上記原子炉心と流体的に接続されており、選択された体積の上記溶融燃料塩を、選択された親物質と担体塩との混合物を含む選択された体積の供給物質と交換するよう構成されている、請求項１に記載の溶融塩原子炉。
【請求項３】
上記溶融燃料塩交換システムは、上記供給物質を上記原子炉心内に送る供給燃料補給ユニットを有している、請求項２に記載の溶融塩原子炉。
【請求項４】
上記溶融燃料塩交換システムは、選択された体積の上記供給物質を上記原子炉心内に送る供給燃料補給ユニットを有している、請求項２に記載の溶融塩原子炉。
【請求項５】
上記溶融燃料塩交換システムは、選択された組成の上記供給物質を上記原子炉心内に送る供給燃料補給ユニットを有している、請求項２に記載の溶融塩原子炉。
【請求項６】
上記溶融燃料塩交換システムは、上記選択された体積の上記溶融燃料塩を使用済燃料として原子炉心から運ぶ使用済燃料運搬ユニットを有している、請求項２に記載の溶融塩原子炉。
【請求項７】
上記溶融燃料塩交換システムは、上記選択された体積の上記溶融燃料塩を上記原子炉心から移すのと、上記供給物質を上記原子炉心へ移すのを同時に行う、請求項２に記載の溶融塩原子炉。
【請求項８】
上記溶融燃料塩交換システムは、上記原子炉心内で、上記供給物質を上記選択された体積の上記溶融燃料塩と交換することにより、上記核分裂反応の反応度を制御する、請求項２に記載の溶融塩原子炉。
【請求項９】
上記溶融燃料塩交換システムは、上記原子炉心内で、上記供給物質を上記選択された体積の上記溶融燃料塩と交換することにより、上記核分裂反応における上記溶融燃料塩の組成を制御する、請求項２に記載の溶融塩原子炉。
【請求項１０】
上記溶融塩原子炉は高速スペクトル核分裂原子炉であり、上記溶融燃料塩は塩化物を含む、請求項２に記載の溶融塩原子炉。
【請求項１１】
上記溶融燃料塩交換システムは、上記原子炉心内で、上記供給物質を上記選択された体積の上記溶融燃料塩と交換することにより、上記スペクトル核分裂反応におけるＵＣｌ３−ＵＣｌ４−ＮａＣｌの組成を制御する、請求項１０に記載の溶融塩原子炉。
【請求項１２】
上記溶融燃料塩交換システムは、選択された体積の上記溶融燃料塩を、選択された体積の上記供給物質と繰り返し交換して、上記溶融塩原子炉の反応度を示す上記パラメータを、ノミナルの反応度の選択された範囲内に長期にわたって保つよう構成されている、請求項２に記載の溶融塩原子炉。
【請求項１３】
上記原子炉心に近接して配置された反応度パラメータセンサであって、上記原子炉心の反応度を示す一つまたは複数のパラメータをモニタするよう構成された核パラメータセンサと、
上記反応度パラメータセンサと通信可能に接続されて、上記原子炉心の反応度を示す上記一つまたは複数のパラメータを受け取るコントローラであって、上記選択された体積の上記溶融燃料塩と、選択された親物質と担体塩の混合物を含む上記選択された体積の供給物質との交換を、上記一つまたは複数のパラメータに基づいて制御するよう構成されたコントローラと、をさらに備える、請求項２に記載の溶融塩原子炉。
【請求項１４】
上記溶融燃料塩制御システムは体積押しのけ制御システムをさらに有し、上記体積押しのけ制御システムは、上記原子炉心に挿入可能な一つまたは複数の体積押しのけアセンブリを有し、各体積押しのけアセンブリは、上記原子炉心に挿入されると、上記原子炉心から、選択された体積の溶融燃料塩を体積的に押しのけるよう構成されている、請求項２に記載の溶融塩原子炉。
【請求項１５】
上記溶融燃料塩制御システムは体積押しのけ制御システムをさらに有し、上記体積押しのけ制御システムは、上記原子炉心に挿入可能な一つまたは複数の体積押しのけ本体を有し、各体積押しのけ本体は、上記原子炉心に挿入されると、上記原子炉心から、選択された体積の溶融燃料塩を体積的に押しのけるよう構成されている、請求項１に記載の溶融塩原子炉。
【請求項１６】
上記溶融燃料塩制御システムは体積押しのけ制御システムをさらに有し、上記体積押しのけ制御システムは、上記原子炉心に挿入可能な一つまたは複数の体積押しのけ本体を有し、各体積押しのけ本体は、上記原子炉心に挿入されると、上記原子炉心から、選択された体積の溶融燃料塩を体積的に押しのけるよう構成され、上記体積押しのけ制御システムは、溶融燃料塩溢出システムをさらに有し、上記溶融燃料塩溢出システムは、上記体積押しのけ本体によって上記原子炉心の許容充填水平面より上に押しのけられた溶融燃料塩を運ぶよう構成されている、請求項１に記載の溶融塩原子炉。
【請求項１７】
上記溶融燃料塩制御システムは体積押しのけ制御システムをさらに有し、上記体積押しのけ制御システムは、上記原子炉心に挿入可能な一つまたは複数の体積押しのけ本体を有し、各体積押しのけ本体は、上記原子炉心に挿入されると、上記原子炉心から、選択された体積の溶融燃料塩を体積的に押しのけるよう構成され、上記体積押しのけ制御システムは複数の挿入深度で上記原子炉心に挿入されることで、上記溶融塩原子炉の反応度を示す上記パラメータを、ノミナルの反応度の選択された範囲内に長期にわたって保つことができる、請求項１に記載の溶融塩原子炉。
【請求項１８】
原子炉心内で溶融燃料塩によって燃料を供給される核分裂反応を維持する工程と、
溶融塩原子炉の反応度を示すパラメータをノミナルの反応度の選択された範囲内に保つように、選択された体積の上記溶融燃料塩を上記原子炉心から除去する工程と、を含む、方法。
【請求項１９】
上記選択された体積の上記溶融燃料塩を、選択された親物質と担体塩の混合物を含む選択された体積の供給物質と交換する工程をさらに含む、請求項１８に記載の方法。
【請求項２０】
上記交換する工程は、上記供給物質を上記原子炉心内に運ぶ工程を含む、請求項１９に記載の方法。
【請求項２１】
上記交換する工程は、選択された体積の上記供給物質を上記原子炉心内に運ぶ工程を含む、請求項１９に記載の方法。
【請求項２２】
上記交換する工程は、選択された組成の上記供給物質を上記原子炉心内に運ぶ工程を含む、請求項１９に記載の方法。
【請求項２３】
上記交換する工程は、上記選択された体積の上記供給物質に基づいて、上記原子炉心の上記反応度を制御する工程を含む、請求項１９に記載の方法。
【請求項２４】
上記交換する工程は、上記選択された組成の上記供給物質に基づいて、上記原子炉心内で上記核分裂反応に燃料を供給する上記溶融燃料塩の組成を制御する工程を含む、請求項１９に記載の方法。
【請求項２５】
上記交換する工程は、上記選択された組成の上記供給物質に基づいて、上記原子炉心内で上記核分裂反応に燃料を供給するＵＣｌ３−ＵＣｌ４−ＮａＣｌの組成を制御する工程を含む、請求項１９に記載の方法。
【請求項２６】
上記溶融燃料塩の交換条件が満たされたことをモニタする工程と、
上記選択された体積の上記溶融燃料塩と、選択された親物質と担体塩の混合物を含む上記選択された体積の供給物質との交換を、上記交換条件が満たされたことに応じて制御する工程と、をさらに含む、請求項１９に記載の方法。
【請求項２７】
上記原子炉心の反応度を示す一つまたは複数の反応度パラメータをモニタする工程と、
上記選択された体積の上記溶融燃料塩と、選択された親物質と担体塩の混合物を含む上記選択された体積の供給物質との交換を、上記一つまたは複数の反応度パラメータに基づいて制御する工程と、をさらに含む、請求項１９に記載の方法。
【請求項２８】
上記原子炉心の上記溶融燃料塩の組成を示す一つまたは複数の組成パラメータをモニタする工程と、
上記選択された体積の上記溶融燃料塩と、選択された親物質と担体塩の混合物を含む上記選択された体積の供給物質との交換を、上記一つまたは複数の組成パラメータに基づいて制御する工程と、をさらに含む、請求項１９に記載の方法。
【請求項２９】
上記除去する工程は、一つまたは複数の体積押しのけ本体を上記原子炉心内の溶融燃料塩に挿入することで上記選択された体積の溶融燃料塩を上記原子炉心から体積的に押しのける工程を含む、請求項１８に記載の方法。
【請求項３０】
上記除去する工程は、上記体積的に押しのけられた体積の溶融燃料塩が上記体積押しのけ本体によって上記原子炉心の許容充填水平面より上に押しのけられたとき、上記体積的に押しのけられた体積の溶融燃料塩を、上記原子炉心から、溶融燃料塩溢出システムを介して運ぶ工程を含む、請求項２９に記載の方法。
【請求項３１】
各体積押しのけ本体は、上記原子炉心に挿入されると、上記原子炉心から、選択された体積の溶融燃料塩を体積的に押しのけるよう構成され、上記体積押しのけ制御システムは複数の挿入深度で上記原子炉心に挿入されることで、上記溶融塩原子炉の反応度を示す上記パラメータを、ノミナルの反応度の選択された範囲内に長期にわたって保つことができる、請求項２９に記載の方法。
【請求項３２】
溶融燃料塩によって燃料を供給される核分裂反応を維持するよう構成された原子炉心と、
選択された体積の上記溶融燃料塩を、選択された親物質と担体塩の混合物を含む選択された体積の供給物質と交換する手段と、を備える、溶融塩原子炉。
【請求項３３】
溶融燃料塩によって燃料を供給される核分裂反応を維持するよう構成された原子炉心と、
選択された体積の上記溶融燃料塩を上記原子炉心から除去して、溶融塩原子炉の反応度を示すパラメータを、ノミナルの反応度の選択された範囲内に保つ手段と、を備える、溶融塩原子炉。
【発明の詳細な説明】
【発明の詳細な説明】
【０００１】
〔関連出願の相互参照〕
本出願は、２０１４年１２月３１日に出願されたＵＳ仮特許出願番号62/098,984「溶融塩原子炉およびその制御方法」、および２０１５年９月３０日に出願されたＵＳ仮特許出願番号62/234,889「溶融塩化物高速原子炉および燃料」に基づいて優先権主張するものであり、両出願が開示および教示する内容すべてが、本明細書に具体的に含まれる。
【０００２】
本出願はまた、２０１４年１２月２９日に出願されたＵＳ仮特許出願番号62/097,235「目標設定結合分離（Targetry Coupled Separations）」に基づいて優先権主張するものであり、同出願が開示および教示する内容すべてが、本明細書に具体的に含まれる。
【０００３】
本出願はまた、２０１５年１２月２８日に出願されたＵＳ特許出願番号14/981,512「溶融核燃料塩および関連するシステムおよび方法」に関連するものであり、同出願が開示および教示する内容すべてが、本明細書に具体的に含まれる。
【０００４】
〔技術分野〕
本発明は概して、核分裂原子炉に関する。
【０００５】
〔背景技術〕
溶融塩原子炉（ＭＳＲ）は核分裂原子炉の一種であり、その中において、燃料および冷却材が、ウランまたは他の核分裂可能な元素のような固体または溶解核燃料を含む溶融塩混合物の状態にある。ＭＳＲの一種に、溶融塩化物高速原子炉（ＭＣＦＲ）があり、塩化物ベースの燃料塩混合物を用いている。塩化物ベースの燃料塩混合物は高いウラン／超ウラン溶融性を持つため、他の種類のＭＳＲよりもコンパクトなシステム設計が可能になる。ＭＣＦＲの設計および運転パラメータ（例えば、コンパクトな設計、低圧力、高温、高出力密度）は、ゼロカーボンエネルギーに向けた、費用効果の高い、地球規模の解決の可能性をもたらす。
【０００６】
〔発明の概要〕
記載された技術によって提供されるのは、溶融燃料塩によって燃料を供給される核分裂反応を含むよう構成された原子炉心を備える溶融塩原子炉である。上記原子炉心に接続された溶融燃料塩制御システムが、選択された体積の上記溶融燃料塩を上記原子炉心から除去して、上記溶融塩原子炉の反応度を示すパラメータを、ノミナルの反応度の選択された範囲内に保つよう構成されている。
一つの実施では、溶融塩原子炉は、溶融燃料塩によって燃料を供給される核分裂反応を維持するよう構成された原子炉心を備える。上記溶融燃料塩制御システムは溶融燃料塩交換システムを有しており、上記溶融燃料塩交換システムは、上記原子炉心と流体的に接続されており、選択された体積の上記溶融燃料塩を、選択された親物質と担体塩の混合物を含む選択された体積の供給物質と交換するよう構成されている。他の実施では、上記溶融燃料塩制御システムは体積押しのけ制御システムをさらに有し、上記体積押しのけ制御システムは、上記原子炉心に挿入可能な一つまたは複数の体積押しのけ本体を有する。各体積押しのけ本体は、上記原子炉心に挿入されると、上記原子炉心から、選択された体積の溶融燃料塩を体積的に押しのけるよう構成されている。一つの実施では、上記体積押しのけ本体は、上記選択された体積の溶融燃料塩を上記原子炉心から、例えば溢出システムを介して除去する。
【０００７】
この概要は、以下の発明を実施するための形態においてさらに記載される概念を選択して簡略に述べたものを紹介するために設けられている。この概要は、請求項に記載された構成の中心特徴または主要特徴を特定することを意図するものではなく、また、請求項に記載された構成の範囲を限定するために用いられることを意図するものでもない。
【０００８】
他の諸実施もまた、本明細書で説明および記載される。
【０００９】
〔図面の簡単な説明〕
図１は、ＭＣＦＲ親炉とＭＣＦＲ子炉を有する溶融塩化物高速原子炉（ＭＣＦＲ）燃料サイクルの一例を示す概略図である。
【００１０】
図２は、溶融燃料塩から溶融燃料を周期的に除去して溶融親燃料供給物と交換すること（溶融燃料塩交換と称する）に由来するＭＣＦＲ反応度制御の一例を示す。
【００１１】
図３は、溶融燃料塩交換アセンブリを備えたＭＣＦＲシステムの一例を示す。
【００１２】
図４は、原子炉の溶融燃料塩を親燃料塩と周期的に交換することで制御される溶融塩原子炉において、炉心のモデル化されたｋｅｆｆ値と重金属（ＨＭ）燃料の燃焼度の総パーセントの、時間に対するグラフを示す。
【００１３】
図５は、原子炉燃焼速度に合う速度で劣化ウランが供給されるモデル化溶融塩原子炉における、ｋｅｆｆ対時間のグラフを示す。
【００１４】
図６は、供給物質を加えずランタニドを除去しない溶融塩原子炉における、ｋｅｆｆを時間の関数として記したグラフを示す。
【００１５】
図７は、溶融燃料塩交換アセンブリを備えたＭＣＦＲシステムの代替例を示す。
【００１６】
図８は、ＵＣｌ３−ＵＣｌ４−ＮａＣｌ（モル％）の例示的な三元状態図を示す。
【００１７】
図９は、溶融燃料塩交換プロセスの例示的な動作を示す。
【００１８】
図１０は、押しのけ素子アセンブリを備えた溶融塩原子炉を示す。
【００１９】
図１１は、押しのけ素子アセンブリと溶融燃料塩溢出システムを備え、押しのけ素子が溶融燃料塩の中に沈んでいない状態にある、溶融塩原子炉を示す。
【００２０】
図１２は、押しのけ素子アセンブリと溶融燃料塩溢出システムを備え、押しのけ素子が溶融燃料塩の中に沈んでいる状態にある、溶融塩原子炉を示す。
【００２１】
図１３は、燃料押しのけサイクルのさまざまな例示的なステージを示す。
【００２２】
図１４は、燃料押しのけサイクルの二つの例示的なステージを示す。
【００２３】
図１５は、溶融燃料塩押しのけプロセスの例示的な動作を示す。
【００２４】
〔発明を実施するための形態〕
溶融塩高速原子炉システムは、高速中性子スペクトル核分裂原子炉において溶融燃料塩を用いる。ある種類の溶融塩原子炉は、核分裂性燃料の担体塩としてフッ化塩を含む。他の種類の溶融塩原子炉は、核分裂性燃料の担体塩として塩化物を含む溶融塩化物高速原子炉（ＭＣＦＲ）である。以下では溶融塩化物原子炉について記載するが、本明細書の記載、諸要素、諸方法はいかなる溶融燃料塩原子炉にも適用できるものと理解されたい。
【００２５】
ＭＣＦＲシステムでは、塩化物が提供する高速中性子スペクトルにより、ウラン・プルトニウム燃料サイクルを用いた良好な増殖および燃焼動作を可能にする。高速中性子スペクトルはまた、核分裂生成物毒作用を和らげ、オンライン再処理およびそれに伴う核拡散の危険性なしに特別に優れた性能を提供する。ＭＣＦＲシステムの運転中、溶融燃料塩制御システムは、燃料反応度および／または燃料組成を所望の運転上の範囲内に保つことを可能にする。一つの実施では、溶融燃料塩制御システムは溶融燃料塩交換システムを備え、これは溶融燃料塩を原子炉心から取り除いて、例えば反応度を示すパラメータを、ノミナルの反応度の選択範囲内に保つ。追加のまたは代替の実施では、溶融燃料塩制御システムは、体積押しのけ制御アセンブリ（volumetric displacement control assembly）を備え、溶融燃料塩を原子炉から取り除いて、ＭＣＦＲシステム内の核分裂反応を制御する（例えば、反応度を示すパラメータを、反応度のノミナルの選択範囲内に保つ）。体積押しのけ制御アセンブリは、非中性子吸収物質、中性子吸収物質、および／または減速材を含んでもよいし、それらから作られてもよい。
【００２６】
図１は、ＭＣＦＲ親炉１０２とＭＣＦＲ子炉１０４を有する、例示的な溶融塩化物高速原子炉（ＭＣＦＲ）燃料サイクル１００を示す概略図である。「増殖燃焼」高速炉と呼ばれる特定の種類の高速原子炉は、消費するより多くの核分裂性核燃料を生成できる原子炉である。例えば、中性子経済が十分に高いので、親核分裂性核燃料（例えば、ウラン２３８）から、燃焼するより多くの核分裂性核燃料（例えば、プルトニウム２３９）を増殖することができる。「燃焼」は「燃焼度」または「燃料利用率」と称され、どれほどのエネルギーが核燃料から抽出されたかを示す尺度である。通常、燃焼度が高いほど、核分裂反応終了後に残る核廃棄物の量が減る。
【００２７】
上記の例示的なＭＣＦＲ燃料サイクル１００は、溶融塩を原子炉（または複数の原子炉）における核分裂性燃料の担体として用いるよう設計されている。一例では、この担体塩は、ナトリウム塩、塩化物、フッ化塩、または核分裂性燃料に炉心を通過させる他の任意の適当な溶融流体のうち一つまたは複数を含んでよい。一例では、上記溶融塩化物は三成分塩化物燃料塩（ternary chloride fuel salt）を含むが、当該三成分塩化物の代わりに、あるいは追加して、他の塩化物を用いてもよい。そうした他の塩化物としては、ウランの二成分塩化物燃料塩、三成分塩化物燃料塩、四成分塩化物燃料塩やさまざまな核分裂可能な物質が挙げられるが、これらに限定されるものではない。高いアクチニド濃度および得られる原子炉のサイズのコンパクトさに焦点を置いて、さまざまな組成がモデリングおよび実験によって調べられてきた。例えば、増殖したプルトニウムはＭＣＦＲ燃料サイクル１００内でPuCl3 として存在でき、親供給物質として用いられる塩化物の酸化状態の比率を調整することで、還元酸化制御を維持することができる。
【００２８】
上記の例示的なＭＣＦＲ燃料サイクル１００は、オープン増殖燃焼燃料サイクル（例えば、平衡、準平衡、および／または非平衡増殖燃焼反応を示す）を可能にする。上記オープン増殖燃焼燃料サイクルは、ウラン・プルトニウム燃料サイクルを採用し、従来のオープン燃料サイクルに比べて廃棄物の体積がかなり少ない。上記技術のさまざまな実施により、四塩化ウラン（ＵＣｌ４）含有レベルがモル分率で５％を超える溶融燃料塩が提供され、それが、溶融燃料塩の重金属含有量を高くするのに役立つ（例えば、約６１重量％）。四塩化ウランの実施は、ＵＣｌ４と三塩化ウラン（ＵＣｌ３）および／または追加の金属塩化物（例えば、ＮａＣｌ）を、所望の重金属含有レベルおよび溶融温度（例えば、３３０°から８００℃）が達成されるように組み合わせることで行ってもよい。
【００２９】
一つの実施では、ＭＣＦＲ親炉１０２は、炉心部としての溶融燃料塩と、一つまたは複数の熱交換器と、制御システムなどを備えるよう設計された原子炉容器を有している。一つの実施では、原子炉容器は、垂直軸またはＺ軸に沿って切断すると円形断面を有してもよい（すなわち、ＸＹ面で円形断面を示す）。ただし、楕円断面および多角形断面を含むがこれらに限定されるものではない他の断面形状も考えられる。ＭＣＦＲ親炉１０２は、原子炉容器に初期溶融燃料１０６を濃縮燃料装荷して始動する。上記初期溶融燃料１０６の例としては、出発物質としてのウラン２３５（例えば、ＵＣｌ４および／またはＵＣｌ３の形態）と担体塩（例えば、ＮａＣｌ）との使用が挙げられる。一つの例では、初期溶融燃料１０６混合物は、濃縮ウランを１２．５重量％含んでいるが、他の組成を用いてもよい。初期溶融燃料１０６は、ＭＣＦＲ親炉１０２の原子炉容器内の炉心部を循環する。ＭＣＦＲ親炉１０２の一実施では、溶融燃料塩は、内部の中心炉心部内の核分裂反応により熱せられると上向き方向に流れ、冷めると原子炉容器の内側周辺を下向き方向に流れる。熱した流体と重力の対流、および／または弁、ポンプなどを通る補助装置を使った流体の流れを用いるよう設計された、他の追加の、あるいは代替の溶融燃料の流れ（例えば、図３の一次冷却材ループ３１３）を用いてもよい。溶融燃料の構成要素は、高速燃料循環流（例えば、一秒ごとに完全に一巡）によってよく混ぜられる。一つの実施では、一つまたは複数の熱交換器を原子炉容器の内側周辺に配置して溶融燃料流から熱を引き出し、下向きの流れをさらに冷やす。ただし、熱交換器は、原子炉容器の外側に追加で、あるいは代替的に配置してもよい。
【００３０】
初期始動のあと、ＭＣＦＲ親炉１０２は核分裂の臨界に達し、初期の核分裂性燃料（例えば、濃縮ウラン）は、親燃料を核分裂性燃料に転換する（増殖）。濃縮ウランを含む初期核分裂性燃料の例では、この核分裂性濃縮ウランは、劣化ウランおよび／または天然ウランを増殖して他の核分裂性燃料、例えばプルトニウムにすることができる。この増殖および燃焼サイクルは、十分な量のプルトニウム２３９核分裂性核燃料（例えば、PuCl3の形態）を増殖して、数十年も運転できるだけでなく、ＭＣＦＲ子炉１０４および他の子炉や孫炉に燃料を供給することができる。他の子炉および／または孫炉は図示されていないが、親炉１０２から除去した使用済燃料を一つまたは複数の子炉に供給し、一つまたは複数の子炉が、そのあと出発物質を一つまたは複数の孫炉に供給し、そしてこのような処理が続くことにより、複数の原子炉に燃料を供給できる。一つの実施では、ＭＣＦＲ親炉１０２は１０００ＭＷｔで運転する。これは、自然燃料循環点設計に対応する。ただし、異なる作動条件（より高い熱出力レベルを達成するための強制燃料循環を含む）のもとでは他の運転出力が達成可能である。他の親燃料としては、使用済核燃料またはトリウムが挙げられるが、これらに限定されるものではない。
【００３１】
先に示唆したように、通常運転中、ＭＣＦＲ親炉１０２は、徐々に増大する反応度を支えるのに十分な効率で増殖する。溶融燃料塩１０８（これは核分裂性燃料、親燃料、担体塩、および／または核分裂生成物を含んでもよい）をＭＣＦＲ親炉１０２から除去して、除去されたた溶融燃料塩１０８を親燃料塩と低速で交換することにより、ＭＣＦＲ親炉１０２を臨界（例えば、ぎりぎり臨界）に保つことができる。このように、原子炉容器内を循環する完全に混合された溶融燃料塩のある量を周期的に除去し（除去された溶融燃料１０８と記載）、除去された溶融燃料１０８を劣化塩化ウラン（溶融親燃料供給物１１０と記載）と周期的に交換することにより、反応度を制御することができる。他の親燃料としては、天然ウラン、使用済核燃料、またはトリウムが挙げられるが、これらに限定されるものではない。
【００３２】
一つの実施では、除去された溶融燃料１０８を廃棄物として処理する準備をしてもよいし、新たなＭＣＦＲプラント（例えば、ＭＣＦＲ子炉１０４）を開始するのに十分な物質が利用可能になるまで保存してもよい。いくつかの場合では、除去された溶融燃料１０８を用いて、除去された溶融燃料１０８を再処理することなしにＭＣＦＲ子プラントを開始または起動してもよい。後者のシナリオでは、ほとんどすべてのアクチニドが追加の燃焼のために次のＭＣＦＲプラントに移ることができ、これにより、核廃棄物に伴う拡散リスクを避けることができる。さらに、溶融燃料塩は、大きな負の温度係数、非常に低い過剰反応度、受動的な崩壊熱除去を示し、これらが組み合わさって核分裂反応を安定させる。
【００３３】
ＭＣＦＲ親炉１０２は、ある廃棄物要素（廃棄物１１２として図示）を出力する。一つの実施では、廃棄物１１２はアクチニドを含まない。その代わりに、廃棄物１１２は、気体状かつ、おそらく揮発性の核分裂生成物塩化物１１４と、貴金属のような固体核分裂生成物１１６とを含む。ＭＣＦＲ親炉１０２の運転中、機械的フィルタリングおよび／または軽ガススパージングまたは他の任意の適切な技術を用いて、廃棄物１１２を溶融燃料塩から濾過することで、廃棄物１１２を得ることができる。あるいは、除去された溶融燃料１０８を分離し、処理し、原子炉へ再導入してもよい。機械的フィルタリングにより、溶融燃料塩により溶けにくい固体核分裂生成物１１６および他の粒子が得られる。同様に、核分裂生成物である希ガスが捕えられ、貯蔵タンクで崩壊させられる。不溶性で寿命がより長い固体核分裂生成物１１６を含むフィルタが、廃棄物の流れの一部を形成する。一つの実施では、廃棄物１１２は臨界の懸念も減らすかなくする。廃棄物１１２は燃料塩から分離した核分裂性アイソトープを含まないからである。
【００３４】
廃棄物１１２要素は、核分裂の変換生成物の任意の一つまたは複数、またはその崩壊生成物、燃料塩と他の核分裂生成物との化学反応生成物、腐食生成物などの任意の一つを含んでもよい。廃棄物１１２（本明細書では核分裂生成物とも称する）の元素の構成要素は、燃料塩、担体塩、構成要素、コーティングなどの元素の構成要素に基づく。溶融塩化物に対して、核分裂生成物は、希ガスおよび／または他の気体のうち任意の一つまたは複数を含んでよい。上記希ガスおよび／または他の気体としては、ヨウ素、セシウム、ストロンチウム、ハロゲン類、トリチウム、煙霧状の貴金属および準貴金属などが挙げられる。固体廃棄物核分裂生成物としては、貴金属、準貴金属、アルカリ元素、アルカリ土元素、希土類元素などや、それらの分子結合が挙げられる。
【００３５】
図２は、溶融燃料塩から溶融燃料を周期的に除去して溶融親燃料供給物と交換すること（溶融燃料塩交換と称する）に由来するＭＣＦＲ反応度制御の一例を示す。溶融燃料塩交換システムは、溶融燃料塩制御システムの一種類である。Ｘ軸２００は定格負荷相当年数における時間を示し、Ｙ軸はモデル化されたｋ-effective２０２の観点からの反応度を示す。パラメータであるｋ-effective（中性子実効増倍率）は増倍率を表わす。これは、核分裂連鎖反応の連続したサイクルのあいだの核分裂イベントの総数を示す。中性子実効増倍率における各下落（例えば、下落２０４、２０６、２０８）は、溶融燃料塩交換イベントを示す。原子炉内の増殖した溶融燃料塩または核分裂性溶融燃料塩を溶融親燃料供給物と取り換えることにより、ＭＣＦＲをノミナルの反応度の閾値レベル内に保つことができる。いくつかの例では、ノミナルの反応度は、過剰反応度がほぼゼロでの運転状態の平均（average near-zero excess reactivity operating condition）であり、その上限閾値は、溶融燃料交換のきっかけとなる燃料サイクルの最大反応度を規定し、その下限閾値は、上記溶融燃料交換のあとで達するべき最小反応度を規定する。ノミナルの上限閾値反応度レベルおよび／または下限閾値反応度レベルは同じであり続けてもよいし、設計、運転、および／または安全パラメータに基づいてＭＣＦＲの使用期間中に変わってもよい。反応度を示すこれらのパラメータとしては、原子炉で生成されることが望まれている熱エネルギーや、安全レベルや、部品設計や使用期間の拘束や、維持要件などが挙げられるが、これらに限定されるものではない。他の反応度制御技術を溶融燃料塩交換と組み合わせて用いてもよい。こうした他の反応度制御技術としては、体積押しのけアセンブリ、中性子吸収制御アセンブリなどの使用が挙げられるが、これらに限定されるものではない。さらに、他の溶融塩原子炉も、同様の溶融燃料交換の構成を用いてよい。
【００３６】
図２に示すように、溶融燃料塩を溶融親燃料供給物と周期的に交換することで、反応度を制限し、原子炉内で進行中の増殖燃焼反応を維持してよい。時間を追って説明すると、溶融燃料塩および溶融親燃料塩の最初の濃縮燃料充填が増殖することができ、それによって原子炉内の反応度を高める。原子炉が増殖したあと、核分裂性物質を周期的に除去することで、原子炉の反応度を周期的に（時間の経過に対して均一な周期でも不均一な周期でも）減少または制御することになり、溶融燃料塩の反応度を、許容範囲内の、事前に選択した閾値レベルに戻す。当該閾値レベルは、過剰反応度がほぼゼロでの運転状態の平均に近似した、溶融燃料塩交換動作ごとの臨界状態２１０（例えば、ぎりぎりの臨界状態）であってよい。この交換動作は長時間にわたって繰り返すことができ、図２のＭＣＦＲ反応度制御グラフに示すような「鋸歯」反応度カーブとなる。いくつかの実施では、周期的な交換動作により、追加の濃縮燃料物質を加えることなしに、原子炉を無制限に運転させることができる。溶融燃料塩交換を周期的と記載したが、そのような交換はバッチ式、連続式、半連続式（例えば、滴下）などで行ってもよいことを理解されたい。交換の頻度を上げること（これは、除去する増殖燃料の体積を減らすことと組み合わせてもよい）により、ＭＣＦＲの制御が合わせられるノミナルの反応度の制御または閾値を強化することが可能になることを理解されたい。
【００３７】
図３は、溶融燃料塩交換アセンブリ３０１を備えた例示的なＭＣＦＲシステム３００を示す。一つの実施では、ＭＣＦＲシステム３００は炉心部３０２を有する。炉心部３０２（「原子炉容器」と称してもよい）は、溶融燃料塩入口３０４と溶融燃料塩出口３０６を有する。溶融燃料塩入口３０４と溶融燃料塩出口３０６は、運転中、溶融燃料塩３０８の流れが、それぞれ集中ノズルと拡散ノズルとして機能する円錐部を形成するか含むように配置されてもよい。その際、溶融燃料塩３０８は、炉心部３０２の体積（volume）を通って溶融燃料塩入口３０４から溶融燃料塩出口３０６へと流体的に運ばれる。
【００３８】
炉心部３０２は、炉心部３０２内の溶融燃料塩３０８内で臨界を達成するのに適した任意の形状でよい。図３に示すように、炉心部３０２は細長い炉心部の形状でよく、垂直軸またはＺ軸に沿って切断されると円形の断面（すなわち、ＸＹ平面における円形の断面）を有してもよい。ただし、楕円断面や多角形断面などの他の断面形状も考えられるが、これらに限定されるものではない。
【００３９】
炉心部の寸法は、溶融燃料塩３０８が炉心部３０２を通って流れるときに溶融燃料塩３０８内で臨界を達成するように選択される。臨界とは、核燃料が核分裂連鎖反応を維持する動作の状態、すなわち、当該燃料における中性子の生成速度が、中性子が消費される（あるいは失われる）速度と少なくとも等しい状態を指す。例えば、細長い炉心部の場合、当該細長い炉心部の長さおよび断面積は、炉心部３０２内で臨界を達成するために選択してよい。臨界を達成するのに必要な具体的な寸法は、例示的なＭＣＦＲシステム３００内に含まれる核分裂性物質、親物質、および／または担体塩の種類の少なくとも関数である。
【００４０】
原子炉始動動作の一部として、例示的なＭＣＦＲシステム３００は、溶融燃料塩の初期濃縮燃料を装荷される。原子炉始動動作は、増殖燃焼燃料サイクルを有する核分裂反応を開始させる。例示的なＭＣＦＲシステム３００の核分裂反応の反応度は、時間とともに増加する（図２参照）。反応度が許容範囲内の反応度条件を満たさない場合（例えば、ｋ-effectiveが閾値、図２の例ならば上限閾値１．００５、を満たすか超える）（この条件は、「交換条件」または「制御条件」とも称される）、選択された体積の溶融燃料塩３０８が炉心部３０２から除去され、選択された体積と組成の溶融親燃料供給物３１０（例えば、劣化ウランおよび／または天然ウラン、使用済核燃料、またはトリウムのような親物質を装荷した塩）を、除去された溶融燃料塩３０８の代わりに炉心部３０２に装荷する。除去された溶融燃料塩３０８としては、ランタニド、他の核分裂生成物、核分裂性物質、親物質、および／または担体塩の一つまたは複数が挙げられるが、これらに限定されるものではない。ランタニドを非特異的に除去することで炉心部３０２の核分裂生成物の総量が減り、関連する毒作用が減るだけでなく、核分裂性物質のいくらかが炉心部３０２から除去される。
【００４１】
図３において、溶融燃料塩交換アセンブリ３０１は、炉心部３０２（あるいは、例示的なＭＣＦＲシステム３００の他の部分）に動作可能に接続されており、選択された体積の溶融燃料塩３０８を選択された体積と組成の供給物質３１０と周期的に交換するよう構成されている。その際、溶融燃料塩交換アセンブリ３０１は、例示的なＭＣＦＲシステム３００内の溶融燃料塩３０８の反応度および／または組成を制御することができる。溶融燃料塩３０８の組成が、溶融燃料塩３０８の酸化状態に影響する。一つの実施では、炉心部３０２から除去された溶融燃料塩３０８（除去済溶融燃料３１２として図示）は少なくともいくらかの核分裂性物質を含み、一方、供給物質３１０は少なくともいくらかの親物質を含む。他の実施では、除去済溶融燃料３１２は一つまたは複数の核分裂生成物を含む。例えば、除去済溶融燃料３１２は、溶融燃料塩３０８内で核分裂により生成された一つまたは複数のランタニドを含んでよいが、これらに限定されるものではない。さらに他の実施では、除去済溶融燃料３１２は、核分裂可能物質（例えば、ＵＣｌ４）、一つまたは複数の核分裂生成物（例えば、一つまたは複数のランタニド）および／または担体塩（例えば、ＮａＣｌ）の混合物を含んでよいが、これらに限定されるものではない。溶融燃料塩交換を周期的と記載したが、そのような交換はバッチ式、連続式、半連続式（例えば、滴下）などで行ってもよいことを理解されたい。
【００４２】
炉心部３０２内の溶融燃料塩３０８が増殖し、親物質が核分裂性物質へ変換されると、溶融燃料塩交換アセンブリ３０１は、溶融燃料塩３０８のいくらかを除去して、除去済溶融燃料３１２（いくらかの体積の核分裂性物質を含んでいる）とし、除去済溶融燃料３１２を供給物質３１０（少なくともいくらかの親物質を含んでいる）と交換する。他の実施では、除去済溶融燃料３１２は、一つまたは複数の核分裂生成物を含んでいる。したがって、溶融燃料塩交換アセンブリ３０１は、例示的なＭＣＦＲシステム３００内の反応度を制御する機構として機能してよく、溶融燃料塩３０８の反応度を臨界状態（例えば、ぎりぎり臨界状態）に戻す役割を果たしてよい。このように、一つの実施では、例示的なＭＣＦＲシステム３００の溶融燃料塩交換アセンブリ３０１は、さらなる濃縮を加えることなしに、例示的なＭＣＦＲシステム３００を無制限に運転させることができる。
【００４３】
供給物質３１０の溶融燃料塩は、一つまたは複数の親燃料塩、例えば、劣化ウラン、天然ウラン、トリウム、または使用済核燃料の少なくとも一つを含む塩であってよいが、これらに限定されるものではない。例えば、塩化物ベースの燃料の場合、一つまたは複数の親燃料塩は、劣化ウラン、天然ウラン、トリウム、または使用済核燃料の少なくとも一つを含む塩化物を含んでよい。いくつかの場合では、供給物質３１０は、例示的なＭＣＦＲシステム３００に対して、初期の体積（例えば、１２．５％）を下回る速度または分子体積で供給できる核分裂性燃料（例えば濃縮ウラン）を含んでよい。供給燃料に核分裂性燃料を含ませることは、例示的なＭＣＦＲシステム３００の使用期間のあいだずっと行ってよい。あるいは、供給燃料に核分裂性燃料を含ませることをときおり行って、例示的なＭＣＦＲシステム３００内の溶融燃料塩の速度を増すか濃縮し、将来の溶融燃料塩交換において子炉に配置するためにあとで除去する燃料を増してもよい。さらに、供給物質３１０の溶融燃料塩は、一つまたは複数の核分裂性燃料塩および／または親燃料塩を、担体塩と混合して含んでよいが、これらに限定されるものではない。上記担体の例としてはＮａＣｌが挙げられるが、他の担体塩も用いてよい。
【００４４】
炉心部３０２は、溶融塩原子炉に用いるのに適した任意の材料から作ってよい。例えば、炉心部３０２の大部分は、一つまたは複数のモリブデン合金、一つまたは複数のジルコニウム合金（例えば、ジルカロイ）、一つまたは複数のニオビウム合金、一つまたは複数のニッケル合金（例えば、ハステロイＮ）、セラミック、耐熱鋼、および／または他の適当な材料から作られてよい。炉心部３０２の内面を一つまたは複数の追加の材料で覆うか、メッキするか、裏打ちするかして、腐食および／または放射線損傷に対する抵抗を与えてもよい。一つの例では、炉心部３０２は耐腐食性および／または耐放射線性の材料のみから、あるいは実質的に耐腐食性および／または耐放射線性の材料から、作られてよい。
【００４５】
一つの実施では、炉心部３０２は一次冷却材システム３１１を備える。当該一次冷却材システム３１１は、パイプ３１５からできた一つまたは複数の一次冷却材ループ３１３を備えてよい。一次冷却材システム３１１は、溶融燃料塩の状況における実施に適した任意の一次冷却材システムを含んでよい。図示された実施では、一次冷却材システム３１１は、一つまたは複数の一次冷却材ループ３１３の一つまたは複数のパイプ３１５および／または流体運搬アセンブリを通して、溶融燃料塩３０８を循環させ、炉心部３０２で発生した熱を、一つまたは複数の熱交換器３５４を介して、下流にある熱によって駆動する発電機器およびシステム、または他の蓄熱器および／または使用に向けて運んでよい。例示的なＭＣＦＲシステム３００の一実施は、複数の平行な一次冷却材ループ（例えば、２から５の平行ループ）を備え、それぞれのループが一次冷却材システム３１１を通して、溶融燃料塩の総量のうち選択された体積分を運んでもよい。
【００４６】
図３に示す実施では、溶融燃料塩３０８が一次冷却材として用いられる。冷却は、進行中の連鎖反応で熱せられた溶融燃料塩３０８を炉心部３０２から流し、温度の下がった溶融燃料塩３０８を炉心部３０２へ流すことで行われる。その際の流れの速度は、炉心部３０２の温度をその運転範囲内に維持する速度である。この実施では、一次冷却材システム３１１は、溶融燃料塩３０８が炉心部３０２の外にあるときは、溶融燃料塩３０８を臨界未満の状態に保つようになっている。
【００４７】
図３では描かれていないが、例示的なＭＣＦＲシステム３００は、任意の数の追加または中間加熱／冷却材システムおよび／または熱運搬回路を備えてよい。そのような追加の加熱／冷却材システムは、炉心部３０２をその運転温度範囲内に保つ他に、さまざまな目的のために配置してよい。例えば、第三の加熱システムを炉心部３０２と一次冷却材システム３１１とに配置して、固体化した燃料塩を含む冷たい炉が、塩が融けて流動性を有する運転温度まで熱せられるようにしてよい。
【００４８】
他の補助的な部品を一次冷却材ループ３１３で用いてよい。そのような補助的な部品としては、運転中に一次冷却材が沈殿してできた粒子を除去する一つまたは複数のフィルタまたはドロップアウトボックス（drop out boxes）が挙げられる。望ましくない液体を一次冷却材から除去するため、補助的な部品は任意の適当な液液抽出システムを備えてよい。その例としては、一つまたは複数の並流または向流ミキサ／沈殿槽ステージ、イオン交換技術、または気体吸収システムが挙げられる。気体除去のために、補助的な部品は、フラッシュ蒸発チャンバ、蒸留システム、またはガスストリッパのような任意の適当な気液抽出技術を備えてよい。補助的な部品のうちいくつかの追加的な実施は、以下でより詳細に論じられる。
【００４９】
例示的なＭＣＦＲシステム３００において、金属塩化物のようなさまざまな金属塩を用いることで、時間とともに腐食および／または放射線劣化が生じるかもしれない。燃料塩またはその放射線と直接または間接に接触する例示的なＭＣＦＲシステム３００のさまざまな塩と面する部品（例えば、炉心部３０２、一次冷却パイプ３１５、熱交換器３５４など）の完全性に対する腐食および／または放射線劣化の影響を和らげるために、さまざまな手段を用いてよい。
【００５０】
一つの実施では、例示的なＭＣＦＲシステム３００の一つまたは複数の部品を通る燃料の流れの速度は、選択された燃料塩速度に限られている。例えば、一つまたは複数のポンプ３５０が、溶融燃料塩３０８を、例示的なＭＣＦＲシステム３００の一次冷却材ループ３１３を通して、選択された燃料塩速度で流してもよい。いくつかの例では、一定のレベルを下回る流速は、増殖プロセスおよび原子炉制御を含む原子炉の性能に悪影響をもたらしうる。非限定的な例として、一次ループ３１３（および一次冷却材システム３１１の他の部分）における全燃料塩は、速度の下限値に関して望ましいレベルを超えてよい。これは、一次ループ３１３を通る適切な流量を維持するために、流速が減少すると一次ループ３１３の対応する管の断面積が大きくなるからである。そのため、速度の下限値を非常に低くすると（例えば、１ｍ／秒）、炉心外にある燃料塩の体積が大きくなり、例示的なＭＣＦＲシステム３００の増殖プロセスおよび原子炉制御に対してマイナスの影響を与えうる。さらに、一定レベルを超える流速は、一次ループ３１３および／または炉心部３０２の内側表面の腐食および／または浸食により、原子炉の性能および寿命に有害な影響を与えうる。そのため、運転中の燃料塩速度を適切にすることで、腐食／浸食を最小限にするための速度限界と、炉心外にある燃料塩の総量（out-of-core fuel salt inventory）を管理するための速度限界とのバランスをとることができる。例えば、溶融塩化物燃料塩の場合は、燃料塩速度は、２から２０ｍ／秒のあいだ（例えば７ｍ／秒だが、これに限定されない）に制御してよい。
【００５１】
図３に示す例示的な実施では、溶融燃料塩交換アセンブリ３０１（「溶融燃料塩交換システム」）は、使用済燃料運搬ユニット３１６および供給燃料補給ユニット３１４を備える。一つの実施では、使用済燃料供給ユニット３１６は、ＭＣＦＲシステム３００の一つまたは複数の部分から使用済燃料３１２（例えば、燃焼済燃料）を受け取って保存する貯蔵部３１８を有する。先に述べたように、貯蔵部３１８に運ばれ保存された使用済燃料３１２は、ＭＣＦＲシステム３００内の核分裂反応においてすでに用いられた溶融燃料塩混合物３０８の一部であり、初期核分裂性物質、増殖核分裂性物質、親物質、および／またはランタニドのような核分裂生成物を含んでよい。
【００５２】
他の実施では、使用済燃料供給ユニット３１６は、溶融燃料塩３０８をＭＣＦＲシステム３００の一つまたは複数の部分から貯蔵部３１８へ運ぶ一つまたは複数の流体運搬素子を備えている。使用済燃料運搬ユニット３１６は、溶融塩運搬に適した任意の流体運搬素子または装置を備えてよい。非限定的な例として、使用済燃料運搬ユニット３１６は、一本または複数本のパイプ３２０、一つまたは複数の弁３２２、一つまたは複数のポンプ（図示せず）などを含む。他の実施では、使用済燃料供給ユニット３１６は、炉心部３０２と流体的に接続されているＭＣＦＲシステム３００の任意の部分から、溶融燃料塩３０８を運搬してもよい。非限定的な例として、使用済燃料供給ユニット３１６は、主回路（primary circuit）の任意の部分（例えば、炉心部３０２、一次冷却材システム３１１（例えば、一次冷却材ループ３１３）などが挙げられるが、これらに限定されない）から貯蔵部３１８へ、溶融燃料塩３０８を移動させてもよい。
【００５３】
一つの実施では、供給燃料補給ユニット３１４は、供給物質３１０（例えば、親物質と担体塩の混合物）を保存する供給物質源３１７を有する。一つの実施では、供給物質３１０は、選択された親物質（例えば、劣化ウラン、天然ウラン、使用済核燃料、トリウムなど）と担体塩（例えば、ＮａＣｌ）の混合物を含んでよい。上記混合物は、溶融供給物質の濃度が、ＭＣＦＲシステム３００の主回路に残っている溶融燃料塩３０８と合う親物質の濃度を有するように、混合されている。他の実施では、親物質として、塩化ウラン、塩化トリウムなどのような、核分裂アイソトープに転換可能な塩（fertile salt）が挙げられる。この点で、ＭＣＦＲシステム３００に含まれている溶融燃料塩３０８の化学量論および／または化学的性質（例えば、化学組成および／または反応度）を少なくともおおよそ維持または調整するために、供給物質の特定の要素を選択してよい。
【００５４】
一つの実施では、溶融燃料塩交換アセンブリ３０１は、使用済燃料３１２をＭＣＦＲシステム３００の一つまたは複数の部分から運び出し、それと同時にまたはそれに続いて、供給物質（例えば、選択された親物質と担体塩との混合物が挙げられる）をＭＣＦＲシステム３００の一つまたは複数の部分へ運び入れることができる。他の実施では、運搬は同期的、あるいは非同期的に行われる。
【００５５】
他の実施では、供給燃料補給ユニット３１４は、供給物質源３１７からＭＣＦＲシステム３００の一つまたは複数の部分へと供給物質３１０を運搬する一つまたは複数の流体運搬素子を有する。供給燃料補給ユニット３１４は、任意の流体運搬素子または装置を有してよい。非限定的な例として、供給燃料運搬ユニット３１４は、一本または複数本のパイプ３２４、一つまたは複数の弁３２６、一つまたは複数のポンプ（図示せず）などを有する。他の実施では、供給燃料補給ユニット３１４は、供給物質源３１７から、炉心部３０２と流体的に接続されているＭＣＦＲシステム３００の任意の部分へ、供給物質３１０を運搬してよい。非限定的な例として、供給燃料補給ユニット３１４は、供給物質源３１７から、主回路の任意の部分（例えば、炉心部３０２、一次冷却材システム３１１（例えば、一次冷却材ループ３１５）などが挙げられるが、これらに限定されない）へ、供給物質３１０を運搬してよい。
【００５６】
一つの実施では、供給物質３１０は、供給燃料補給ユニット３１４によって、炉心部３０２へ連続して運ばれる。非限定的な例では、供給物質３１０は、供給燃料補給ユニット３１４によって、炉心部３０２へ、選択された流速で連続して送られる。溶融燃料塩を除去する方法は、連続的でも、半連続的でも、バッチ式でもよく、燃料交換の方法またはタイミングと同じでも異なっていてもよい。
【００５７】
他の実施では、供給物質３１０は、供給燃料補給ユニット３１４によって、炉心部３０２へ、バッチ式で（つまり、個々の体積単位で）運ばれる。非限定的な例として、供給物質３１０は、炉心部３０２へ、選択された頻度で（あるいは、非規則的な時間間隔で）、選択された運搬体積サイズで、バッチ運搬ごとに選択された組成で、運ばれる。選択された頻度、運搬体積サイズ、および組成は時間とともに変わりうる。
【００５８】
他の実施では、供給物質３１０は、供給補給ユニット３１４によって、炉心部３０２へ、半連続的なやり方で運ばれる。非限定的な例として、供給物質３１０は炉心部３０２へ滴下で運ばれる。物質をそのように半連続的に供給することで（そして、同時に、炉心部３０２から使用済燃料を除去することで）、反応度の揺れ（reactivity swings）を１００ｐｃｍ（ミリパーセントまたは０．００１未満のｋｅｆｆ（中性子実効増倍率）の変化）内に限定することができる。
【００５９】
他の実施では、供給燃料補給ユニット３１４は、複数の供給物質源および関連する流体運搬素子（例えば、弁およびパイプ）を有して、複数種類の供給物質の交換を可能にし、それによって炉心部３０２の酸化状態を維持してよい。例えば、個々の供給物質源（それぞれがＵＣｌ３、ＵＣｌ４、またはＮａＣｌの一つを含んでいる）を用いて、溶融燃料塩３０８の化学組成を選択的に調整してよい。ＵＣｌ３−ＵＣｌ４−ＮａＣｌ（モル％）の三元フェーズダイアグラムの説明は、図８を参照のこと。図８では、溶融燃料塩３０８の酸化状態および化学量論を、選択された体積のＵＣｌ３、ＵＣｌ４、またはＮａＣｌを加えることで制御してよい。
【００６０】
一つの実施では、貯蔵部３１８は、溶融燃料塩を炉心部３０２から受け取って保存するのに適した一つまたは複数の保存貯蔵部を有する。貯蔵部３１８は、使用済燃料塩３１２の反応度を制限し、それによって反応度を臨界未満に減少または制限するよう、大きさを決めかつ／または設計を行ってもよい。貯蔵部３１８は、中性子吸収材、減速物質、熱運搬装置などのうち任意の一つまたは複数を有し、それによって、使用済燃料塩３１２内で進行中の任意の核分裂反応が設計および／または安全の何らかの特定の閾値を超えないようにしてよい。他の実施では、貯蔵部３１８は、第二世代（「子」）高速スペクトル溶融塩原子炉を有してよい。
【００６１】
使用済燃料の除去および供給物質の補給は、炉心部３０２内の溶融燃料塩３０８の反応度および／または組成を維持するよう調整されている。したがって、一つの実施では、溶融燃料塩交換アセンブリ３０１は交換コントローラ３２８を有している。一つの実施では、交換コントローラ３２８は、一つまたは複数の能動的な流体制御素子を制御し、供給物質３１０が供給物質源３１７から貯蔵部３１８へ流れ、使用済燃料塩３１２が炉心部３０２から貯蔵部３１８へ流れるのを制御してよい。一つの実施では、弁３２２および３２６は、交換コントローラ３２８からの電子信号を介して制御可能な能動的な弁である。非限定的な例として、弁３２２および３２６として、電子的に制御された双方向弁が挙げられるが、これに限定されるものではない。この点に関して、交換コントローラ３２８は制御信号を弁３２２および３２６（または他の能動的な流れ制御機構）に送り、供給物質源３１７から貯蔵部３１８への供給物質３１０の流れと、炉心部３０２から貯蔵部３１８への使用済燃料塩３１２の流れを制御してよい。ここで、本実施は図３に示す電子的に制御された弁に限定されないことに留意されたい。図３の電子的に制御された弁は、例示目的のためだけに示されたものである。供給物質源３１７から貯蔵部３１８への供給物質３１０の流れと、炉心部３０２から貯蔵部３１８への使用済燃料塩３１２の流れを制御するのに実施してよい溶融塩運搬に適用可能な流れ制御装置や構成は多数ある。
【００６２】
一つの実施では、溶融燃料塩交換アセンブリ３０１は、上記したように、一つまたは複数の反応度パラメータセンサ３３０を有している。先に述べたように、上記一つまたは複数の反応度パラメータセンサ３３０は、炉心部３０２の溶融塩３０８の反応度または反応度の変化を示す一つまたは複数のパラメータを測定またはモニタする任意の一つまたは複数のセンサを有する。反応度パラメータセンサ３３０としては、中性子フルエンス、中性子束、中性子核分裂、核分裂生成物、放射性崩壊イベント、温度、圧力、出力、アイソトープ、燃焼度および／または中性子スペクトルのうち一つまたは複数を検知および／またはモニタすることができる任意の一つまたは複数のセンサが挙げられるが、これらに限定されるものではない。非限定的な例として、上記したように、上記一つまたは複数の反応度パラメータセンサ３３０として、核分裂検出器（例えば、マイクロポケット核分裂検出器）、中性子束モニタ（例えば、核分裂チャンバまたはイオンチャンバ）、中性子フルエンスセンサ（例えば、統合ダイアモンドセンサ（integrating diamond sensor））、核分裂生成物センサ（例えば、気体検出器、β検出器、またはγ検出器）、または核分裂生成物気体中のアイソトープの種類の比を測定するよう構成された核分裂生成物検出器が挙げられるが、これらに限定されるものではない。他の非限定的な例として、上記したように、上記一つまたは複数の反応度パラメータセンサ３３０として、温度センサ、圧力センサ、または出力センサ（例えば、出力範囲核計測器）が挙げられるが、これらに限定されるものではない。
他の実施では、反応度は、測定された反応度パラメータ（上述）のうち一つまたは複数を用いて決定される。一つの実施では、炉心部３０２の反応度は、ルックアップテーブルを用いてコントローラ３２８によって決められる。他の実施では、炉心部３０２の反応度は、一つまたは複数のモデルを用いてコントローラ３２８によって決められる。他の実施では、反応度パラメータは、オペレータによって決められ、オペレータインタフェースを介してコントローラ３２８に直接入力されてよい。ここで、反応度パラメータセンサ３３０はＭＣＦＲシステム３００の炉心部３０２内の燃料塩３０８内に位置すると記載したが、この構成は、先に述べたように、本実施を限定するものではない。一つの実施では、決定された反応度パラメータ（測定値またはモデル値）または反応度を示すパラメータが、あらかじめ定められた反応度閾値と比べられる。決定された反応度パラメータまたは反応度を示すパラメータが制御条件を満たすならば（例えば、上限閾値を上回るか下限閾値を下回る）、制御システム（例えば、溶融燃料塩交換システム、体積押しのけシステム、および／または他の制御システム）を作動させて炉心部３０２の反応度を調節して、ノミナルの反応度範囲に戻るようにしてよい。
【００６３】
他の実施では、上記一つまたは複数の反応度パラメータセンサ３３０は、交換コントローラ３２８と通信可能に接続されている。上記一つまたは複数の反応度パラメータセンサ３３０は、交換コントローラ３２８と通信可能に接続されている。例えば、上記一つまたは複数の反応度パラメータセンサ３３０は、有線接続（例えば、電気ケーブルまたは光ファイバ）または無線接続（例えば、ＲＦ送信または光送信）を介して交換コントローラ３２８と通信可能に接続されてよい。
【００６４】
一つの実施では、交換コントローラ３２８は一つまたは複数のプロセッサとメモリを有している。一つの実施では、メモリは、溶融燃料塩交換アセンブリ３０１の一つまたは複数の動作ステップを実行するよう構成された一組または複数組のプログラム命令を保持する。
【００６５】
一つの実施では、決定された反応度パラメータが反応度の上限閾値を上回ると、交換コントローラ３２８は、交換コントローラ３２８の一つまたは複数のプログラム命令に従って、溶融燃料塩交換アセンブリ３０１に命じて、ＭＣＦＲシステム３００の選択され決定された体積の溶融燃料塩３０８を、選択され決定された体積および組成の供給物質３１０と交換させ、それによって炉心部３０２内の溶融燃料塩３０８の反応度および／または組成を制御してよい。
【００６６】
他の実施では、一つまたは複数のプログラム命令は、炉心部３０２の溶融燃料塩３０８の決定された反応度を、炉心部３０２の測定された過剰反応度を補償する選択された交換体積および組成と関連付けるとともに、他の溶融燃料塩組成についての考慮事項とも関連付けるよう構成されている。非限定的な例として、反応度パラメータセンサ３３０は、反応度コア部３０２（またはＭＣＦＲシステム３００の他の部分）内の溶融燃料塩３０８と関連した反応度パラメータを取得してよい。反応度パラメータが、選択された上限閾値より大きな反応度を示している場合、交換コントローラ３２８は、上昇した反応度を補償する交換体積および組成を決定し、溶融燃料塩交換アセンブリ３０１に命じて、決定された体積の溶融燃料塩３０８を炉心部３０２から（例えば、使用済燃料運搬ユニット３１６によって）除去し、除去した燃料塩をほぼ同体積の供給物質３１０と（例えば、供給燃料補給ユニット３１４によって）交換する。
【００６７】
炉心部３０２から除去すべき使用済燃料３１２の量は、炉心部３０２の決定された反応度（測定値またはモデル値）、核分裂性燃料および／または親燃料の決定された量（測定値またはモデル値）、溶融燃料塩３０８中の廃棄物（核分裂生成物および他に生じうる中性子吸収材を含む）などに基づいて決定してよい。決定された炉心の反応度（上限閾値を超えている）を、下限閾値と比較して、炉心の反応度を選択されたノミナルの反応度の範囲内に保つのに必要な反応度の変化量を決定してよい。この反応度の必要な変化量を、続いて、現在の燃料とともに用いることで、炉心の反応度を反応度の上限および下限閾値内に保つために除去すべき使用済燃料３１２の量を決定できる。例えば、除去される使用済燃料３１２の決定された体積の価値を、現在の燃料組成から（核分裂性燃料の燃焼度、利用可能な核分裂性燃料、残存親燃料、および他の要素、例えば核分裂生成物や担体塩に基づいて）決定し、炉心の反応度を下限閾値まで減ずるのに十分かどうか比較してよい。決定された燃料除去後炉心反応度に基づいて、燃料の連続増殖のための反応度やシステムのための燃料体積要件を維持し、燃料全体の化学量論を維持または調整するように、供給燃料の価値、体積、構成要素が決定される。これらの決定は、反応度および反応の計算モデルや、実験データおよび／またはモデルデータに基づくルックアップテーブルに基づいて、行うことができる。先に述べたように、ノミナルの反応度レベル、反応度レベルの上限閾値、および／または反応度の下限閾値の任意の一つまたは複数（またはそれらの組み合わせ）は、さまざまな運転上および／または安全上の理由により、原子炉の使用期間中に動的に変化させてよい。
【００６８】
別の実施では、溶融燃料塩３０８を供給物質３１０と交換する頻度、体積、組成があらかじめ定められている場合、交換コントローラ３２８は、あらかじめタイミングが定められた交換プロセスを、溶融燃料塩交換アセンブリ３０１の能動素子（例えば、弁３２２および３２６、ポンプなど）の制御を介して、前回の交換サイクルからの経過時間および／またはここで記載した炉心部３０２の決定された反応度に基づいて、実行してよい。代替的な実施では、反応度パラメータセンサ３３０および他のセンサ、モニタリング技術、計算からの結果に基づいて、動的に決定した頻度および／または体積で、交換を行ってよい。
【００６９】
一つの実施では、炉心部３０２に加えられる供給物質の選択された体積および／または組成は、あらかじめ定められた「価値」を有し、当該「価値」は、炉心部３０２から除去される選択された体積の使用済燃料に基づく対象の反応度の除去量（target reactivity removal）に合うように体積および／または組成の大小を調整することができる。
【００７０】
別の実施では、交換コントローラ３２８は溶融燃料塩交換アセンブリ３０１に命じて、溶融燃料塩３０８を供給物質３１０と連続的に交換させ、選択された速度（例えば、０．１〜１０リットル／日）で、供給物質３１０が炉心部３０２へ連続的に供給されるとともに使用済燃料３１２が炉心部３０２から連続的に除去されるようにしてよい。別の実施では、交換コントローラ３２８は溶融燃料塩交換アセンブリ３０１に命じて、溶融燃料塩３０８を供給物質３１０と半連続的に交換（例えば、滴下）させてよい。例として、交換コントローラ３２８は溶融燃料塩交換アセンブリ３０１に命じて、溶融燃料塩３０８を供給物質３１０と滴下で交換させ、供給物質３１０は炉心部３０２に滴下で供給され、個々の量の使用済燃料３１２が炉心部３０２から同時に除去されてよい。別の実施では、交換コントローラ３２８が溶融燃料塩交換アセンブリ３０１に命じて、溶融燃料塩３０８を供給物質３１０とバッチ式に交換させてよい。例として、交換コントローラ３２８が溶融燃料塩交換アセンブリ３０１に命じて、溶融燃料塩３０８を供給物質３１０と個々に、またはバッチ式に交換する一連の工程を行わせ、個々の量の供給物質３１０が炉心部３０２に供給され、個々の量（体積は供給物質と同じ）の使用済燃料３１０が炉心部３０２から、並行して、または順次に、選択された時間間隔で除去されてよい。他の非限定的な例として、交換コントローラ３２８が溶融燃料塩交換アセンブリ３０１に命じて、溶融燃料塩３０８を供給物質３１０と別個に、またはバッチ式に交換する工程を一回行わせ、個々の量の供給物質３１０が炉心部３０２に供給され、同じ量の使用済燃料３１２が炉心部３０２から、並行して、または順次に、選択された時間に除去されてよい。
【００７１】
別の実施では、ＭＣＦＲシステム３００は、一つまたは複数のガス散布ユニットを備える。一つまたは複数のガス散布ユニットは炉心部３０２と動作可能に接続されており、一種または複数種の廃ガス（例えば、希ガスのようなガス状核分裂生成物）を炉心部３０２の溶融燃料塩３０８から絶えず除去するよう構成されている。非限定的な例として、一つまたは複数のガス散布ユニットは、ヘリウムおよび／または水素ガス散布ユニットを備えている。なお、上記希ガスとして、Ｈｅ、Ｎｅ、Ａｒ、ＫｒおよびＸｅが挙げられる。また、溶融燃料塩３０８に吸収されたガス状廃棄物は、炉心部３０２の溶融燃料塩３０８から放散され、関連するガスポンプで原子炉から排気されてよい。
【００７２】
別の実施では、原子炉は一つまたは複数のフィルタリングユニットを備えている。一つまたは複数のフィルタリングユニットは炉心部３０２と動作可能に接続されており、一つまたは複数の固体廃棄物、例えば、貴金属および／または準貴金属や他の粒子状廃棄物のような固体核分裂生成物を、絶えず除去するよう構成されている。非限定的な例として、一つまたは複数のフィルタリングユニットは、炉心部３０２のバイパスフローに位置する一つまたは複数のフィルタを有してよい。上記一つまたは複数のフィルタは、溶融燃料塩３０８から（設計構成にもよるが）沈殿し、かつ／またはプレートアウトした固体廃棄物の一つまたは複数の要素を集めるよう配置されている。なお、貴金属および準貴金属としては、Ｎｂ、Ｍｏ、Ｔｃ、Ｒｕ、Ｒｈ、Ｐｄ、Ａｇ、ＳｂおよびＴｅが挙げられる。
【００７３】
別の実施では、一次冷却材システム３１１は一つまたは複数のポンプ３５０を備えている。例えば、一つまたは複数のポンプ３５０は一次冷却材システム３１１に流体的に接続され、一つまたは複数のポンプ３５０が、一次冷却材／炉心部回路を通して溶融燃料塩３０８を流すようになっていてよい。一つまたは複数のポンプ３５０は、溶融燃料塩３０８に適用可能な任意の冷却材／燃料ポンプを含んでよい。例えば、一つまたは複数のポンプ３５０として、一次冷却材ループ３１３に流体的に接続された一つまたは複数の機械的ポンプが挙げられるが、これらに限定されるものではない。他の例として、一つまたは複数のポンプ３５０として、一次冷却材ループ３１３に流体的に接続された一つまたは複数の電磁的（ＥＭ）および／または機械的ポンプが挙げられるが、これらに限定されるものではない。
【００７４】
別の実施では、ＭＣＦＲシステム３００は、一次冷却材システム３１１と一つまたは複数の熱交換器３５４を介して熱的に接続された二次冷却材システム３５２を備えている。二次冷却材システム３５２は、パイプ３５８からできた一つまたは複数の二次冷却材ループ３５６を有してよい。二次冷却材システム３５２は、溶融燃料塩の状況における実施に適した任意の二次冷却材システム構成を有してよい。二次冷却材システム３５２は、一つまたは複数の二次冷却材ループ３５６の一つまたは複数のパイプ３５８および／または流体運搬アセンブリを通して二次冷却材を循環させ、それによって、炉心部３０２で発生し一次熱交換器３５４を介して受け取った熱を、下流にある熱駆動電気発生装置およびシステムへと運んでよい。単純化のため、図３には、二次冷却材ループ３６０を一つだけ示す。しかしながら、二次冷却材システム３５２は複数の並行二次冷却材ループ（例えば、２〜５個の並行ループ）を有してよく、ループのそれぞれが、二次冷却材回路を通して、二次冷却材の選ばれた部分を運んでよい。なお、二次冷却材としては、溶融燃料塩の状況における実施に適した任意の二次冷却材が挙げられる。例として、二次冷却材として液体ナトリウムが挙げられるが、これに限定されるものではない。また、図３には示していないが、ＭＣＦＲシステム３００は任意の数の補助または中間冷却材システムおよび／または熱運搬回路を備えてよい。
【００７５】
ＭＣＦＲシステム３００において、金属塩化物のようなさまざまな金属塩を用いることで、時間とともに腐食および／または放射線劣化が生じるかもしれない。ＭＣＦＲシステム３００の塩と面するさまざまな部品（例えば、炉心部３０２、一次冷却パイプ３１５、熱交換器３５４など）の完全性に対する腐食および／または放射線劣化の影響を和らげるために、さまざまな手段を用いてよい。一つの実施では、塩と面するさまざまな部品の被覆として貴金属を用いることで、そのような部品に対する腐食の影響を和らげることができる。一つの実施では、ナトリウムに露出した表面にモリブデンの被覆を用いることで、そのような表面に対する腐食の影響を和らげることができる。別の実施では、溶融燃料塩を、腐食性が低い酸化還元（化学的還元酸化）状態に（例えば、溶融燃料塩交換によって）保ってよい。ある種の添加物を用いて、そのような部品に対する溶融燃料塩の腐食的影響を和らげてもよい。
【００７６】
図４は、原子炉の溶融燃料塩を親燃料塩と周期的に交換することで制御される溶融塩原子炉において、炉心のモデル化されたｋｅｆｆ値（曲線４０２）と重金属（ＨＭ）燃料の燃焼度の総パーセント（曲線４０４）の、時間に対するグラフ４００を示す。図２に関連して記載したように、原子炉の溶融燃料塩を親燃料塩と周期的に交換することで、溶融塩原子炉において反応度を制限し、進行中の増殖燃焼反応を維持してよい。別の実施では、溶融燃料塩交換アセンブリが、溶融塩原子炉に、親物質（例えば、劣化ウラン）を装荷した塩を、核分裂性物質が溶融塩原子炉で燃焼する速度に合う速度で供給してよい。これは、図５に関連して論じられる。または、核分裂性燃料が除去されるときとは違う速度および／または時間で、親物質を添加してよい。
【００７７】
図５は、原子炉燃焼速度に合う速度で劣化ウランが供給されるモデル化溶融塩原子炉における、ｋｅｆｆ（曲線５０２）対時間のグラフ５００を示す。この実施では、交換アセンブリは、溶融塩原子炉からの除去対象としてランタニドを特に対象とはせず、あるいは特に対象とする必要はなく、むしろ、溶融塩原子炉内の溶融燃料塩を大量に除去することでランタニドを除去している。除去された物質としては、ランタニド、他の核分裂生成物、核分裂性物質、親物質、および／または担体塩が挙げられるが、これらに限定されるものではない。図５に示すように、溶融塩原子炉は、増殖し、かつ約１０年から１５年でｋｅｆｆのピークである約１．０３に到達する。その後、アクチニドのインベントリ（核分裂性物質を含む）としての反応度が減少する一方、核分裂生成物のインベントリが増大するにつれて、溶融塩原子炉は反応度を失う。そのような構成により、２０年以上にわたる運転が可能になり、最初に原子炉に装荷されその後、溶融塩原子炉の使用期間のあいだ当該溶融塩原子炉に供給される重金属燃料の３６％超が燃焼しうる。用いうるｋｅｆｆの範囲の例として、下限閾値１．０、上限閾値１．０３５により定まるノミナルの反応度範囲の一例が挙げられるが、これに限定されるものではない。ｋｅｆｆの範囲の他の例として、下限閾値１．００１、上限閾値１．００５により定まるノミナルの反応度範囲の他の例が挙げられるが、これに限定されるものではない。ノミナルの反応度範囲のさらに他の例は、１．０のすぐ上から約１．０１までの範囲である。他のノミナルの範囲および閾値を用いてもよい。さらに、他の制御システムを用いてもよく、その例として、制御棒、制御ドラム、減速材などが挙げられるが、これらに限定されない。
【００７８】
図６は、供給物質を加えずランタニドを除去しない溶融塩原子炉における、ｋｅｆｆを時間の関数として記したグラフ６００を示す。曲線６０２は、希ガスや貴金属／準貴金属のような廃棄物核分裂生成物が炉心部３０２から除去された場合におけるｋｅｆｆを示す。そのような曲線６０２から分かることは、計算によれば、達成可能な燃焼度が３０％であり、耐用年数が約９年である。曲線６０４は、炉心部３０２から何も除去されない場合におけるｋｅｆｆを示す。そのような曲線６０４から分かることは、計算によれば、達成可能な燃焼度が１０％であり、耐用年数が約３年である。
【００７９】
図７は、溶融燃料塩交換アセンブリ７０１を備えた代替例のＭＣＦＲシステム７００を示す。一次冷却材システムは、一次冷却材７４０が、炉心部７０２（例えば、主容器の中心）の原子炉容器７４２内を循環する溶融燃料塩を含むよう構成されている。この点で、溶融燃料塩は一次冷却材回路の一部として炉心部７０２から流出するのではなく、むしろ、溶融燃料塩が一次冷却材として炉心部７０２を通って流れる。この実施では、ＭＣＦＲシステム７００は、炉心部７０２用の一時冷却材回路内に一つまたは複数の熱交換器７４６を備えてよく、溶融燃料塩が一次冷却材７４０として一つまたは複数の熱交換器７４６を通って流れ、炉心部７０２を通って流れ、炉心部７０２からは流出することなく、一つまたは複数の熱交換器７４６を通って、一次冷却材回路の一部として戻るようになっている。したがって、炉心部７０２からの熱は、溶融燃料塩から一つまたは複数の熱交換器７４６を通って二次冷却材システム（図示せず）へ運ばれる。
【００８０】
図７において、溶融燃料塩交換アセンブリ７０１は炉心部７０２（または例示的なＭＣＦＲシステム７００の他の部分）と動作可能に接続されており、選択された体積の溶融燃料塩７０８を選択された体積および組成の供給物質７１０と周期的に交換するよう構成されている。この点において、溶融燃料塩交換アセンブリ７０１は、例示的なＭＣＦＲシステム７００内の溶融燃料塩７０８の反応度および／または組成を制御できる。一つの実施では、炉心部７０２から除去された溶融燃料塩７０８（貯蔵部７１８内の除去済溶融燃料７１２として図示）は少なくともいくらかの核分裂性物質を含み、一方、供給物質７１０は少なくともいくらかの親物質を含む。別の実施では、除去済溶融燃料７１２は、一つまたは複数の核分裂生成物を含みうる廃棄物を含む。例えば、除去済溶融燃料７１２は、溶融燃料塩７０８内での核分裂により発生した一つまたは複数のランタニドを含んでよいが、これらに限定されない。さらに別の実施では、除去済溶融燃料７１２は、核分裂可能な物質（例えば、ＵＣｌ４）や一つまたは複数の核分裂生成物（例えば、一つまたは複数のランタニドおよび／または担体塩（例えば、ＮａＣｌ））を含んでよいが、これらに限定されない。溶融燃料塩交換は周期的と記載したが、そのような交換はバッチ式でも、連続式でも、あるいは半連続式（例えば、滴下）でも行ってよく、周期的でも、散発的でも、あるいはある燃料交換と次回の燃料交換とでタイミングを変えてもよい。
【００８１】
図７に示す例示的な実施では、溶融燃料塩交換アセンブリ７０１（「溶融燃料塩交換システム」）は、使用済燃料運搬ユニット７１６と供給燃料補給ユニット７１４を備えている。溶融燃料塩交換アセンブリ７０１は、図３の溶融燃料塩交換アセンブリ３０１と同じまたは類似の要素を備え、図３の溶融燃料塩交換アセンブリ３０１と同じくまたは同様に動作してよい。ただし、代替的な構造や動作も用いてよい。図７に示すように、交換コントローラ７２８は一つまたは複数の能動的な流体制御素子を制御して、供給物質源７１７から貯蔵部７１８への供給物質３１０の流れと、炉心部７０２から貯蔵部７１８への使用済燃料塩７１２の流れを制御してよい。
【００８２】
炉心部７０２内の溶融燃料塩７０８が増殖し、親物質が核分裂性物質へ変換されると、溶融燃料塩交換アセンブリ７０１は、溶融燃料塩７０８のいくらかを除去して、供給物質源７１７内の除去済溶融燃料７１２とし、除去済溶融燃料７１２を少なくともいくらかの親物質を含む供給物質７１０と交換する。別の実施では、除去済溶融燃料７１２は、一つまたは複数の核分裂生成物を含む。したがって、溶融燃料塩交換アセンブリ７０１は、核分裂性燃料だけでなくランタニドおよび他の中性子吸収材も除去し、例示的なＭＣＦＲシステム７００内の溶融燃料塩３０８の反応度の制御機構として機能し、当該溶融燃料塩の寿命を延ばす装置として機能してよい。燃料交換の制御面での利点により、溶融燃料塩３０８の反応度を臨界状態（例えば、ぎりぎりの臨界状態）に戻すことができ、また、中性子吸収材および／または減速材を除去することで原子炉の効率性を上げることもできる。このように、一つの実施では、例示的なＭＣＦＲシステム７００の溶融燃料塩交換アセンブリ７０１は、さらなる濃縮を加えることなしに、例示的なＭＣＦＲシステム７００の無制限な運転を可能にする。なお、溶融燃料塩交換は、原子炉の運転中および／またはメンテナンス停止期間中に行われてよい。
【００８３】
供給物質７１０の溶融燃料塩としては、劣化ウラン、天然ウラン、トリウム、あるいは使用済核燃料の少なくとも一つを含む塩のような、一つまたは複数の親燃料塩が挙げられるが、これらに限定されるものではない。例えば、塩化物ベースの燃料の場合、一つまたは複数の親燃料塩は、劣化ウラン、天然ウラン、トリウム、あるいは使用済核燃料の少なくとも一つを含む塩化物を含んでよい。さらに、供給物質７１０の溶融燃料塩として、担体塩（例えば、ＮａＣｌ。ただし、他の担体塩を用いてもよい）と混合した一つまたは複数の親燃料塩が挙げられるが、これに限定されるものではない。
【００８４】
図８は、ＵＣｌ３−ＵＣｌ４−ＮａＣｌ（モル％）の例示的な三元状態図８００を示す。一つの実施では、ＭＣＦＲシステムは、モデル化されたように、さまざまな塩化ナトリウムおよび塩化ウラン要素からなる塩混合物を用いる。そのような組成の一例は、図８の三元状態図８００に示すように、ＮＡＣＬ、ＵＣＬ３、および／またはＵＣＬ４の一つまたは複数の要素を含んでよい。影付き領域８０２は、５００℃の融点のエンベロープの広がりを示す。多数の燃料塩組成が検討され、純増殖燃焼反応（net breed and burn behavior）が可能なことが示されてきた。最終的な組成の選択は、酸化状態／腐食、溶融性、粘着性、原子炉のサイズを含むさまざまな要素に応じてなされる。
【００８５】
モデル化により、三元状態図８００中で、ＭＣＦＲの実施に用いるのに適した融点を持つ、異なる特定の塩を調べた。そうした特定の塩としては、８２ＵＣｌ４−１８ＵＣｌ３、１７ＵＣｌ３−７１ＵＣｌ４−１２ＮａＣｌ、５０ＵＣｌ４−５０ＮａＣｌが挙げられるが、これらに限定されるものではない。モデル化の結果は、そのような燃料塩の実施は増殖および燃焼動作を維持し、ここに記載する原子炉の実施に用いることができることを示している。
【００８６】
上記したように、三元状態図８００は、ＵＣｌ３−ＵＣｌ４−ＮａＣｌの任意の混合物の予想される融点を示す。とりわけ興味深いのは、約５００℃未満の溶融温度を持つ混合物である。こうした混合物を、三元状態図８００の影付き領域８０２に示す。共融点８０４は、３３８℃の溶融温度と、１７ＵＣｌ３−４０.５ＵＣｌ４−４２.５ＮａＣｌ（つまり、１７モル％ＵＣＬ３、４０.５モル％ＵＣＬ４、および４２.５モル％ＮａＣｌ）の組成を有する。影付き領域８０２は、５００℃の融点エンベロープを示す。この影付き領域８０２の右端に移動すると、例示的な実施８０６である１７ＵＣｌ３−７１ＵＣｌ４−１２ＮａＣｌが得られる。しかし、影付き領域８０２の融点エンベロープ内では、５００℃未満の融点を有するさまざまな燃料塩混合物として、多くの組成が可能であることを理解されたい。さらに、溶融温度制限を５０８℃までわずかに拡張する場合、３４ＵＣｌ３−６６ＮａＣｌの組成がＵＣｌ４のない選択肢を与える。同様に、三元状態図８００により、具体的なＵＣｌ３−ＵＣｌ４−ＮａＣｌ燃料塩の実施の範囲を、約８００℃から３３８℃のあいだの任意の融点限界について特定することができる。例えば、融点が３００から５５０℃のあいだ、３３８から５００℃のあいだ、３３８から４５０℃のあいだの三成分塩を容易に特定できる。組成の変化を検知する方法としては、以下の方法が挙げられるが、これらに限定されるものではない。
１）酸化還元（化学的還元酸化）の測定
２）オンラインでのサンプルのグロー放電質量分析
３）炉心の反応度の変化
４）ＧＤＭＳ（glass discharge mass spectroscopy）を含むオフラインでのサンプル分析
５）ガンマ分光法
上記混合物の具体的な組成は、ＵＣｌ４、ＵＣｌ３、またはＮａＣｌの二つまたはそれ以上を含む任意の組成であり、それにより生じるウラン含有レベルおよび溶融温度が所望のレベルを達成するようにしてよい。非限定的な例として、対応する溶融温度が３３０から８００℃のあいだになるように具体的な組成を選択してよい。他の非限定的な例として、全体のウラン含有レベルが６１重量％以上であるように具体的な組成を選択してよい。全体のウラン含有レベルを選択するのに加えて、選択された量の核分裂ウラン（親ウランとは反対に）を満たすよう、燃料組成を決定してもよい。例えば、溶融燃料塩の具体的な組成を、溶融燃料塩のＵ−２３５含有量が２０％未満になるように選択してよい。
【００８７】
以下の説明では、特定の実施について述べるが、以下の説明は、クレームされた発明の範囲を以下に記載する実施のみに限定するものではなく、むしろ、ＮａＣｌ以外の金属塩化物を有する任意の実施と同様、図８から特定しうる任意の実施が検討される。追加の、非核分裂性金属塩化物の例としては、ＮａＣｌ、ＭｇＣｌ２、ＣａＣｌ２、ＢａＣｌ２、ＫＣｌ、ＳｒＣｌ２、ＶＣｌ３、ＣｒＣｌ３、ＴｉＣｌ４、ＺｒＣｌ４、ＴｈＣｌ４、ＡｃＣｌ３、ＮｐＣｌ４、ＰｕＣｌ３、ＡｍＣｌ３、ＬａＣｌ３、ＣｅＣｌ３、ＰｒＣｌ３および／またはＮｄＣｌ３が挙げられる。
【００８８】
液体燃料は、固体燃料に比べて、熱が燃料冷却材内部で「生まれる」点で固有の利点を有している。固体燃料は、（１）燃料素子の外表面に熱を導き、（２）被覆を通して熱を導き（物理的な間隔を越えさせたり接着物質を通したりすることを含む）、（３）被覆表面から一次冷却材へ熱を対流伝達させ、（４）炉心の外へ熱を移流させる。これに比べて、液体燃料は、ステップ（４）において好ましい熱移動を示し、燃料塩／一次冷却材を炉心から一次熱交換器へと運び出す。さらに、検討中の液体塩は、同様の温度での液体ナトリウムの二倍近くの体積熱容量を有する。
【００８９】
溶融燃料塩によって提供される他の主要な利点は、強い負の温度係数である（熱い塩は冷たい塩よりも反応度が低い）。その結果、過熱に至る過渡事象（例えば、ヒートシンクの消失）は、燃料塩が広まることにより重大度に歯止めがかかる。例えば、溶融塩化物高速原子炉（ＭＣＦＲ）では、選択された塩化物組成が６００℃から８００℃へ熱せられると、その密度は１２％より大きく下がり、ドップラー効果によって提供されるよりも約５０倍（５０×）という強い負の反応度フィードバックを提供する。
【００９０】
一塩化物、三塩化物、四塩化物の数について同様の比率を有する燃料塩も、同様なふるまいを見せる。溶融塩化物高速原子炉の炉心部内の酸化状態は、例えば、付着している塩素分子の数によって分類される分子の比として定義してよい。炉心部の酸化状態は、炉心部内の選択された量の燃料塩を同様の量の補給塩（makeup salt）または供給物質と交換することで制御でき、供給物質の組成は、炉心部の酸化状態を目標とする酸化状態に向かわせるように設計されている。一つの実施では、供給物質は選択された親物質と担体塩の混合物を含む。
【００９１】
一つの実施では、炉心部内の燃料塩は初期には酸化状態にあり、大部分は一塩化物、三塩化物、および四塩化物からなっている。この初期の燃料塩組成（選択された体積の燃料塩を除去し供給物質を添加する前）は、初期燃料塩ベクトル（ｆ）で表現され、下付き文字ｘが燃料塩の各分子に存在する塩化物イオンの数を表わす。２個、５個、および６個の塩化物原子を有する分子は、炉心部内にごく少量しか存在しえないので、無視しうる。溶融塩化物燃料のバルク特性は、一塩化物、三塩化物、および四塩化物によって決定される（式（１）を参照のこと。式（１）は、溶融塩化物燃料が一塩化物（ｆ１）、三塩化物（ｆ３）、および四塩化物（ｆ４）によって決定される単純な燃料塩ベクトルを示す）。したがって、目標とする塩混合物がＰｂＣｌ２−ＵＣｌ３−ＵＣｌ４（またはＰｕＣｌ２−ＵＣｌ３−ＵＣｌ４）である場合、二塩化物、三塩化物、四塩化物を調節する。註解であるが、上記燃料塩ベクトルは、他の塩化物やフッ化塩に一般化してもよい。したがって、同様の制御手法をフッ化塩に適用してよい。その場合、下付き文字ｘは、燃料塩の各分子中のフッ化物イオンの数を表わす。
【００９２】
【数１】
2018506047.tif 000003
【００９３】
したがって、初期燃料塩ベクトル（ｆ）を、方程式（１）で与えられる単純化燃料塩ベクトルで表してよい。
【００９４】
選択された体積（ｒ）の初期燃料塩を一定時間かけて（一回の大容量のバッチとして、あるいは一組のまたは一連の小さなバッチとして、あるいは連続したまたは部分的に連続した流れとして）除去することにより、方程式（２）に示す調整燃料塩ベクトル（ｆ’）が生じる。これは、選択された体積の初期燃料塩を除去したあと、原子炉内に残っている燃料塩を表わしている。なお、上記選択された体積は、上記一定時間の始点で原子炉内に存在する初期燃料塩の量に正規化されている（例えば、特定のＭＣＦＲシステムに対して年約１％）。
【００９５】
【数２】
2018506047.tif 000004
【００９６】
目標燃料塩ベクトル（ｔ）によって表わされる原子炉内の目標燃料塩組成を、選択された体積および組成の供給物質（供給燃料塩ベクトル（ｍ）によって表わされる）を加えることにより、調整済燃料組成（調整済燃料組成（ｆ’））から特定の酸化状態および／または化学量論を達成するよう設定してよい。この関係は、方程式（３）および（４）で表され、上記式において（ｒ）〜Ｃ＊（ｆ）である。
【００９７】
【数３】
2018506047.tif 000005
【００９８】
【数４】
2018506047.tif 000006
【００９９】
代替的な表記法として、この関係は方程式（５）と（６）によって表わされる。
【０１００】
【数５】
2018506047.tif 000007
【０１０１】
【数６】
2018506047.tif 000008
【０１０２】
方程式（３）〜（６）を与えられると、目標の酸化状態および／または化学量論を達成するために原子炉に加えるべき供給物質の体積および組成を決定しうる（例えば、（ｍ））。各分子の種類ごとに、補給燃料塩ベクトル（ｍｘ）を方程式（７）で表してよい。式中、下付き文字ｘは燃料塩の各分子中のフッ化物イオンの数を表し、Ｃは所与の期間内に除去された正規化量を表わす。
【０１０３】
【数７】
2018506047.tif 000009
【０１０４】
核分裂原子炉は、一定の出力で運転するために、過剰反応度がゼロ、またはほとんどゼロで運転する。上記の溶融塩原子炉の諸実施の反応度は、原子炉内の溶融燃料塩の酸化状態を制御することに加えて、燃料塩を供給物質とその場で交換することによっても調整できる。
【０１０５】
燃焼溶融塩原子炉では、核分裂性物質が燃焼するので、反応度は時間とともに減少する傾向にある。したがって、供給物質は、濃縮ウランまたは再処理超ウランのような、核分裂性物質が豊富な高反応度燃料塩をかなりの量、含むよう設計されている。増殖溶融塩原子炉では、核分裂性物質は、核分裂反応によって消費されるよりも早く、生成される。そのため、反応度は時間とともに増大する傾向にある。したがって、供給物質は、天然ウラン、劣化ウラン、使用済核燃料、またはトリウムのような、親物質が豊富な低反応度燃料塩を含むよう設計されている。供給物質が原子炉心に導入される速度は、反応度を一定の設計範囲内に保つように選択される。そのような一定の設計範囲とは、例えば、ノミナルの反応度（例えば、１に等しい、または１よりわずかに大きいｋｅｆｆ、反応度の上限閾値、および／または反応度の下限閾値）である。
【０１０６】
図９は、溶融燃料塩交換プロセスの例示的な諸動作９００を示す。システム提供動作（system provisioning operation）９０２は、溶融塩化物高速原子炉（これは溶融塩原子炉の一例である）に溶融燃料塩交換システムを提供する。モニタリング動作９０４は、溶融燃料塩の交換状態をモニタする。例えば、一つまたは複数の反応度パラメータセンサが、溶融塩化物高速原子炉内の反応度をモニタしてよく、および／または化学組成センサ（例えばラマン分光法）が溶融塩化物高速原子炉内の溶融燃料塩の組成をモニタしてよい。一つの実施では、モニタリングはラマン分光法を用いてリアルタイムで行ってよい。ラマン分光法は、サンプルの特定および定量化に用いることのできる分子振動に関する情報を提供する。この技術は、サンプルを単色光源（例えば、レーザ）で照らし、散乱光を検出する工程を含む。いくらかの量の燃料を原子炉心から（例えば側流を介して）除去し、モニタリングセルを通過させてよい。モニタリングセルは、分光法を実行する「窓」を備えている。ラマン窓物質の例としては、石英ガラス、溶融シリカ、サファイア、ダイアモンド、およびある種のガラスが挙げられる。原子炉およびモニタリングシステムの運転パラメータを満たす限り、任意の物質を用いてよい。モニタされた反応度、組成、または他の何らかの運転パラメータが溶融燃料塩交換イベントをトリガするように交換条件を設定してよい。
【０１０７】
交換条件が満たされなかった場合、決定動作９０６は、処理をモニタリング動作９０４に戻す。交換条件が満たされた場合、決定動作９０６は処理を除去動作９０８へ進める。除去動作９０８は、選択された体積の溶融燃料塩を溶融塩化物高速原子炉から除去する。交換動作９１０は、除去された体積の溶融燃料塩と交換に、選択された体積および／または組成の供給物質を、溶融塩化物高速原子炉へ入れる。処理はモニタリング動作９０４へ戻る。
【０１０８】
図１０は、体積押しのけ素子アセンブリ１００２を備える溶融塩原子炉１０００を示す。体積押しのけシステムは、溶融燃料塩制御システムの一種を表わす。一つの実施では、体積押しのけアセンブリ１００２は、溶融燃料塩１００６を含む炉心部１００４と動作可能に接続されている。体積押しのけアセンブリ１００２は、ある量の溶融燃料塩１００６を選択的に押しのけるよう構成されている。この点で、体積押しのけアセンブリ１００２は、溶融燃料塩１００６内の反応度を制御するためにある量の燃料塩１０８を押しのけてよい。体積押しのけ素子アセンブリ１００２は、溶融燃料塩１００６の体積を制御し、この制御によって炉心部１００４（例えば炉心部の中央領域）で押しのけられた核分裂性物質の体積を制御することで、溶融塩原子炉１０００の反応度を制御してよい。非限定的な例として、炉心部１００４が過剰反応度を有する場合、十分な体積（例えば、０．１から１０．０ｍ３）の溶融燃料塩１００６を体積押しのけアセンブリ１００２で押しのけて、反応度が反応度下限閾値（例えば、臨界レベルまたは半臨界レベル）に低下するようにしてよい。なお、溶融塩原子炉１０００において、複数の体積押しのけアセンブリをさまざまな構成で用いてよいと理解されたい。
【０１０９】
一つの実施では、体積押しのけアセンブリ１００２は、体積押しのけ素子１０１０、アクチュエータ１０１２、アクチュエータコントローラ２０６を備える。一つの実施では、体積押しのけ素子１０１０は、非中性子吸収物質からできている。この点に関して、体積押しのけ素子１０１０は、中性子吸収プロセスによってではなく、溶融燃料塩１００６（および核分裂性物質）の体積測定流体押しのけによって、溶融塩原子炉１０００の反応度を制御する。なお、非中性子吸収物質を用いることは、溶融塩原子炉１０００においてとりわけ有利である。これは、炉心部１００４に中性子吸収物質を用いることで生じるかもしれない、反応度への大きな影響を、非中性子吸収物質を用いることで避けることができるからである。溶融塩の体積測定流体押しのけに基づいて動作する非中性子吸収体積押しのけ素子は、中性子吸収制御素子に比べて、より繊細な反応度制御を行うことができる。
【０１１０】
しかしながら、体積押しのけ素子１０１０（例えば押しのけ棒）は、任意の非中性子吸収物質から作ってよい。ただし、そのような素子において、中性子吸収および／または減速物質を追加的あるいは代替的に用いてもよい。したがって、体積押しのけ素子１０１０は、中性子透過物質または中性子反射物質を代わりに含んでもよい。例えば、体積押しのけ素子１０１０は、ジルコニウム、鋼、鉄、黒鉛、ベリリウム、モリブデン、鉛、タングステン、ホウ素、カドミウム、一つまたは複数のモリブデン合金（例えばＴＺＭ合金）、一つまたは複数のタングステン合金（例えばタングステンカーバイド）、一つまたは複数のタンタル合金、一つまたは複数のニオビウム合金、一つまたは複数のレニウム合金、一つまたは複数のニッケル合金、炭化珪素などから作られてよいが、必ずしもそうである必要はない。そのような実施では、体積押しのけ素子１０１０は、燃料の体積測定流体押しのけおよび中性子の吸収を通して、反応度を制限してよい。
【０１１１】
一つの実施では、体積押しのけ素子１０１０は、図１０に示すように棒１０１６を有している。例えば、体積押しのけ素子１０１０は、非中空棒または中空棒を有している。ここで、押しのけ棒１０１６は、任意の種類の棒形状であってよい。例えば、体積押しのけアセンブリ１０１０の押しのけ棒は、円筒形状、正四角柱または四角柱形状、三角柱形状、多角柱形状などであってよい。別の実施では、体積押しのけ素子１０１０は一組の棒を有してよい（図示せず）。例えば、一組の棒は一列に配置してもよいし、スポーク形状に配置してもよい。
【０１１２】
一つの実施では、アクチュエータ１０１２が体積押しのけ素子１０１０に動作可能に接続され、それによってアクチュエータ１０１２は体積押しのけ素子１０１２を選択的に平行移動させてよい。アクチュエータ１０１２は任意の作動装置であってよい。例えば、アクチュエータ１０１２としては、押しのけ棒駆動機構が挙げられるが、これに限定されるものではない。一つの実施では、アクチュエータ１０１２は、体積押しのけ素子１０１０を二方向に駆動するよう構成されている。この点に関して、アクチュエータ１０１２は、求めに応じて、体積押しのけ素子１０１０を炉心部１００４に入れたり炉心部１００４から出したりするよう駆動してよい。別の実施では、アクチュエータ１０１２は、第一停止地点と第二停止地点のあいだの一つまたは複数の中間地点で体積押しのけ素子１０１０の駆動を停止するよう構成されている。この点に関して、アクチュエータ１０１２は体積押しのけ素子１０１０を選択された方向（例えば軸方向）に沿って平行移動させ、体積押しのけ素子１０１０を選択された量だけ炉心部１００４の溶融燃料塩１００６内に挿入してよい。例えば、棒形状の体積押しのけ素子１０１０の場合は、アクチュエータ１０１２は、溶融燃料塩１００６に挿入される棒形状の体積押しのけ素子１０１０の長さＬを制御することにより、体積押しのけ素子１０１０を選択された体積だけ挿入させてよい。
【０１１３】
体積押しのけアセンブリ１００２は、炉心部１００４内の溶融燃料塩１００６の反応度を求められただけ減少させるのに必要な、炉心部１００４内の任意の体積の溶融燃料塩１００６を押しのけてよい。非限定的な例として、炉心部１００４内の溶融燃料塩１００６の体積は、特定の燃料設計（fuel formulation）および溶融塩原子炉１０００の運転の状況に応じて、１０から１００ｍ３の範囲内であってよい。この設定では、一立方メートルのほんの一部の押しのけ体積だけで、炉心部１００４内の反応度を大きく減少させるのに十分な体積測定塩押しのけとなり得て、いくつかの場合では、原子炉を停止しうる。例えば、境界制御（marginal control）または非停止運転では、体積押しのけ素子１０１０によって与えられる押しのけ体積としては、０．１から１０ｍ３のあいだの押しのけ体積が挙げられるが、これに限定されるものではない。
【０１１４】
一つの実施では、図１０に示すように、体積押しのけアセンブリ１０１０は、体積押しのけ素子１０１０を、炉心部１００４の中央領域に挿入してよい。その際、アクチュエータ１０１２は、図１０に示すように、体積押しのけ素子１０１０を炉心部１００４の軸方向に沿って平行移動させてよい。図１０に示すような回転対称の炉心部だと、体積押しのけ素子１０１０に関連させる価値のある最大の反応度は、体積押しのけ素子１０１０を炉心部１００４の断面中央に位置させることで実現できる。中央に位置した体積押しのけ素子１０１０は、本開示の溶融塩原子炉１０００を限定するものではなく、例示的な目的のためにのみ示されている。さらに、図１０では押しのけ素子１０１０は単独の素子として示されているが、押しのけ素子は複数の挿入可能な素子を含んでよい。これら複数の素子は、炉心部内へ一列になって出入りさせることで、あるいは個別に動かしたり制御したりすることで、反応度、燃料流、局所温度などを管理してよい。
【０１１５】
別の実施では、アクチュエータコントローラ１０１４は、選択的にアクチュエータ１０１２に命じて、選択された体積の体積押しのけ素子１０１０を、選択された距離だけ、炉心部１００４内に含まれる、ある量の溶融燃料塩１００６の中へ挿入するよう構成されている。例えば、アクチュエータコントローラ１０１４は、アクチュエータ１０１２に命じて、体積押しのけ素子１０１０が部分的にまたは完全に溶融燃料塩１００６の中に沈むよう、体積押しのけ素子１０１０を平行移動させてよい。アクチュエータコントローラ１０１４は、アクチュエータ１０１２に通信可能に接続されている。例えば、アクチュエータコントローラ１０１４は、有線接続（例えば電気ケーブルまたは光ファイバ）あるいは無線接続（例えばＲＦ送信または光送信）で、アクチュエータ１０１２と通信可能に接続されてよい。
【０１１６】
一つの実施では、アクチュエータコントローラ１０１２は、オペレータから体積押しのけ作動命令を受け取るよう構成されたオペレータインタフェースを備えている。この点に関して、オペレータは体積押しのけ素子１０１０の作動状態の制御を選択的に命じてよい。別の実施では、アクチュエーションコントローラ１０１４は、以下に記載するように、溶融塩原子炉１０００の一つまたは複数の検知されたあるいはモニタされたパラメータに応じて、体積押しのけ素子１０１０の作動を自動的に命じてよい。
【０１１７】
別の実施では、溶融塩原子炉１０００は反応度パラメータセンサ１０３０を備える。反応度パラメータセンサ１０３０は、溶融塩原子炉１０００の溶融燃料塩１００６の反応度または反応度の変化を示す一つまたは複数のパラメータを測定またはモニタできる任意の一つまたは複数のセンサを含む。例えば、反応度パラメータセンサ１０３０としては、中性子フルエンス、中性子束、中性子核分裂、核分裂生成物、放射性崩壊イベント、温度、圧力、出力、アイソトープ濃度、燃焼度および／または中性子スペクトルの一つまたは複数を検知および／またはモニタできる任意の一つまたは複数のセンサを挙げられるが、これらに限定されるものではない。
【０１１８】
一つの実施では、反応度パラメータセンサ１０３０は、核分裂検出器を含む。例えば、反応度パラメータセンサ１０３０としてマイクロポケット核分裂検出器が挙げられるが、これに限定されるものではない。別の実施では、反応度パラメータセンサ１０３０は中性子束モニタを含む。例えば、反応度パラメータセンサ１０３０として核分裂チャンバまたはイオンチャンバが挙げられるが、これらに限定されるものではない。別の実施では、反応度パラメータセンサ１０３０は中性子フルエンスセンサを含んでいる。例えば、反応度パラメータセンサ１０３０として統合ダイアモンドセンサ（integrating diamond sensor）が挙げられるが、これに限定されない。別の実施では、反応度パラメータセンサ１０３０は核分裂生成物センサを含む。例えば、反応度パラメータセンサ１０３０として、気体検出器、β検出器、またはγ検出器が挙げられるが、これらに限定されるものではない。別の実施では、反応度パラメータセンサ１０３０は核分裂生成物気体中のアイソトープの種類の比を測定するよう構成された核分裂生成物検出器を含む。
【０１１９】
別の実施では、反応度パラメータセンサ１０３０は温度センサを含む。別の実施では、反応度パラメータセンサ１０３０は圧力センサを含む。他の例では、反応度パラメータセンサ１０３０は出力センサを含む。例えば、反応度パラメータセンサ１０３０として出力範囲核計測器が挙げられるが、これに限定されるものではない。
【０１２０】
別の実施では、反応度は、測定された反応度パラメータ（上述）のうち一つまたは複数を用いて決定される。一つの実施では、炉心部１００４の反応度は、ルックアップテーブルを用いてアクチュエータコントローラ１０１２によって決められる。例えば、温度、圧力、出力レベルなどの測定値を一つまたは複数のルックアップテーブルとともに用いて炉心部１００４の反応度を決定してよい。別の実施では、炉心部１００４の反応度は、一つまたは複数のモデルを用いてアクチュエータコントローラ１０１４によって決められる。例えば、一つまたは複数のモデルとして、アクチュエータコントローラ１０１４の一つまたは複数のプロセッサによって実行されるニュートロニクスモデリングソフトウェアパッケージが挙げられるが、これに限定されるものではない。例えば、適当なニュートロニクスソフトウェアパッケージとして、ＭＣＮＰ、ＣＩＮＤＥＲ、ＲＥＢＵＳなどが挙げられるが、これらに限定されるものではない。別の実施では、反応度パラメータは、オペレータによって決められ、オペレータインタフェースを介してアクチュエータコントローラ１０１４に直接入力されてよい。
【０１２１】
ここで、反応度パラメータセンサ１０３０は、溶融塩原子炉１０００の炉心部１００４の溶融燃料塩１００６内に位置するものとして述べられたが、この構成は本実施を限定するものではなく、例示目的のため提供されているに過ぎない。むしろ、一つまたは複数の反応度パラメータセンサ１０３０を、溶融塩原子炉１０００のさまざまな場所に位置させてよい。そうした場所としては、炉心部内の場所、炉心部１００４の外部の場所（例えば、炉心部１００４の外表面の場所）、一次冷却材システムの一本または複数本のパイプの中またはそれに沿った場所、一次熱交換器の中または近くの場所、二次冷却材システムの一本または複数本のパイプの中またはそれに沿った場所などが挙げられるが、これらに限定されるものではない。
【０１２２】
別の実施では、一つまたは複数の反応度パラメータセンサ１０３０は、アクチュエータコントローラ１０１４と通信可能に接続されている。一つまたは複数の反応度パラメータセンサ１０３０は、アクチュエータコントローラ１０１４と通信可能に接続されている。例えば、上記一つまたは複数の反応度パラメータセンサ１０３０は、有線接続（例えば、電気ケーブルまたは光ファイバ）または無線接続（例えば、ＲＦ送信または光送信）を介してアクチュエータコントローラ１０１４と通信可能に接続されてよい。
【０１２３】
一つの実施では、アクチュエーションコントローラ１０１４は、アクチュエータ１０１２に命じて、測定された反応度パラメータに基づいて、体積押しのけ素子１０１０の位置（の調節により、溶融燃料塩１００６の反応度）を調節させる。
【０１２４】
一つの実施では、アクチュエーションコントローラ１０１４は、一つまたは複数のプロセシングユニットとメモリを備える。一つの実施では、メモリは、体積押しのけアセンブリ１０１０の一つまたは複数の動作ステップを実行するよう構成された一組または複数組のプログラム命令を保存している。一つの実施では、アクチュエーションコントローラ１０１４の一つまたは複数のプログラム命令により、アクチュエータコントローラ１０１４が、アクチュエータ１０１２に命じて、体積押しのけアセンブリ１０１０を駆動して炉心部１００４に入れさせ、炉心部１００４内の選択された体積の溶融燃料塩１００６を押しのけてよい。
【０１２５】
別の実施では、一つまたは複数のプログラム命令は、炉心部１００４の決定された反応度を、炉心部１００４の測定された反応度を補うのに必要な押しのけ量と関連させるよう構成されている。例えば、上記したように、反応度パラメータセンサ１０３０は、反応度炉心部１００４内の溶融燃料塩１００６と関連する反応度パラメータを取得してよい。反応度パラメータが選択された許容レベルよりも大きな反応度を示している場合、アクチュエータコントローラ１０１４は、上昇した反応度を補償する押しのけ量を決定し、アクチュエータ１０１２に命じて、少なくともこのレベルの体積測定塩押しのけを達成するのに十分なだけ体積押しのけ素子１０１０を挿入させてよい。別の実施では、原子炉の完全な停止が求められる場合、アクチュエータコントローラ１０１４は、アクチュエータ１０１２に命じて、体積押しのけ素子１０１０全体を炉心部１００４に挿入させ、最大の体積測定塩押しのけを行わせてよい。
【０１２６】
図１１は、体積押しのけ素子アセンブリ１１０２と、溶融燃料塩溢出システム１１３０とを備え、体積押しのけ素子１１１０が溶融燃料塩の中に沈んでいない状態にある、溶融塩原子炉１１００を示す。一つの実施では、溶融燃料塩溢出システム１１３０は、一つまたは複数の燃料塩取り込み口１１３２と一つまたは複数の溢出貯蔵部１１３４とを備える。いくつかの場合では、体積押しのけ素子１１１０による溶融燃料塩１１０６の体積押しのけは、燃料塩の水平面を望ましい水平面より上にあげてしまうかもしれない。一つの実施では、図１２に示すように、溶融燃料塩溢出システム１１３０は、炉心部１１０４の許容充填水平面上限より上に押しのけられた溶融燃料塩１１０６を運ぶように構成されている。非限定的な例として、燃料塩取り込み口１１３２は、ノミナルの燃料塩水平面より約１０ｃｍ上方に配置してよい。この点に関して、体積押しのけ素子１１１０が動作しているとき、いくつかの場合では、体積押しのけ素子１１１０は、溶融燃料塩の水平面を通常の塩の水平面より上に上げるかもしれない。燃料塩取り込み口１１３２に達した溶融塩は、それから、溢出貯蔵部１１３４へ運ばれる。溶融塩原子炉１１００内部で、複数の体積押しのけアセンブリをさまざまな構成で用いてよい。
【０１２７】
図１２は、体積押しのけ素子アセンブリ１２０２と、溶融燃料塩溢出システム１２３０とを備え、体積押しのけ素子１２１０が溶融燃料塩の中に沈んでいる状態にある、溶融塩原子炉１２００を示す。図１２に示す溶融燃料塩溢出システム１２３０は、体積押しのけ素子アセンブリ１２０２と体積押しのけ素子１２１０との相互関係で示されているが、これは溶融燃料塩溢出システム１２３０の要件ではない。この点に関して、本開示の溶融燃料塩溢出システム１２３０は、体積押しのけアセンブリ１２０２と体積押しのけ素子１２０２とを含まない環境で実施してよい。一つの実施では、溶融燃料塩１２０６の熱膨張を補うために、溶融燃料塩溢出システム１２３０を実施してよい。非限定的な例として、燃料塩取り込み口１２３２が通常の塩の水平面の上方１０ｃｍに位置している場合、燃料塩１０８の温度がわずか５０℃上がるだけで、溶融燃料塩１２０６は燃料塩取り込み口１２３２に達しうる。他の非限定的な例として、溶融燃料塩１２０６の温度が約２００℃上がると、溶融燃料塩１２０６は燃料塩取り込み口１２３２を通って溢出し、１から５ｍ３の燃料塩が一つまたは複数の溢出貯蔵部１２３４に溢出しうる。溢出した燃料塩１２３６を、一つまたは複数の溢出貯蔵部１２３４の中に示す。
【０１２８】
ここで、溶融燃料塩１２０６の非常に低い過剰反応度と強い熱的フィードバックとの組み合わせにより、ほとんど受動的な運転が可能になるかもしれない。この意味で、押しのけ素子１２１０の使用は限定してよい。原子炉プラントのタービン（図示せず）に対する要求が変化すると、一次冷却材ループと関連する温度がわずかに変化する。したがって、今度は、溶融燃料塩１２０６の温度が変化する。その結果、溶融燃料塩１２０６は新しい平均温度を有することで、新しい平均密度を有し、溶融燃料塩１２０６の流体水平面を上げるか下げる。
【０１２９】
非限定的な例として、電力の要求が増大するときは、タービンの蒸気は低下した温度で流出する。その結果、原子炉システム全体の温度が下がり、溶融燃料塩１２０６の温度が下がり、密度が上がる。この密度の増加が反応度の上昇を引き起こす。さらに、溶融燃料塩１２０６の流体水平面が下がる一方、上昇した反応度は溶融塩原子炉１２００の出力を上昇させる。これにより、タービンへの増大の要求が満たされる。今度は、出力の上昇により溶融燃料塩１２０６の温度が上昇し、溶融燃料塩１２０６の流体水平面がもとの水平面に（あるいはその近くに）戻る。
【０１３０】
さらに、以下のことが考えられる。ヒートシンクまたはタービントリップが消失した場合、溶融塩原子炉１２００全体の温度が上昇する。溶融燃料塩１２０６の温度が上昇した結果、溶融燃料塩１２０６の密度が下がり、溶融燃料塩１２０６の反応度が下がる。密度の低下により流体水平面が上昇し、いくつかの例（例えば、＋５０℃の温度上昇）では、溶融燃料塩１２０６の流体水平面は燃料塩取り込み口２０８の水平面に達する。そのような流体水平面の上昇により、続いて、いくらかの量の溶融燃料塩１２０６が一つまたは複数の溢出貯蔵部１２３４へと溢出しうる。これが、炉心部１２０４内での反応度をさらに低下させる役割を果たす。その結果、溶融塩原子炉１２００は半臨界状態となり、冷却してもその状態を維持しうる。別の実施では、溶融燃料塩溢出システム１２３０は、戻り経路（例えば、一本または複数本のパイプ、一つまたは複数のポンプ、一つまたは複数の弁）を有してよい。戻り経路において、一つまたは複数の溢出貯蔵部１２３４に保存された燃料塩は当該一つまたは複数の溢出貯蔵部１２３４から積極的に排出され、炉心部１２０４に戻って、臨界状態を再び達成する。
【０１３１】
別の実施では、通常運転中、押しのけ素子１２１０を用いて反応度／密度／温度の変化を制御または生じさせるだけでなく、上記プロセスを早めてもよい。また、押しのけ素子１２１０に対してさまざまな構造面での修正を行って、制御性能を高め、溶融燃料塩の乱流が炉心部１２０４内の押しのけ素子１２１０の配置および安定性に対して持つ影響を管理してよいことも理解されたい。そのような構造面での修正としては、押しのけ素子１２１０の形状やサイズや数を変えることや、動的に形状が変化する特徴を押しのけ素子１２１０にもたせることや、押しのけ素子１２１０にバッフルおよび／またはノズルをもたせることや、押しのけ素子１２１０に他の流れを邪魔しない特徴をもたせることが挙げられるが、これらに限定されるものではない。炉心部１２０４内部で、複数の体積押しのけアセンブリをさまざまな構成で用いてよい。
【０１３２】
図１３は、燃料押しのけサイクル１３００のさまざまな例示的なステージを示す。ステージ１３０２において、押しのけ素子１３０１は、棒入口１３０５を通して挿入された中空または非中空の押しのけ棒１３０３と、押しのけ棒１３０３および棒入口１３０５双方の幅より広い幅ｗを持つとともに炉心部１３１１の高さｙより低い高さｈを持つ押しのけ本体１３０７とを有している。その結果、押しのけの最大体積は、炉心部１３１１内で、押しのけ本体１３０７を、炉心部１３１１内の溶融燃料塩１３０９の所望の高さまで上げるまたは下げることによって、垂直に選択／位置決めすることができる。点線１３２０は、押しのけ素子がまだ溶融燃料塩１３０９の中まで下げられていなかったときの溶融燃料塩の水平面を示す。
【０１３３】
押しのけ棒１３０３および／または押しのけ本体１３０７は、非中性子吸収物質および中性子吸収物質を含むさまざまな物質から形成されてよいし、あるいはそのような物質で満たされてよい。
【０１３４】
ステージ１３０２では、押しのけ素子は溶融燃料塩の中へと部分的に下げられており、その結果、溶融燃料塩の水平面の上昇をもたらしている。それに続くステージ１３０４、１３０６、１３０８、１３１０、および１３１２では、押しのけ本体１３０７を溶融燃料塩１３０９の中に徐々に深く入れていき、その結果、溶融燃料塩１３０９の水平面はますます高くなる。ただし、そのような溶融燃料塩１３０９の水平面の上昇は、溢出システムによって緩和してもよい。ステージ１３１２は、完全に沈められた押しのけ本体１３０７を示す。
【０１３５】
炉心部内部の特定の場所において、ある量の溶融燃料塩１３０９を押しのけることで、炉心部１３１１の反応度を制御できる。押しのけ本体１３０７が溶融燃料塩１３０９内に完全に沈められたあとでさえ、炉心部１３１１内の垂直位置は、例示した諸実施において、反応度にさらに影響を与えることができる（例えば、押しのけ本体１３０７が低いほど、反応度に対する負の影響が増す）。図１４および関連する記載を参照されたい。
【０１３６】
炉心部１３１１内部で、複数の体積押しのけアセンブリをさまざまな構成で用いてよい。
【０１３７】
図１４は、燃料押しのけサイクル１４００の二つの例示的なステージ１４０２と１４０４を示す。ステージ１４０２では、押しのけ素子１４０１は、中空または非中空の押しのけ棒１４０３と、炉心部１４１１内の溶融燃料塩１４０９内に深く挿入された押しのけ本体１４０７とを有する。ステージ１４０４では、押しのけ本体１４０７は、炉心部１４１１内の溶融燃料塩１４０９への挿入深さが浅い。その結果、押しのけの最大体積は、炉心部１４１１内で、押しのけ本体１４０７を、炉心部１４１１内の溶融燃料塩１４０９の所望の高さまで上げるまたは下げることによって、垂直に選択／位置決めすることができる。押しのけ棒１４０３および／または押しのけ本体１４０７は、非中性子吸収物質および中性子吸収物質を含むさまざまな物質から形成されてよく、あるいはそのような物質で満たされてよい。したがって、一つの実施では、反応度の制御は、ステージ１４０２における方がステージ１４０４における方よりも負であると特徴付けてよい。これは、押しのけ本体１４０７が炉心部１４１１により深く挿入され、炉心部１４１１の入口領域でより多くの燃料を押し退けるからである。当該入口領域で、溶融燃料塩１４０９が循環サイクルごとに最初に活性核分裂反応領域に入る。
【０１３８】
炉心部１４１１内部で、複数の体積押しのけアセンブリをさまざまな構成で用いてよい。
【０１３９】
図１５は、溶融燃料塩押しのけプロセスの例示的な諸動作１５００を示す。システム提供動作（system provisioning operation）１５０２は、溶融塩化物高速原子炉（これは溶融塩原子炉の一例である）に溶融燃料塩交換システムを提供する。モニタリング動作１５０４は、溶融燃料塩の制御条件（例えば、ｋ-effectiveが、閾値（例えば、１．００５）を満たすか超える）をモニタする。例えば、一つまたは複数の反応度パラメータセンサが、溶融塩化物高速原子炉内の反応度をモニタしてよい。モニタされた反応度または他の何らかの運転パラメータが溶融燃料塩押しのけイベントをトリガするように制御条件を設定してよい。
【０１４０】
制御条件が満たされなかった場合、決定動作１５０６は処理をモニタリング動作１５０４に戻す。制御条件が満たされた場合、決定動作１５０６は処理を挿入動作１５０８へ進める。挿入動作１５０８は、押しのけ本体を炉心部内の溶融燃料塩に挿入する。配置動作１５１０が溶融塩化物高速原子炉の溶融燃料塩内に押しのけ本体を配置し、炉心部から選択された体積の溶融燃料塩を除去し、溶融塩化物高速原子炉における所望の反応度パラメータを得る。処理はモニタリング動作１５０４に戻る。
【０１４１】
一つの実施では、例示的な溶融塩原子炉は、溶融燃料塩によって燃料を供給される核分裂反応を含むよう構成された原子炉心を備える。溶融燃料塩制御システムが上記原子炉心に接続され、選択された体積の上記溶融燃料塩を上記原子炉心から除去して、上記溶融塩原子炉の反応度を示すパラメータを、ノミナルの反応度の選択された範囲内に保つよう構成されている。
【０１４２】
任意の上記原子炉の他の例示的な溶融塩原子炉は溶融燃料塩制御システムを備え、上記溶融燃料塩制御システムは溶融燃料塩交換システムを有しており、上記溶融燃料塩交換システムは、上記原子炉心と流体的に接続されており、選択された体積の上記溶融燃料塩を、選択された親物質と担体塩の混合物を含む選択された体積の供給物質と交換するよう構成されている。
【０１４３】
任意の上記原子炉の他の例示的な溶融塩原子炉は溶融燃料塩交換システムを備え、上記溶融燃料塩交換システムは、上記供給物質を上記原子炉心内に送るよう構成された供給燃料補給ユニットを有している。
【０１４４】
任意の上記原子炉の他の例示的な溶融塩原子炉は溶融燃料塩交換システムを備え、上記溶融燃料塩交換システムは、選択された体積の上記供給物質を上記原子炉心内に送るよう構成された供給燃料補給ユニットを有している。
【０１４５】
任意の上記原子炉の他の例示的な溶融塩原子炉は溶融燃料塩交換システムを備え、上記溶融燃料塩交換システムは、選択された組成の上記供給物質を上記原子炉心内に送るよう構成された供給燃料補給ユニットを有している。
【０１４６】
任意の上記原子炉の他の例示的な溶融塩原子炉は溶融燃料塩交換システムを備え、上記溶融燃料塩交換システムは、上記選択された体積の上記溶融燃料塩を使用済燃料として原子炉心から移すよう構成された使用済燃料運搬ユニットを有している。
【０１４７】
任意の上記原子炉の他の例示的な溶融塩原子炉は溶融燃料塩交換システムを備え、上記溶融燃料塩交換システムは、上記選択された体積の上記溶融燃料塩を上記原子炉心から移すのと、上記供給物質を上記原子炉心へ移すのを同時に行うよう構成されている。
【０１４８】
任意の上記原子炉の他の例示的な溶融塩原子炉は溶融燃料塩交換システムを備え、上記溶融燃料塩交換システムは、上記原子炉心内で、上記供給物質を上記選択された体積の上記溶融燃料塩と交換することにより、上記核分裂反応の反応度を制御する。
【０１４９】
任意の上記原子炉の他の例示的な溶融塩原子炉は溶融燃料塩交換システムを備え、上記溶融燃料塩交換システムは、上記原子炉心内で、上記供給物質を上記選択された体積の上記溶融燃料塩と交換することにより、上記核分裂反応における上記溶融燃料塩の組成を制御する。
【０１５０】
任意の上記原子炉の他の例示的な溶融塩原子炉は高速スペクトル核分裂原子炉を備え、上記溶融燃料塩は塩化物を含む。
【０１５１】
任意の上記原子炉の他の例示的な溶融塩原子炉は溶融燃料塩交換システムを備え、上記溶融燃料塩交換システムは、上記原子炉心内で、上記供給物質を上記選択された体積の上記溶融燃料塩と交換することにより、上記スペクトル核分裂反応におけるＵＣｌ３−ＵＣｌ４−ＮａＣｌの組成を制御する。
【０１５２】
任意の上記原子炉の他の例示的な溶融塩原子炉は溶融燃料塩交換システムを備え、上記溶融燃料塩交換システムは、選択された体積の上記溶融燃料塩を、選択された体積の上記供給物質と繰り返し交換して、上記溶融塩原子炉の反応度を示す上記パラメータを、ノミナルの反応度の選択された範囲内に長期にわたって保つよう構成されている。
【０１５３】
任意の上記原子炉の他の例示的な溶融塩原子炉は、上記原子炉心に近接して配置された反応度パラメータセンサをさらに備える。上記核パラメータセンサは、上記原子炉心の反応度を示す一つまたは複数のパラメータをモニタするよう構成されている。コントローラが、上記反応度パラメータセンサと通信可能に接続されて、上記原子炉心の反応度を示す上記一つまたは複数のパラメータを受け取る。上記コントローラは、上記選択された体積の上記溶融燃料塩と、選択された親物質と担体塩の混合物を含む上記選択された体積の供給物質との交換を、上記一つまたは複数のパラメータに基づいて制御するよう構成されている。
【０１５４】
任意の上記原子炉の他の例示的な溶融塩原子炉において、上記溶融燃料塩制御システムは体積押しのけ制御システム（volumetric displacement control system）をさらに有し、上記体積押しのけ制御システムは、上記原子炉心に挿入可能な一つまたは複数の体積押しのけアセンブリを有している。各体積押しのけアセンブリは、上記原子炉心に挿入されると、上記原子炉心から、選択された体積の溶融燃料塩を体積的に押しのける（volumetrically displace）よう構成されている。
【０１５５】
任意の上記原子炉の他の例示的な溶融塩原子炉において、上記溶融燃料塩制御システムは体積押しのけ制御システムをさらに有し、上記体積押しのけ制御システムは、上記原子炉心に挿入可能な一つまたは複数の体積押しのけ本体を有し、各体積押しのけ本体は、上記原子炉心に挿入されると、上記原子炉心から、選択された体積の溶融燃料塩を体積的に押しのけるよう構成されている。
【０１５６】
任意の上記原子炉の他の例示的な溶融塩原子炉において、上記溶融燃料塩制御システムは体積押しのけ制御システムをさらに有し、上記体積押しのけ制御システムは、上記原子炉心に挿入可能な一つまたは複数の体積押しのけ本体を有し、各体積押しのけ本体は、上記原子炉心に挿入されると、上記原子炉心から、選択された体積の溶融燃料塩を体積的に押しのけるよう構成され、上記体積押しのけ制御システムは、溶融燃料塩溢出システムをさらに有し、上記溶融燃料塩溢出システムは、上記体積押しのけ本体によって上記原子炉心の許容充填水平面より上に押しのけられた溶融燃料塩を運ぶよう構成されている。
【０１５７】
任意の上記原子炉の他の例示的な溶融塩原子炉において、上記溶融燃料塩制御システムは体積押しのけ制御システムをさらに有し、上記体積押しのけ制御システムは、上記原子炉心に挿入可能な一つまたは複数の体積押しのけ本体を有し、各体積押しのけ本体は、上記原子炉心に挿入されると、上記原子炉心から、選択された体積の溶融燃料塩を体積的に押しのけるよう構成され、上記体積押しのけ制御システムは複数の挿入深度で上記原子炉心に挿入されることで、上記溶融塩原子炉の反応度を示す上記パラメータを、ノミナルの反応度の選択された範囲内に長期にわたって保つことができる。
【０１５８】
他の溶融塩原子炉は、溶融燃料塩によって燃料を供給される核分裂反応を維持するよう構成された原子炉心と、選択された体積の上記溶融燃料塩を、選択された親物質と担体塩の混合物を含む選択された体積の供給物質と交換する手段と、を備える。
【０１５９】
他の溶融塩原子炉は、溶融燃料塩によって燃料を供給される核分裂反応を維持するよう構成された原子炉心と、選択された体積の上記溶融燃料塩を上記原子炉心から除去して、上記溶融塩原子炉の反応度を示すパラメータを、ノミナルの反応度の選択された範囲内に保つ手段と、を備える。
【０１６０】
例示的な方法は、原子炉心内で溶融燃料塩によって燃料を供給される核分裂反応を維持する工程と、上記溶融塩原子炉の反応度を示すパラメータをノミナルの反応度の選択された範囲内に保つように、選択された体積の上記溶融燃料塩を上記原子炉心から除去する工程と、を含む。
【０１６１】
任意の上記方法の他の例示的な方法は、上記選択された体積の上記溶融燃料塩を、選択された親物質と担体塩の混合物を含む選択された体積の供給物質と交換する工程をさらに含む。
【０１６２】
任意の上記方法の他の例示的な方法において、上記交換する工程は、上記供給物質を上記原子炉心内に運ぶ工程を含む。
【０１６３】
任意の上記方法の他の例示的な方法において、上記交換する工程は、選択された体積の上記供給物質を上記原子炉心内に運ぶ工程を含む。
【０１６４】
任意の上記方法の他の例示的な方法において、上記交換する工程は、選択された組成の上記供給物質を上記原子炉心内に運ぶ工程を含む。
【０１６５】
任意の上記方法の他の例示的な方法において、上記交換する工程は、上記選択された体積の上記供給物質に基づいて、上記原子炉心の上記反応度を制御する工程を含む。
【０１６６】
任意の上記方法の他の例示的な方法において、上記交換する工程は、上記選択された組成の上記供給物質に基づいて、上記原子炉心内で上記核分裂反応に燃料を供給する上記溶融燃料塩の組成を制御する工程を含む。
【０１６７】
任意の上記方法の他の例示的な方法において、上記交換する工程は、上記選択された組成の上記供給物質に基づいて、上記原子炉心内で上記核分裂反応に燃料を供給するＵＣｌ３−ＵＣｌ４−ＮａＣｌの組成を制御する工程を含む。
【０１６８】
任意の上記方法の他の例示的な方法において、上記方法は、上記溶融燃料塩の交換条件が満たされたことをモニタする工程と、上記選択された体積の上記溶融燃料塩と、選択された親物質と担体塩の混合物を含む上記選択された体積の供給物質との交換を、上記交換条件が満たされたことに応じて制御する工程と、をさらに含む。
【０１６９】
任意の上記方法の他の例示的な方法において、上記方法は、上記原子炉心の反応度を示す一つまたは複数の反応度パラメータをモニタする工程と、上記選択された体積の上記溶融燃料塩と、選択された親物質と担体塩の混合物を含む上記選択された体積の供給物質との交換を、上記一つまたは複数の反応度パラメータに基づいて制御する工程と、をさらに含む。
【０１７０】
任意の上記方法の他の例示的な方法において、上記方法は、上記原子炉心の上記溶融燃料塩の組成を示す一つまたは複数の組成パラメータをモニタする工程と、上記選択された体積の上記溶融燃料塩と、選択された親物質と担体塩の混合物を含む上記選択された体積の供給物質との交換を、上記一つまたは複数の組成パラメータに基づいて制御する工程と、をさらに含む。
【０１７１】
任意の上記方法の他の例示的な方法において、上記除去する工程は、一つまたは複数の体積押しのけ本体を上記原子炉心内の溶融燃料塩に挿入することで上記選択された体積の溶融燃料塩を上記原子炉心から体積的に押しのける工程を含む。
【０１７２】
任意の上記方法の他の例示的な方法において、上記除去する工程は、上記体積的に押しのけられた体積の溶融燃料塩が上記体積押しのけ本体によって上記原子炉心の許容充填水平面より上に押しのけられたとき、上記体積的に押しのけられた体積の溶融燃料塩を、上記原子炉心から、溶融燃料塩溢出システムを介して運ぶ工程を含む。
【０１７３】
任意の上記方法の他の例示的な方法において、各体積押しのけ本体は、上記原子炉心に挿入されると、上記原子炉心から、選択された体積の溶融燃料塩を体積的に押しのけるよう構成され、上記体積押しのけ制御システムは複数の挿入深度で上記原子炉心に挿入されることで、上記溶融塩原子炉の反応度を示す上記パラメータを、ノミナルの反応度の選択された範囲内に長期にわたって保つことができる 。
【０１７４】
例示的な高速スペクトル溶融塩原子炉は、燃料入口と燃料出口とを有する炉心部を備え、上記燃料入口と上記燃料出口は、溶融塩化物核燃料を上記炉心部を通して流すよう配置されている。上記溶融塩化物核燃料は、ＵＣｌ４と追加の塩化ウランまたは追加の金属塩化物の少なくとも一つとの混合物を含み、上記ＵＣｌ４と少なくとも一つの追加の金属塩化物との混合物は、ＵＣｌ４含有量がモル分率で５％より大きい。
【０１７５】
上述の任意の原子炉のうち別の例示的な高速スペクトル溶融塩原子炉では、上記ＵＣｌ４と少なくとも一つの追加の金属塩化物との混合物中のウラン濃度は６１重量％より大きい。
【０１７６】
上述の任意の原子炉のうち別の例示的な高速スペクトル溶融塩原子炉では、上記追加の塩化ウランはＵＣｌ３を含む。
【０１７７】
上述の任意の原子炉のうち別の例示的な高速スペクトル溶融塩原子炉では、上記ＵＣｌ４と追加の塩化ウランまたは追加の金属塩化物の少なくとも一つとの混合物は、８２ＵＣｌ４−１８ＵＣｌ３の組成を有している。
【０１７８】
上述の任意の原子炉のうち別の例示的な高速スペクトル溶融塩原子炉では、上記ＵＣｌ４と追加の塩化ウランまたは追加の金属塩化物の少なくとも一つとの混合物は、１７ＵＣｌ３-７１ＵＣｌ４−１２ＮａＣｌの組成を有している。
【０１７９】
上述の任意の原子炉のうち別の例示的な高速スペクトル溶融塩原子炉では、上記ＵＣｌ４と追加の塩化ウランまたは追加の金属塩化物の少なくとも一つとの混合物は、５０ＵＣｌ４−５０ＮａＣｌの組成を有している。
【０１８０】
上述の任意の原子炉のうち別の例示的な高速スペクトル溶融塩原子炉では、上記追加の金属塩化物はＮａＣｌ、ＭｇＣｌ２、ＣａＣｌ２、ＢａＣｌ２、ＫＣｌ、ＳｒＣｌ２、ＶＣｌ３、ＣｒＣｌ３、ＴｉＣｌ４、ＺｒＣｌ４、ＴｈＣｌ４、ＡｃＣｌ３、ＮｐＣｌ４、ＰｕＣｌ３、ＡｍＣｌ３、ＬａＣｌ３、ＣｅＣｌ３、ＰｒＣｌ３、ＮｄＣｌ３の少なくとも一つを含む。
【０１８１】
上述の任意の原子炉のうち別の例示的な高速スペクトル溶融塩原子炉では、上記ＵＣｌ４と追加の塩化ウランまたは追加の金属塩化物の少なくとも一つとの混合物は、追加の金属塩化物濃度が、上記追加の塩化物の沈殿濃度以下である。
【０１８２】
上述の任意の原子炉のうち別の例示的な高速スペクトル溶融塩原子炉では、上記ＵＣｌ４と追加の塩化ウランまたは追加の金属塩化物の少なくとも一つとの混合物は、溶融温度が８００℃未満である。
【０１８３】
上述の任意の原子炉のうち別の例示的な高速スペクトル溶融塩原子炉では、上記ＵＣｌ４と追加の塩化ウランまたは追加の金属塩化物の少なくとも一つとの混合物は、上記選択された溶融温度が３３０℃を超える。
【０１８４】
上述の任意の原子炉のうち別の例示的な高速スペクトル溶融塩原子炉では、ウラニウム・プルトニウムサイクルを有する溶融塩化物核燃料内で増殖燃焼反応が行われる。
【０１８５】
上述の任意の原子炉のうち別の例示的な高速スペクトル溶融塩原子炉では、上記燃料入口は炉心部の第一側面にあり、上記燃料出口は炉心部の上記燃料入口とは反対側にある第二側面にある。
【０１８６】
上述の任意の原子炉のうち別の例示的な高速スペクトル溶融塩原子炉では、上記溶融塩化物核燃料に面する少なくとも一つの表面上に保護層が配置されている。
【０１８７】
上述の任意の原子炉のうち別の例示的な高速スペクトル溶融塩原子炉では、上記溶融塩化物核に暴露されている上記少なくとも一つの面は、上記炉心部の内面を含む。
【０１８８】
上述の任意の原子炉のうち別の例示的な高速スペクトル溶融塩原子炉では、上記保護層は腐食または放射線の少なくとも一つに対して実質的に抵抗力がある。
【０１８９】
上述の任意の原子炉のうち別の例示的な高速スペクトル溶融塩原子炉では、上記保護層は耐熱合金、ニッケル合金、耐熱金属、または炭化ケイ素の少なくとも一つを含む。
【０１９０】
上述の任意の上記原子炉のうち別の例示的な高速スペクトル溶融塩原子炉は、上記炉心部から発する中性子の少なくとも一部を上記炉心部内の上記溶融塩化物核燃料へと反射して返す反射アセンブリを備え、上記反射アセンブリは複数の反射モジュールを有し、上記反射モジュールの少なくともいくつかは液体反射物質を含む。
【０１９１】
上述の任意の原子炉のうち別の例示的な高速スペクトル溶融塩原子炉では、上記反射モジュールの少なくとも一つはモリブデン合金、ニッケル合金、またはカーバイドからできている。
【０１９２】
上述の任意の原子炉のうち別の例示的な高速スペクトル溶融塩原子炉では、上記液体反射物質は、液体鉛または液体鉛ビスマスの少なくとも一つを含む。
【０１９３】
上述の任意の上記原子炉のうち別の例示的な高速スペクトル溶融塩原子炉は、上記炉心部と動作可能に接続された押しのけアセンブリを備え、上記押しのけアセンブリは、ある量の上記溶融塩核燃料を選択的に押しのけて上記溶融塩核燃料内の反応度を制御するよう構成されている。
【０１９４】
上述の任意の原子炉のうち別の例示的な高速スペクトル溶融塩原子炉では、上記押しのけアセンブリは、ある量の上記溶融塩核燃料を押しのけて上記溶融塩核燃料内の反応度を減少させるよう構成されている。
【０１９５】
上述の任意の原子炉のうち別の例示的な高速スペクトル溶融塩原子炉では、上記押しのけアセンブリは、押しのけ素子と、上記押しのけ素子と動作可能に接続されたアクチュエータと、コントローラとを備えている。上記コントローラは、上記アクチュエータに選択的に命じて、上記押しのけ素子の位置を制御させ、それによって上記炉心部に含まれる上記溶融塩核燃料の反応度を制御させるよう構成されている。
【０１９６】
上述の任意の原子炉のうち別の例示的な高速スペクトル溶融塩原子炉では、上記押しのけ素子は非中性子を実質的に吸収する物質からできている。
【０１９７】
上述の任意の原子炉のうち別の例示的な高速スペクトル溶融塩原子炉は、溶融塩運搬アセンブリを備える。
【０１９８】
上述の任意の原子炉のうち別の例示的な高速スペクトル溶融塩原子炉では、上記溶融塩運搬アセンブリは、上記炉心部と流体的に接続された溶融塩運搬ユニットを有し、上記溶融塩運搬ユニットは、選択された一部の上記溶融塩化物燃料を、上記高速スペクトル溶融塩原子炉の一部から貯蔵部へと運ぶよう構成されている。上記溶融塩運搬ユニットは、少なくともいくらかの親物質を含む供給物質を供給物質補給から上記高速スペクトル溶融塩原子炉の一部へと運ぶようにさらに構成されている。
【０１９９】
上述の任意の原子炉のうち別の例示的な高速スペクトル溶融塩原子炉では、上記供給物質の少なくともいくらかの親物質は少なくとも一つの親燃料塩を含む。
【０２００】
上述の任意の原子炉のうち別の例示的な高速スペクトル溶融塩原子炉では、上記少なくとも一つの親燃料塩は、劣化ウラン、天然ウラン、またはトリウムの少なくとも一つを含む塩を含む。
【０２０１】
上述の任意の原子炉のうち別の例示的な高速スペクトル溶融塩原子炉では、上記少なくとも一つの親燃料塩は、使用済核燃料に由来する少なくとも一つの金属を含む塩を含む。
【０２０２】
上述の任意の原子炉のうち別の例示的な高速スペクトル溶融塩原子炉は、上記溶融塩化物燃料に由来する少なくとも一つの核分裂生成物を除去するよう構成された核分裂生成物除去ユニットを備える。
【０２０３】
任意の上記原子炉の他の例示的な高速スペクトル溶融塩原子炉は、上記炉心部の上記入口および上記炉心部の上記出口と流体的に接続された一次冷却材ループを備える。
【０２０４】
上述の任意の原子炉の別の例示的な高速スペクトル溶融塩原子炉は、一次熱交換器と、二次冷却材ループとを備え、上記一次冷却材ループおよび上記二次冷却材ループは上記一次熱交換器を介して熱的に接続されている。
【０２０５】
上述の任意の原子炉の別の例示的な高速スペクトル溶融塩原子炉は、少なくとも一つのポンプを備え、上記少なくとも一つのポンプは、上記一次冷却材ループに沿って配置され、上記溶融塩化物核燃料を上記一次冷却材ループを介して循環させる。
【０２０６】
上述の任意の原子炉のうち別の例示的な高速スペクトル溶融塩原子炉では、上記少なくとも一つのポンプは、上記溶融塩化物核燃料を、上記一次冷却材ループを介して、選択された流速限界以下で循環させる。
【０２０７】
上述の任意の原子炉のうち別の例示的な高速スペクトル溶融塩原子炉は、一種または複数種の希ガスを上記溶融塩化物核燃料から除去するよう構成されたガス散布ユニットを備える。
【０２０８】
上述の任意の原子炉のうち別の例示的な高速スペクトル溶融塩原子炉は、貴金属または準貴金属の少なくとも一つを上記溶融塩核燃料から除去するよう構成されたフィルタユニットを備える。
【０２０９】
上述の高速スペクトル溶融塩原子炉に燃料を供給する例示的な方法は、ある量のＵＣｌ４を供給する工程と、追加の塩化ウランまたは追加の金属塩化物のうち少なくとも一つをある量供給する工程と、上記ある量のＵＣｌ４を追加の塩化ウランまたは追加の金属塩化物のうち上記少なくとも一つの上記ある量と混合して、ＵＣｌ４含有量がモル分率で５％より大きい溶融塩化物核燃料を作る工程と、上記ＵＣｌ４含有量がモル分率で５％より大きい溶融塩化物核燃料を上記高速スペクトル溶融塩原子炉の少なくとも一つの炉心部に供給する工程と、を含む。
【０２１０】
上述の任意の方法のうち別の例示的方法は、ＵＣｌ３のある量を供給することにより、追加の塩化ウランまたは追加の金属塩化物のうち少なくとも一つのある量を供給する工程を含む。
【０２１１】
上述の任意の方法のうち別の例示的方法は、ＮａＣｌ、ＭｇＣｌ２、ＣａＣｌ２、ＢａＣｌ２、ＫＣｌ、ＳｒＣｌ２、ＶＣｌ３、ＣｒＣｌ３、ＴｉＣｌ４、ＺｒＣｌ４、ＴｈＣｌ４、ＡｃＣｌ３、ＮｐＣｌ４、ＰｕＣｌ３、ＡｍＣｌ３、ＬａＣｌ３、ＣｅＣｌ３、ＰｒＣｌ３、またはＮｄＣｌ３のうち少なくとも一つのある量を供給することにより、追加の塩化ウランまたは追加の金属塩化物のうち少なくとも一つのある量を供給する工程を含む。
【０２１２】
上述の任意の方法のうち別の例示的方法では、上記ある量のＵＣｌ４を追加の塩化ウランまたは追加の金属塩化物のうち上記少なくとも一つの上記ある量と混合して、ＵＣｌ４含有量がモル分率で５％より大きい溶融塩化物核燃料を作る上記工程は、上記ある量のＵＣｌ４を追加の塩化ウランまたは追加の金属塩化物のうち上記少なくとも一つの上記ある量と混合して、ＵＣｌ４含有量がモル分率で５％より大きく溶融温度が３３０および８００℃のあいだの溶融塩化物核燃料を作ることによって行われる。
【０２１３】
上述の任意の方法のうち別の例示的方法では、上記ある量のＵＣｌ４を追加の塩化ウランまたは追加の金属塩化物のうち上記少なくとも一つの上記ある量と混合して、ＵＣｌ４含有量がモル分率で５％より大きい溶融塩化物核燃料を作る上記工程は、上記ある量のUCl4を追加の塩化ウランまたは追加の金属塩化物のうち上記少なくとも一つの上記ある量と混合して、８２ＵＣｌ４−１８ＵＣｌ３の組成を有する溶融塩化物核燃料を作ることによって行われる。
【０２１４】
上述の任意の方法のうち別の例示的方法では、上記ある量のＵＣｌ４を追加の塩化ウランまたは追加の金属塩化物のうち上記少なくとも一つの上記ある量と混合して、ＵＣｌ４含有量がモル分率で５％より大きい溶融塩化物核燃料を作る上記工程は、上記ある量のＵＣｌ４を追加の塩化ウランまたは追加の金属塩化物のうち上記少なくとも一つの上記ある量と混合して、１７ＵＣｌ３−７１ＵＣｌ４−１２ＮａＣｌの組成を有する溶融塩化物核燃料を作ることによって行われる。
【０２１５】
上述の任意の方法のうち別の例示的方法では、上記ある量のＵＣｌ４を追加の塩化ウランまたは追加の金属塩化物のうち上記少なくとも一つの上記ある量と混合して、ＵＣｌ４含有量がモル分率で５％より大きい溶融塩化物核燃料を作る上記工程は、上記ある量のＵＣｌ４を追加の塩化ウランまたは追加の金属塩化物のうち上記少なくとも一つの上記ある量と混合して、５０ＵＣｌ４−５０ＮａＣｌの組成を有する溶融塩化物核燃料を作ることによって行われる。
【０２１６】
上述の任意の方法のうち別の例示的方法では、上記ある量のＵＣｌ４を追加の塩化ウランまたは追加の金属塩化物のうち上記少なくとも一つの上記ある量と混合して、ＵＣｌ４含有量がモル分率で５％より大きい溶融塩化物核燃料を作る上記工程は、上記高速スペクトル溶融塩原子炉の内部で、上記ある量のＵＣｌ４を追加の塩化ウランまたは追加の金属塩化物のうち上記少なくとも一つの上記ある量と混合することにより行われる。
【０２１７】
上述の任意の方法のうち別の例示的方法では、上記ある量のＵＣｌ４を追加の塩化ウランまたは追加の金属塩化物のうち上記少なくとも一つの上記ある量と混合して、ＵＣｌ４含有量がモル分率で５％より大きい溶融塩化物核燃料を作る上記工程は、上記高速スペクトル溶融塩原子炉の外部で、上記ある量のＵＣｌ４を追加の塩化ウランまたは追加の金属塩化物のうち上記少なくとも一つの上記ある量と混合することにより行われる。
【０２１８】
高速スペクトル溶融塩原子炉で用いられる例示的な溶融塩化物燃料は、ある量のＵＣｌ４を供給する工程と、追加の塩化ウランまたは追加の金属塩化物のうち少なくとも一つをある量供給する工程と、上記ある量のＵＣｌ４を追加の塩化ウランまたは追加の金属塩化物のうち上記少なくとも一つの上記ある量と混合して、ＵＣｌ４含有量がモル分率で５％より大きい溶融塩化物核燃料を作る工程と、を含む方法により調製される。
【０２１９】
例示的な高速スペクトル溶融塩原子炉は、燃料入口と燃料出口とを有する炉心部を備える。上記燃料入口と上記燃料出口は、上記高速スペクトル溶融塩原子炉の始動時に、溶融塩核燃料と少なくとも一つのランタニドとの混合物を、上記炉心部を通して流すよう配置されている。
【０２２０】
上述の任意の原子炉のうち別の例示的な高速スペクトル溶融塩原子炉では、上記少なくとも一つのランタニドは、Ｌａ、Ｃｅ、ＰｒまたはＮｄのうち少なくとも一つを含む。
【０２２１】
上述の任意の原子炉のうち別の例示的な高速スペクトル溶融塩原子炉では、溶融塩核燃料と少なくとも一つのランタニドとの上記混合物は、上記溶融塩核燃料と少なくとも一つのランタニド塩化物とを混合することにより作られた、溶融塩核燃料と少なくとも一つのランタニドとの混合物を含む。
【０２２２】
上述の任意の原子炉のうち別の例示的な高速スペクトル溶融塩原子炉では、上記少なくとも一つのランタニド塩化物は、ＬａＣｌ３、ＣｅＣｌ３、ＰｒＣｌ３またはＮｄＣｌ３の少なくとも一つを含む。
【０２２３】
上述の任意の原子炉のうち別の例示的な高速スペクトル溶融塩原子炉では、溶融塩核燃料と少なくとも一つのランタニドとの上記混合物は、ランタニド濃度が０．１から１０重量％のあいだである、溶融塩核燃料と少なくとも一つのランタニドとの混合物を含む。
【０２２４】
上述の任意の原子炉のうち別の例示的な高速スペクトル溶融塩原子炉では、ランタニド濃度が０．１から１０重量％のあいだである、溶融塩核燃料と少なくとも一つのランタニドとの混合物は、ランタニド濃度が４から８重量％のあいだである、溶融塩核燃料と少なくとも一つのランタニドとの混合物を含む。
【０２２５】
上述の任意の原子炉のうち別の例示的な高速スペクトル溶融塩原子炉では、溶融塩核燃料と少なくとも一つのランタニドとの上記混合物は、上記高速スペクトル溶融塩原子炉の外部で作られる。
【０２２６】
上述の任意の原子炉のうち別の例示的な高速スペクトル溶融塩原子炉では、溶融塩核燃料と少なくとも一つのランタニドとの上記混合物は、上記高速スペクトル溶融塩原子炉の内部で作られる。
【０２２７】
上述の任意の原子炉のうち別の例示的な高速スペクトル溶融塩原子炉では、上記燃料入口と上記燃料出口は、上記高速スペクトル溶融塩原子炉の選択された反応度閾値に達する前に、溶融塩核燃料と少なくとも一つのランタニドとの上記混合物を上記炉心部を通して流すよう配置されている。
【０２２８】
上述の任意の原子炉のうち別の例示的な高速スペクトル溶融塩原子炉では、上記燃料入口と上記燃料出口は、上記高速スペクトル溶融塩原子炉の臨界に達する前に、溶融塩核燃料と少なくとも一つのランタニドとの混合物を上記炉心部を通して流すよう配置されている。
【０２２９】
上述の任意の原子炉のうち別の例示的な高速スペクトル溶融塩原子炉では、上記燃料入口と上記燃料出口は、上記高速スペクトル溶融塩原子炉で選択された体積のプルトニウムを生成する前に、溶融塩核燃料と少なくとも一つのランタニドとの混合物を上記炉心部を通して流すよう配置されている。
【０２３０】
上述の任意の原子炉のうち別の例示的な高速スペクトル溶融塩原子炉では、上記溶融塩核燃料は、第一の塩化ウラン、第二の塩化ウラン、または追加の金属塩化物のうち少なくとも二つからなる混合物を含む。
【０２３１】
上述の任意の原子炉のうち別の例示的な高速スペクトル溶融塩原子炉では、上記追加の金属塩化物は、ＮａＣｌ、ＭｇＣｌ２、ＣａＣｌ２、ＢａＣｌ２、ＫＣｌ、ＳｒＣｌ２、ＶＣｌ３、ＣｒＣｌ３、ＴｉＣｌ４、ＺｒＣｌ４、ＴｈＣｌ４、ＡｃＣｌ３、ＮｐＣｌ４、ＰｕＣｌ３またはＡｍＣｌ３のうち少なくとも一つを含む。
【０２３２】
上述の任意の原子炉のうち別の例示的な高速スペクトル溶融塩原子炉では、上記第一の塩化ウランと上記第二の塩化ウランとの少なくとも一つは、ＵＣｌ４またはＵＣｌ３の少なくとも一つを含む。
【０２３３】
上述の任意の原子炉のうち別の例示的な高速スペクトル溶融塩原子炉では、上記溶融塩核燃料は８２ＵＣｌ４−１８ＵＣｌ３の組成を有する。
【０２３４】
上述の任意の原子炉のうち別の例示的な高速スペクトル溶融塩原子炉では、上記溶融塩核燃料は１７ＵＣｌ３−７１ＵＣｌ４−１２ＮａＣｌの組成を有する。
【０２３５】
上述の任意の原子炉のうち別の例示的な高速スペクトル溶融塩原子炉では、上記溶融塩核燃料は５０ＵＣｌ４−５０ＮａＣｌの組成を有する。
【０２３６】
上述の任意の原子炉のうち別の例示的な高速スペクトル溶融塩原子炉では、上記溶融塩核燃料は３４ＵＣｌ３−６６ＮａＣｌの組成を有する。
【０２３７】
上述の任意の原子炉のうち別の例示的な高速スペクトル溶融塩原子炉では、少なくとも第一の塩化ウラン、第二の塩化ウラン、および追加の金属塩化物からなる上記混合物は、モル分率が少なくとも５％のＵＣｌ４を含む。
【０２３８】
上述の任意の原子炉のうち別の例示的な高速スペクトル溶融塩原子炉では、少なくとも第一の塩化ウラン、第二の塩化ウラン、および追加の金属塩化物からなる上記混合物は、ウラン濃度が６１重量％より大きい。
【０２３９】
上述の任意の原子炉のうち別の例示的な高速スペクトル溶融塩原子炉では、少なくとも第一の塩化ウラン、第二の塩化ウラン、および追加の金属塩化物からなる上記混合物は、融点が３３０℃から８００℃のあいだである。
【０２４０】
高速スペクトル溶融塩原子炉に燃料を供給する例示的な方法は、溶融塩核燃料を供給する工程と、少なくとも一つのランタニドを供給する工程と、を含む。高速スペクトル溶融塩原子炉の始動前に、上記溶融塩核燃料を上記少なくとも一つのランタニドと混合して、ランタニド装荷溶融塩核燃料を生成する。上記ランタニド装荷溶融塩核燃料を上記高速スペクトル溶融塩原子炉の少なくとも炉心部に供給する。
【０２４１】
任意の上記方法の他の例示的な方法は、溶融塩核燃料の供給を、第一の塩化ウラン、追加の塩化ウラン、および追加の金属塩化物のうち少なくとも二つからなる混合物を供給することにより行う。
【０２４２】
任意の上記方法の他の例示的な方法は、溶融塩核燃料の供給を、ＵＣｌ４、ＵＣｌ３、および追加の金属塩化物のうち少なくとも二つからなる混合物を供給することにより行う。
【０２４３】
任意の上記方法の他の例示的な方法では、上記付加的な金属塩化物は、ＮａＣｌ、ＭｇＣｌ２、ＣａＣｌ２、ＢａＣｌ２、ＫＣｌ、ＳｒＣｌ２、ＶＣｌ３、ＣｒＣｌ３、ＴｉＣｌ４、ＺｒＣｌ４、ＴｈＣｌ４、ＡｃＣｌ３、ＮｐＣｌ４、ＰｕＣｌ３またはＡｍＣｌ３のうち少なくとも一つを含む。
【０２４４】
任意の上記方法の他の例示的な方法は、溶融塩核燃料の供給を、モル分率で少なくとも５％のＵＣｌ４を含む溶融塩核燃料を供給することにより行う。
【０２４５】
任意の上記方法の他の例示的な方法は、溶融塩核燃料の供給を、６１重量％を超えるウラン濃度を有する溶融塩核燃料を供給することにより行う。
【０２４６】
任意の上記方法の他の例示的な方法は、溶融塩核燃料の供給を、融点が３３０℃から８００℃である溶融塩核燃料を供給することにより行う。
【０２４７】
任意の上記方法の他の例示的な方法は、少なくとも一つのランタニドの供給を、Ｌａ、Ｃｅ、ＰｒまたはＮｄのうち少なくとも一つを供給することにより行う。
【０２４８】
任意の上記方法の他の例示的な方法は、少なくとも一つのランタニドの供給を、少なくとも一つのランタニドをランタニド塩化物のかたちで供給することにより行う。
【０２４９】
任意の上記方法の他の例示的な方法は、少なくとも一つのランタニドのランタニド塩化物のかたちでの供給を、ＬａＣｌ３、ＣｅＣｌ３、ＰｒＣｌ３またはＮｄＣｌ３のうち少なくとも一つを供給することにより行う。
【０２５０】
任意の上記方法の他の例示的な方法は、上記溶融塩核燃料を上記少なくとも一つのランタニドと混合して、ランタニド装荷溶融塩核燃料を生成する工程を、上記溶融塩核燃料を上記少なくとも一つのランタニドと混合して、ランタニド濃度が０．１から１０重量％であるランタニド装荷溶融塩核燃料を生成することにより行う。
【０２５１】
任意の上記方法の他の例示的な方法は、上記溶融塩核燃料を上記少なくとも一つのランタニドと混合して、ランタニド濃度が０．１から１０重量％であるランタニド装荷溶融塩核燃料を生成する工程を、上記溶融塩核燃料を上記少なくとも一つのランタニドと混合して、ランタニド濃度が４から８重量％であるランタニド装荷溶融塩核燃料を生成することにより行う。
【０２５２】
任意の上記方法の他の例示的な方法は、上記溶融塩核燃料を上記少なくとも一つのランタニドと混合して、ランタニド装荷溶融塩核燃料を生成する工程を、上記高速スペクトル溶融塩原子炉の外部で、上記溶融塩核燃料を上記少なくとも一つのランタニドと混合することにより行う。
【０２５３】
任意の上記方法の他の例示的な方法は、上記溶融塩核燃料を上記少なくとも一つのランタニドと混合して、ランタニド装荷溶融塩核燃料を生成する工程を、上記高速スペクトル溶融塩原子炉の内部で、上記溶融塩核燃料を上記少なくとも一つのランタニドと混合することにより行う。
【０２５４】
任意の上記方法の他の例示的な方法は、上記高速スペクトル溶融塩原子炉の始動前に、上記溶融塩核燃料を上記少なくとも一つのランタニドと混合して、ランタニド装荷溶融塩核燃料を生成する工程を、上記高速スペクトル溶融塩原子炉の選択された反応度閾値に達する前に、上記溶融塩核燃料を上記少なくとも一つのランタニドと混合して、ランタニド装荷溶融塩核燃料を生成することにより行う。
【０２５５】
任意の上記方法の他の例示的な方法は、上記高速スペクトル溶融塩原子炉の始動前に、上記溶融塩核燃料を上記少なくとも一つのランタニドと混合して、ランタニド装荷溶融塩核燃料を生成する工程を、上記高速スペクトル溶融塩原子炉の臨界に達する前に、上記溶融塩核燃料を上記少なくとも一つのランタニドと混合して、ランタニド装荷溶融塩核燃料を生成することにより行う。
【０２５６】
任意の上記方法の他の例示的な方法は、上記高速スペクトル溶融塩原子炉の始動前に、上記溶融塩核燃料を上記少なくとも一つのランタニドと混合して、ランタニド装荷溶融塩核燃料を生成する工程を、上記高速スペクトル溶融塩原子炉で選択された体積のプルトニウムを生成する前に、上記溶融塩核燃料を上記少なくとも一つのランタニドと混合して、ランタニド装荷溶融塩核燃料を生成することにより行う。
【０２５７】
高速スペクトル溶融塩原子炉で用いられる例示的な溶融塩燃料は、溶融塩核燃料を供給する工程と、少なくとも一つのランタニドを供給する工程と、上記高速スペクトル溶融塩原子炉の始動前に、上記溶融塩核燃料を上記少なくとも一つのランタニドと混合して、ランタニド装荷溶融塩核燃料を生成する工程と、を含む方法により調製される。
【０２５８】
例示的な高速スペクトル溶融塩原子炉は、燃料入口と燃料出口とを有する炉心部を備える。上記燃料入口と上記燃料出口は、溶融塩核燃料を上記炉心部を通して流すよう配置されている。押しのけアセンブリが、上記炉心部に動作可能に接続されており、ある量の上記溶融塩核燃料を選択的に押しのけて上記溶融塩核燃料内部の反応度を制御する。
【０２５９】
上記の各クレームの他の例示的な高速スペクトル溶融塩原子炉において、上記押しのけアセンブリは、上記炉心部の中心領域である量の上記溶融塩核燃料を選択的に押しのけるよう構成されている。
【０２６０】
上記の各クレームの他の例示的な高速スペクトル溶融塩原子炉において、上記押しのけアセンブリは、ある量の上記溶融塩核燃料を押しのけて上記溶融塩核燃料の反応度を減少させるよう構成されている。
【０２６１】
上記の各クレームの他の例示的な高速スペクトル溶融塩原子炉において、上記押しのけアセンブリは、 押しのけ素子と、上記押しのけ素子と動作可能に接続されたアクチュエータと、コントローラとを備える。上記コントローラは、選択的に上記アクチュエータに命じて、上記押しのけ素子の位置を制御させ、それによって上記炉心部に含まれる上記溶融塩核燃料の反応度を制御させるよう構成されている。
【０２６２】
上記の各クレームの他の例示的な高速スペクトル溶融塩原子炉において、上記押しのけ素子と上記炉心部は、共通の軸を中心としている。
【０２６３】
上記の各クレームの他の例示的な高速スペクトル溶融塩原子炉において、上記アクチュエータは、上記押しのけ素子を駆動して上記炉心部内に入れ、それによって上記溶融塩核燃料の反応度を制御する。
【０２６４】
上記の各クレームの他の例示的な高速スペクトル溶融塩原子炉において、上記アクチュエータは、上記押しのけ素子を上記炉心から引っ込め、それによって上記溶融塩核燃料の反応度を上昇させる。
【０２６５】
上記の各クレームの他の例示的な高速スペクトル溶融塩原子炉は、上記溶融塩化物核燃料の少なくとも一つの反応度パラメータを検知するよう構成された反応度パラメータセンサを備え、上記反応度パラメータセンサは上記コントローラと通信可能に接続されている。
【０２６６】
上記の各クレームの他の例示的な高速スペクトル溶融塩原子炉において、上記反応度パラメータセンサは、核分裂検出器、中性子束モニタ、中性子フルエンスセンサ、核分裂生成物センサ、温度センサ、圧力センサ、または出力センサの少なくとも一つを含む。
【０２６７】
上記の各クレームの他の例示的な高速スペクトル溶融塩原子炉において、上記コントローラは、上記反応度パラメータセンサからの上記溶融塩化物核燃料の少なくとも一つの検知された反応度パラメータに応じて、上記アクチュエータに選択的に命じて、上記炉心部内の上記押しのけ素子の位置を制御させるよう構成されている。
【０２６８】
上記の各クレームの他の例示的な高速スペクトル溶融塩原子炉において、上記押しのけ素子は一本の押しのけ棒を含む。
【０２６９】
上記の各クレームの他の例示的な高速スペクトル溶融塩原子炉において、上記押しのけ素子は複数本の押しのけ棒を含む。
【０２７０】
上記の各クレームの他の例示的な高速スペクトル溶融塩原子炉において、上記押しのけ素子は非中性子を実質的に吸収する物質からできている。
【０２７１】
上記の各クレームの他の例示的な高速スペクトル溶融塩原子炉において、上記押しのけ素子は、中性子を実質的に透過する物質または中性子を実質的に反射する物質の少なくとも一つからできている。
【０２７２】
上記の各クレームの他の例示的な高速スペクトル溶融塩原子炉は、上記炉心部から過剰な溶融塩核燃料を運び出す溢出システムを備える。
【０２７３】
上記の各クレームの他の例示的な高速スペクトル溶融塩原子炉において、上記溢出システムは燃料塩取り込み口を有する。上記燃料塩取り込み口は、上記反応炉の選択された溶融塩核燃料充填水平面上限より上に位置し、上記炉心部から過剰な溶融塩核燃料を運び出すよう構成されている。少なくとも一つの流体輸送素子と溢出貯蔵部も含まれる。上記少なくとも一つの流体輸送素子は、上記燃料塩取り込み口と上記溢出貯蔵部とを流体的に接続する。上記溢出貯蔵部は、上記少なくとも一つの流体輸送素子から受け取った過剰な溶融塩核燃料を保存するよう構成されている。
【０２７４】
上記の各クレームの他の例示的な高速スペクトル溶融塩原子炉において、上記溶融塩核燃料は、第一の塩化ウラン、第二の塩化ウラン、または追加の金属塩化物のうち少なくとも二つからなる混合物を含む。
【０２７５】
上記の各クレームの他の例示的な高速スペクトル溶融塩原子炉において、上記追加の金属塩化物は、ＮａＣｌ、ＭｇＣｌ２、ＣａＣｌ２、ＢａＣｌ２、ＫＣｌ、ＳｒＣｌ２、ＶＣｌ３、ＣｒＣｌ３、ＴｉＣｌ４、ＺｒＣｌ４、ＴｈＣｌ４、ＡｃＣｌ３、ＮｐＣｌ４、ＰｕＣｌ３、ＡｍＣｌ３、ＬａＣｌ３、ＣｅＣｌ３、ＰｒＣｌ３またはＮｄＣｌ３のうち少なくとも一つを含む。
【０２７６】
上記の各クレームの他の例示的な高速スペクトル溶融塩原子炉において、上記第一の塩化ウランと上記第二の塩化ウランとの少なくとも一つは、ＵＣｌ４またはＵＣｌ３の少なくとも一つを含む。
【０２７７】
上記の各クレームの他の例示的な高速スペクトル溶融塩原子炉において、上記溶融塩核燃料は８２ＵＣｌ４−１８ＵＣｌ３の組成を有する。
【０２７８】
上記の各クレームの他の例示的な高速スペクトル溶融塩原子炉において、上記溶融塩核燃料は１７ＵＣｌ３−７１ＵＣｌ４−１２ＮａＣｌの組成を有する。
【０２７９】
上記の各クレームの他の例示的な高速スペクトル溶融塩原子炉において、上記溶融塩核燃料は５０ＵＣｌ４−５０ＮａＣｌの組成を有する。
【０２８０】
上記の各クレームの他の例示的な高速スペクトル溶融塩原子炉において、上記溶融塩核燃料は３４ＵＣｌ３−６６ＮａＣｌの組成を有する。
【０２８１】
上記の各クレームの他の例示的な高速スペクトル溶融塩原子炉において、少なくとも第一塩の化ウラン、第二の塩化ウラン、および追加の金属塩化物からなる上記混合物は、モル分率が少なくとも５％のＵＣｌ４を含む。
【０２８２】
上記の各クレームの他の例示的な高速スペクトル溶融塩原子炉において、少なくとも第一の塩化ウラン、第二の塩化ウラン、および追加の金属塩化物からなる上記混合物は、ウラン濃度が６１重量％より大きい。
【０２８３】
上記の各クレームの他の例示的な高速スペクトル溶融塩原子炉において、少なくとも第一の塩化ウラン、第二の塩化ウラン、および追加の金属塩化物からなる上記混合物は、融点が３３０℃から８００℃のあいだである。
【０２８４】
上記の各クレームの他の例示的な高速スペクトル溶融塩原子炉において、上記溶融塩核燃料は少なくとも一つのフッ化ウランと追加の金属フッ化物との混合物を含む。
【０２８５】
例示的な方法は、溶融塩原子炉の溶融塩核燃料の反応度パラメータを決定する工程と、上記溶融塩核燃料の上記反応度パラメータに応じて、選択された体積の上記溶融塩核燃料を少なくとも一つの押しのけ素子で押しのけて、上記溶融塩核燃料の上記反応度を制御する工程と、を含む。
【０２８６】
任意の上記方法の他の例示的な方法では、上記溶融塩原子炉の溶融塩核燃料の反応度パラメータを決定する工程は、上記溶融塩核燃料の中性子生成速度、中性子吸収速度、中性子束、中性子フルエンス、温度、圧力、出力、または核分裂生成物生成速度のうち少なくとも一つを得て、溶融塩原子炉の上記溶融塩核燃料の反応度パラメータを、中性子生成速度、中性子吸収速度、中性子束、中性子フルエンス、温度、圧力、出力、または核分裂生成物生成速度のうち上記少なくとも一つに基づいて決定することにより行われる。
【０２８７】
任意の上記方法の他の例示的な方法では、上記溶融核燃料の反応度パラメータに応じて、選択された体積の上記溶融塩核燃料を少なくとも一つの押しのけ素子で押しのけて、上記溶融塩核燃料の上記反応度を調節する工程は、上記溶融塩原子炉の過剰反応度を示す反応度パラメータに応じて、選択された体積の上記溶融塩核燃料を少なくとも一つの押しのけ素子で押しのけて、上記溶融塩原子炉の上記反応度を減少させることにより行われる。
【０２８８】
任意の上記方法の他の例示的な方法では、選択された体積の上記溶融塩核燃料を少なくとも一つの押しのけ素子で押しのける工程は、少なくとも一つの押しのけ素子の少なくとも一部を駆動して上記溶融塩核燃料の中に入れることにより、選択された体積の上記溶融塩核燃料を押しのけて、上記溶融塩原子炉の上記反応度を減少させることにより行われる。
【０２８９】
任意の上記方法の他の例示的な方法では、選択された体積の上記溶融塩核燃料を少なくとも一つの押しのけ素子で押しのける工程は、少なくとも一つの押しのけ素子の少なくとも一部を駆動して上記溶融塩核燃料から引っ込めることにより、選択された体積の上記溶融塩核燃料を押しのけて、上記溶融塩原子炉の上記反応性を増大させることにより行われる。
【０２９０】
任意の上記方法の他の例示的な方法では、少なくとも一つの押しのけ素子の少なくとも一部を駆動して上記溶融塩核燃料の中に入れることにより、選択された体積の上記溶融塩核燃料を押しのける工程は、少なくとも一つの押しのけ素子の選択された量を駆動して上記溶融塩核燃料の中に入れることにより、選択された体積の上記溶融塩核燃料を押しのけることにより行われ、上記選択された量は上記決定された反応度パラメータに基づく。
【０２９１】
任意の上記方法の他の例示的な方法では、少なくとも一つの押しのけ素子の少なくとも一部を駆動して上記溶融塩核燃料の中に入れることにより、選択された体積の上記溶融塩核燃料を押しのける工程は、上記溶融塩原子炉の炉心部内で、少なくとも一つの押しのけ素子の少なくとも一部を駆動して、ある量の上記溶融塩核燃料に入れることにより、選択された体積の上記溶融塩核燃料を押しのけることにより行われる。
【０２９２】
任意の上記方法の他の例示的な方法では、上記溶融塩原子炉の炉心部内で、少なくとも一つの押しのけ素子の少なくとも一部を駆動して、ある量の上記溶融塩核燃料に入れることにより、選択された体積の上記溶融塩核燃料を押しのける工程は、少なくとも一つの押しのけ素子の少なくとも一部を駆動して、ある量の上記溶融塩核燃料に、上記溶融塩原子炉の上記炉心部の中央領域において入れることにより、選択された体積の上記溶融塩核燃料を押しのけることにより行われる。
【０２９３】
任意の上記方法の他の例示的な方法では、選択された体積の上記溶融塩核燃料を少なくとも一つの押しのけ素子で押しのける工程は、選択された体積の上記溶融塩核燃料を少なくとも一本の押しのけ棒で押しのけることにより行われる。
【０２９４】
任意の上記方法の他の例示的な方法では、選択された体積の上記溶融塩核燃料を少なくとも一本の押しのけ棒で押しのける工程は、選択された体積の上記溶融塩核燃料を少なくとも一本の中空押しのけ棒で押しのけることにより行われる。
【０２９５】
任意の上記方法の他の例示的な方法では、選択された体積の上記溶融塩核燃料を少なくとも一本の押しのけ棒で押しのける工程は、選択された体積の上記溶融塩核燃料を少なくとも一本の非中空押しのけ棒で押しのけることにより行われる。
【０２９６】
任意の上記方法の他の例示的な方法では、選択された体積の上記溶融塩核燃料を少なくとも一本の押しのけ棒で押しのける工程は、選択された体積の上記溶融塩核燃料を複数本の押しのけ棒で押しのけることにより行われる。
【０２９７】
任意の上記方法の他の例示的な方法では、上記少なくとも一本の押しのけ棒は、鉛またはタングステンの少なくとも一つからできている。
【０２９８】
任意の上記方法の他の例示的な方法では、選択された体積の上記溶融塩核燃料を少なくとも一つの押しのけ素子で押しのける工程は、選択された体積の上記溶融塩核燃料を、非中性子を実質的に吸収する物質からできている少なくとも一本の押しのけ棒で押しのけることにより行われる。
【０２９９】
任意の上記方法の他の例示的な方法では、選択された体積の上記溶融塩核燃料を少なくとも一つの押しのけ素子で押しのける工程は、０．１から１０立方メートルの上記溶融塩核燃料を少なくとも一つの押しのけ素子で押しのけることによって行われる。
【０３００】
任意の上記方法の他の例示的な方法では、溶融塩原子炉の溶融塩核燃料の反応度パラメータを決定する工程は、第一の塩化ウラン、追加の塩化ウラン、または追加の金属塩化物のうち少なくとも二つからなる混合物を含む溶融塩核燃料の反応度パラメータを決定することにより行われる。
【０３０１】
任意の上記方法の他の例示的な方法では、第一の塩化ウラン、追加の塩化ウラン、または追加の金属塩化物のうち少なくとも二つからなる混合物を含む溶融塩核燃料の反応度パラメータを決定する工程は、第一の塩化ウラン、追加の塩化ウラン、または追加の金属塩化物のうち少なくとも二つからなる混合物、ＵＣｌ４、ＵＣｌ３、追加の金属塩化物のうち少なくとも二つからなる混合物を含む溶融塩核燃料の反応度パラメータを決定することにより行われる。
【０３０２】
任意の上記方法の他の例示的な方法では、上記追加の金属塩化物は、ＮａＣｌ、ＭｇＣｌ２、ＣａＣｌ２、ＢａＣｌ２、ＫＣｌ、ＳｒＣｌ２、ＶＣｌ３、ＣｒＣｌ３、ＴｉＣｌ４、ＺｒＣｌ４、ＴｈＣｌ４、ＡｃＣｌ３、ＮｐＣｌ４、ＰｕＣｌ３、ＡｍＣｌ３、ＬａＣｌ３、ＣｅＣｌ３、ＰｒＣｌ３またはＮｄＣｌ３のうち少なくとも一つを含む。
【０３０３】
任意の上記方法の他の例示的な方法では、溶融塩核燃料の反応度パラメータを決定する工程は、モル分率で少なくとも５％のＵＣｌ４を有する溶融塩核燃料の反応度パラメータを決定することによって行われる。
【０３０４】
任意の上記方法の他の例示的な方法では、溶融塩核燃料の反応度パラメータを決定する工程は、ウラン濃度が６１重量％を超える溶融塩核燃料の反応度パラメータを決定することによって行われる。
【０３０５】
任意の上記方法の他の例示的な方法では、溶融塩核燃料の反応度パラメータを決定する工程は、融点が３３０℃から８００℃のあいだである溶融塩核燃料の反応度パラメータを決定することによって行われる。
【０３０６】
例示的な高速スペクトル溶融塩原子炉は、燃料入口と燃料出口とを有する炉心部を備え、上記燃料入口と上記燃料出口とは、溶融塩核燃料を上記炉心部と溶融燃料塩交換アセンブリを通して流すよう配置されている。上記溶融燃料塩交換アセンブリは、上記炉心部と動作可能に接続され、選択された体積の上記溶融塩核燃料を選択された体積の供給物質と交換して、上記溶融塩原子炉の反応度を制御するよう構成されている。上記溶融塩核燃料は少なくともいくらかの核分裂性物質を含む。上記供給物質は少なくともいくらかの親物質を含む。
【０３０７】
上述の任意の原子炉のうち別の例示的な高速スペクトル溶融塩原子炉では、上記選択された体積の供給物質は、上記選択された体積の上記溶融塩核燃料と、体積がほとんど等しい。
【０３０８】
上述の任意の原子炉のうち別の例示的な高速スペクトル溶融塩原子炉では、上記交換かつ選択された体積の上記溶融塩核燃料は、少なくともいくらかの核分裂生成物を含む。
【０３０９】
上述の任意の原子炉のうち別の例示的な高速スペクトル溶融塩原子炉では、上記少なくともいくらかの核分裂生成物は一つまたは複数のランタニドを含む。
【０３１０】
上述の任意の原子炉のうち別の例示的な高速スペクトル溶融塩原子炉では、上記交換かつ選択された体積の上記溶融塩核燃料は担体塩を含む。
【０３１１】
上述の任意の原子炉のうち別の例示的な高速スペクトル溶融塩原子炉では、上記溶融燃料塩交換アセンブリは、使用済燃料運搬ユニットと、供給燃料補給ユニットとを備える。上記使用済燃料運搬ユニットは、上記炉心部と流体的に接続されており、選択された体積の上記溶融塩燃料を上記炉心部から貯蔵部へ運ぶよう構成されている。供給燃料補給ユニットは、上記炉心部と流体的に接続されており、少なくともいくらかの親物質を含む選択された体積の供給物質を供給物質源から炉心部へ運ぶように構成されている。
【０３１２】
任意の上記原子炉の他の例示的な高速スペクトル溶融塩原子炉はコントローラを備え、上記コントローラは、上記使用済燃料ユニットに選択的に命じて、選択された体積の上記溶融塩燃料を上記炉心部から貯蔵部へ運ばせ、供給燃料補給ユニットに選択的に命じて、少なくともいくらかの親物質を含む供給物質を供給物質源から上記炉心部の一部へ運ばせるよう構成されている。
【０３１３】
任意の上記原子炉の他の例示的な高速スペクトル溶融塩原子炉は、上記溶融塩核燃料の少なくとも一つの反応度パラメータを検知するよう構成された反応度パラメータセンサを備えており、上記反応度パラメータセンサは上記コントローラと通信可能に接続されている。
【０３１４】
上述の任意の原子炉のうち別の例示的な高速スペクトル溶融塩原子炉では、上記コントローラは、上記使用済運搬ユニットに選択的に命じて、選択された体積の上記溶融塩燃料を上記炉心部から貯蔵部へ運ばせるよう構成されている。さらに、上記コントローラは、上記溶融塩核燃料の少なくとも一つの検知された反応度パラメータに応じて、上記供給燃料補給ユニットに選択的に命じて、少なくともいくらかの親物質を含む供給物質を供給物質源から上記炉心部の一部へ運ばせるよう構成されている。
【０３１５】
上述の任意の原子炉のうち別の例示的な高速スペクトル溶融塩原子炉では、上記反応度パラメータセンサは、核分裂検出器、中性子束モニタ、中性子フルエンスセンサ、核分裂生成物センサ、温度センサ、圧力センサ、または出力センサのうち少なくとも一つを含む。
【０３１６】
上述の任意の原子炉のうち別の例示的な高速スペクトル溶融塩原子炉では、上記貯蔵部は、少なくとも一つの保存貯蔵部を含む。
【０３１７】
上述の任意の原子炉のうち別の例示的な高速スペクトル溶融塩原子炉では、上記貯蔵部は、少なくとも一つの第二世代溶融塩原子炉を有する。
【０３１８】
上述の任意の原子炉のうち別の例示的な高速スペクトル溶融塩原子炉では、上記供給物質の上記少なくともいくらかの親物質は、少なくとも一つの親燃料塩を含む。
【０３１９】
上述の任意の原子炉のうち別の例示的な高速スペクトル溶融塩原子炉では、上記少なくとも一つの親燃料塩は、劣化ウラン、天然ウラン、またはトリウムの少なくとも一つを含む塩を含む。
【０３２０】
上述の任意の原子炉のうち別の例示的な高速スペクトル溶融塩原子炉では、上記少なくとも一つの親燃料塩は、使用済核燃料に由来する少なくとも一つの金属を含む塩を含む。
【０３２１】
上述の任意の原子炉のうち別の例示的な高速スペクトル溶融塩原子炉では、上記溶融塩核燃料は、少なくとも第一の塩化ウラン、第二の塩化ウラン、および追加の金属塩化物からなる混合物を含む。
【０３２２】
上述の任意の原子炉のうち別の例示的な高速スペクトル溶融塩原子炉では、上記追加の金属塩化物は、ＮａＣｌ、ＭｇＣｌ２、ＣａＣｌ２、ＢａＣｌ２、ＫＣｌ、ＳｒＣｌ２、ＶＣｌ３、ＣｒＣｌ３、ＴｉＣｌ４、ＺｒＣｌ４、ＴｈＣｌ４、ＡｃＣｌ３、ＮｐＣｌ４、ＰｕＣｌ３、ＡｍＣｌ３、ＬａＣｌ３、ＣｅＣｌ３、ＰｒＣｌ３またはＮｄＣｌ３のうち少なくとも一つを含む。
【０３２３】
任意の上記原子炉の他の例示的な高速スペクトル溶融塩原子炉において、上記第一の塩化ウランと上記第二の塩化ウランの少なくとも一つは、ＵＣｌ４またはＵＣｌ３の少なくとも一つを含む。
【０３２４】
任意の上記原子炉の他の例示的な高速スペクトル溶融塩原子炉において、上記溶融塩核燃料は８２ＵＣｌ４−１８ＵＣｌ３の組成を有する。
【０３２５】
任意の上記原子炉の他の例示的な高速スペクトル溶融塩原子炉において、上記溶融塩核燃料は１７ＵＣｌ３−７１ＵＣｌ４−１２ＮａＣｌの組成を有する。
【０３２６】
任意の上記原子炉の他の例示的な高速スペクトル溶融塩原子炉において、上記溶融塩核燃料は５０ＵＣｌ４−５０ＮａＣｌの組成を有する。
【０３２７】
任意の上記原子炉の他の例示的な高速スペクトル溶融塩原子炉において、上記溶融塩核燃料は３４ＵＣｌ３−６６ＮａＣｌの組成を有する。
【０３２８】
任意の上記原子炉の他の例示的な高速スペクトル溶融塩原子炉において、少なくとも第一の塩化ウラン、第二の塩化ウラン、および追加の金属塩化物からなる上記混合物は、モル分率が少なくとも５％のＵＣｌ４を含む。
【０３２９】
任意の上記原子炉の他の例示的な高速スペクトル溶融塩原子炉において、少なくとも第一の塩化ウラン、第二の塩化ウラン、および追加の金属塩化物からなる上記混合物は、ウラン濃度が６１重量％より大きい。
【０３３０】
任意の上記原子炉の他の例示的な高速スペクトル溶融塩原子炉において、少なくとも第一塩の化ウラン、第二の塩化ウラン、および追加の金属塩化物からなる上記混合物は、融点が３３０℃から８００℃のあいだである。
【０３３１】
任意の上記原子炉の他の例示的な高速スペクトル溶融塩原子炉において、上記溶融塩核燃料は少なくとも一つのフッ化ウランと追加の金属フッ化物との混合物を含む。
【０３３２】
任意の上記原子炉の他の例示的な高速スペクトル溶融塩原子炉は、希ガスを上記溶融塩化物核燃料から除去するよう構成されたガス散布ユニットを備える。
【０３３３】
任意の上記原子炉の他の例示的な高速スペクトル溶融塩原子炉は、貴金属または準貴金属の少なくとも一つを上記溶融塩核燃料から除去するよう構成されたフィルタユニットを備える。
【０３３４】
例示的な方法は、溶融塩核燃料を含む溶融塩高速スペクトル原子炉を運転させる工程と、選択された体積の上記溶融塩核燃料を選択された体積の供給物質と交換して、上記溶融塩原子炉の反応度を制御する工程と、を含む。上記溶融塩核燃料は、少なくともいくらかの核分裂性物質を含む。上記供給物質は、少なくともいくらかの親物質を含む。
【０３３５】
上述の任意の方法のうち別の例示的方法では、選択された体積の上記溶融塩核燃料を選択された体積の供給物質と交換する工程を、選択された体積の上記溶融塩核燃料を、上記溶融塩原子炉の上記選択された体積と体積が等しい、選択された体積の供給物質と交換することによって行う。
【０３３６】
上述の任意の方法のうち別の例示的方法では、選択された体積の上記溶融塩核燃料を選択された体積の供給物質と交換する工程を、少なくともいくらかの核分裂生成物を含む、選択された体積の上記溶融塩核燃料を選択された体積の供給物質と交換することにより行う。
【０３３７】
上述の任意の方法のうち別の例示的方法では、少なくともいくらかの核分裂生成物を含む、選択された体積の上記溶融塩核燃料を選択された体積の供給物質と交換する工程を、一つまたは複数のランタニドを含む、選択された体積の上記溶融塩核燃料を選択された体積の供給物質と交換することにより行う。
【０３３８】
上述の任意の方法のうち別の例示的方法では、選択された体積の上記溶融塩核燃料を選択された体積の供給物質と交換する工程を、担体塩を含む、選択された体積の上記溶融塩核燃料を選択された体積の供給物質と交換することにより行う。
【０３３９】
上述の任意の方法のうち別の例示的方法では、選択された体積の上記溶融塩核燃料を選択された体積の供給物質と交換して、上記溶融塩原子炉の反応度を制御する工程を、選択された体積の上記溶融塩核燃料を選択された体積の供給物質と交換して、溶融塩原子炉の上記溶融塩核燃料の上記反応度を維持することにより行う。
【０３４０】
上述の任意の方法のうち別の例示的方法は、上記溶融塩高速スペクトル原子炉の上記溶融塩核燃料の反応度パラメータを測定する工程を含む。
【０３４１】
上述の任意の方法のうち別の例示的方法では、選択された体積の上記溶融塩核燃料を選択された体積の供給物質と交換して、上記溶融塩原子炉の反応度を制御する工程を、上記溶融塩核燃料の上記測定された反応度パラメータに応じて、選択された体積の上記溶融塩核燃料を選択された体積の供給物質と交換して、上記溶融塩原子炉の上記反応度を制御することにより行う。
【０３４２】
上述の任意の方法のうち別の例示的方法では、上記溶融塩高速スペクトル原子炉の上記溶融塩核燃料の反応度パラメータを測定する工程を、上記溶融塩高速スペクトル原子炉の上記溶融塩核燃料の中性子生成速度、中性子吸収速度、中性子束、中性子フルエンス、温度、圧力、出力、または核分裂生成物生成速度のうち少なくとも一つを測定することで行う。
【０３４３】
上述の任意の方法のうち別の例示的方法では、選択された体積の上記溶融塩核燃料を選択された体積の供給物質と交換して、上記溶融塩原子炉の反応度を制御する工程を、選択された体積の上記溶融塩核燃料を選択された体積の供給物質と絶えず交換して、上記溶融塩原子炉の反応度を制御することにより行う。
【０３４４】
上述の任意の方法のうち別の例示的方法では、選択された体積の上記溶融塩核燃料を選択された体積の供給物質と交換して、上記溶融塩原子炉の反応度を制御する工程を、選択されたバッチ体積の上記溶融塩核燃料を選択された体積の供給物質と繰り返し交換して、上記溶融塩原子炉の反応度を制御することにより行う。
【０３４５】
上述の任意の方法のうち別の例示的方法では、選択された体積の上記溶融塩核燃料を選択された体積の供給物質と交換して、上記溶融塩原子炉の反応度を制御する（上記溶融塩核燃料は少なくともいくらかの核分裂物質を含み、上記供給物質はすくなくともいくらかの親物質を含んでいる）工程を、選択された体積の上記溶融塩核燃料を上記高速スペクトル溶融塩原子炉から除去し（除去かつ選択された体積の溶融塩核燃料は、少なくともいくらかの核分裂物質を含む）、選択された体積の供給物質を上記高速スペクトル溶融塩原子炉に供給する（供給かつ選択された体積の供給物質は、少なくともいくらかの親物質を含む）ことにより行う。
【０３４６】
上述の任意の方法のうち別の例示的方法では、上記選択された体積の供給物質を補給する速度は、親物質を溶融塩原子炉内に添加する速度に合うように選択されるか、あるいは溶融塩原子炉内で核分裂性物質が燃焼する速度に合うように選択される。
【０３４７】
上述の任意の方法のうち別の例示的方法では、上記除去かつ選択された体積の溶融塩核燃料は、核分裂生成物、親物質、または担体塩の少なくとも一つをさらに含む。
【０３４８】
上述の任意の方法のうち別の例示的方法では、上記供給物質の少なくともいくらかの親物質は、少なくとも一つの親燃料塩を含む。
【０３４９】
上述の任意の方法のうち別の例示的方法では、上記少なくとも一つの親燃料塩は、劣化ウラン、天然ウラン、またはトリウムのうち少なくとも一つを含む塩を含む。
【０３５０】
上述の任意の方法のうち別の例示的方法では、上記少なくとも一つの親燃料塩は、使用済核燃料に由来する少なくとも一つの金属を含む塩を含む。
【０３５１】
上述の任意の方法のうち別の例示的方法では、上記少なくとも一つの親燃料塩は、上記溶融塩原子炉燃料の化学的組成を維持している。
【０３５２】
上述の任意の方法のうち別の例示的方法は、ガス散布プロセスにより、上記溶融塩核燃料から希ガスを除去する工程を含む。
【０３５３】
上述の任意の方法のうち別の例示的方法は、メッキプロセスにより、上記溶融塩核燃料から貴金属または準貴金属の少なくとも一つを除去する工程を含む。
【０３５４】
例示的なシステムは、溶融塩核燃料を含む少なくとも一つの第一世代溶融塩原子炉と、少なくとも一つの第二世代溶融塩原子炉と、ある量の溶融塩核燃料を上記少なくとも一つの第一世代溶融塩原子炉から上記少なくとも一つの第二世代溶融塩原子炉へと運ぶよう構成されている溶融塩運搬ユニットと、を含む。上記ある量の溶融塩核燃料は、上記少なくとも一つの第一世代溶融塩原子炉で濃縮された少なくともいくらかの核分裂性物質を含む。
【０３５５】
上述の任意のシステムのうち別の例示的システムでは、上記ある量の溶融塩核燃料は、上記少なくとも一つの第一世代溶融塩原子炉で濃縮された少なくともいくらかの核分裂性物質を含んでおり、それによって上記少なくとも一つの第二世代溶融塩原子炉で臨界に達する。
【０３５６】
上述の任意のシステムのうち別の例示的システムでは、上記ある量の溶融塩核燃料は、上記少なくとも一つの第一世代溶融塩原子炉で濃縮された少なくともいくらかの核分裂性物質を含んでおり、それによって、上記少なくとも一つの第二世代溶融原子炉のある量の溶融塩核燃料の濃縮なしに、上記少なくとも一つの第二世代溶融原子炉で臨界に達する。
【０３５７】
上述の任意のシステムのうち別の例示的システムでは、上記少なくとも一つの第一世代溶融塩原子炉は動作して、少なくともいくらかのウランを濃縮し、上記少なくとも一つの第一世代溶融塩原子炉内にＰｕ−２３９を生成する。
【０３５８】
上述の任意のシステムのうち別の例示的システムでは、上記少なくとも一つの第一世代溶融塩原子炉から上記少なくとも一つの第二世代溶融塩原子炉へと運ばれる上記ある量の溶融塩核燃料は、上記少なくとも一つの第一世代溶融塩原子炉内で生成されたＰｕ−２３９を含む。
【０３５９】
上述の任意のシステムのうち別の例示的システムでは、上記溶融塩運搬ユニットは、上記少なくとも一つの第一世代溶融塩原子炉からの上記ある量の溶融塩核燃料から一つまたは複数の核分裂生成物を除去するよう構成された核分裂生成物除去システムを有する。
【０３６０】
上述の任意のシステムのうち別の例示的システムでは、上記少なくとも一つの第一世代溶融塩原子炉は、複数の第一世代溶融塩原子炉を含む。
【０３６１】
上述の任意のシステムのうち別の例示的システムでは、上記少なくとも一つの第二世代溶融塩原子炉は、複数の第二世代溶融塩原子炉を含む。
【０３６２】
上述の任意のシステムのうち別の例示的システムでは、上記少なくとも一つの第一世代溶融塩原子炉の上記溶融塩核燃料は、第一の塩化ウラン、第二の塩化ウラン、または追加の金属塩化物のうち少なくとも二つからなる混合物を含む。
【０３６３】
上述の任意のシステムのうち別の例示的システムでは、上記追加の金属塩化物は、ＮａＣｌ、ＭｇＣｌ２、ＣａＣｌ２、ＢａＣｌ２、ＫＣｌ、ＳｒＣｌ２、ＶＣｌ３、ＣｒＣｌ３、ＴｉＣｌ４、ＺｒＣｌ４、ＴｈＣｌ４、ＡｃＣｌ３、ＮｐＣｌ４、ＰｕＣｌ３、ＡｍＣｌ３、ＬａＣｌ３、ＣｅＣｌ３、ＰｒＣｌ３またはＮｄＣｌ３のうち少なくとも一つを含む。
【０３６４】
上述の任意のシステムのうち別の例示的システムでは、上記第一の塩化ウランと上記第二の塩化ウランの少なくとも一つは、ＵＣｌ４またはＵＣｌ３の少なくとも一つを含む。
【０３６５】
上述の任意のシステムのうち別の例示的システムでは、上記溶融塩核燃料は８２ＵＣｌ４−１８ＵＣｌ３の組成を有する。
【０３６６】
上述の任意のシステムのうち別の例示的システムでは、上記溶融塩核燃料は１７ＵＣｌ３−７１ＵＣｌ４−１２ＮａＣｌの組成を有する。
【０３６７】
上述の任意のシステムのうち別の例示的システムでは、上記溶融塩核燃料は５０ＵＣｌ４−５０ＮａＣｌの組成を有する。
【０３６８】
上述の任意のシステムのうち別の例示的システムでは、上記溶融塩核燃料は３４ＵＣｌ３−６６ＮａＣｌの組成を有する。
【０３６９】
上述の任意のシステムのうち別の例示的システムでは、第一の塩化ウラン、第二の塩化ウラン、または追加の金属塩化物のうち少なくとも二つからなる上記混合物は、モル分率が少なくとも５％のＵＣｌ４を含む。
【０３７０】
上述の任意のシステムのうち別の例示的システムでは、第一の塩化ウラン、第二の塩化ウラン、または追加の金属塩化物のうち少なくとも二つからなる上記混合物は、ウラン濃度が６１重量％より大きい。
【０３７１】
上述の任意のシステムのうち別の例示的システムでは、第一の塩化ウラン、第二の塩化ウラン、または追加の金属塩化物のうち少なくとも二つからなる上記混合物は、融点が３３０℃から８００℃のあいだである。
【０３７２】
上述の任意のシステムのうち別の例示的システムでは、上記少なくとも一つの第一世代溶融塩原子炉の上記溶融塩核燃料は、少なくとも一つのフッ化ウランと追加の金属塩化物とからなる混合物を含む。
【０３７３】
例示的な方法は、少なくとも一つの第一世代溶融塩原子炉の溶融塩核燃料の少なくとも一部を濃縮する工程と、上記少なくとも一つの第一世代溶融塩原子炉からある量の上記濃縮溶融塩核燃料を除去する工程と、上記除去されたある量の溶融塩核燃料の少なくとも一部を、上記少なくとも一つの第一世代溶融塩原子炉から少なくとも一つの第二世代溶融塩原子炉へと供給する工程と、を含む。
【０３７４】
上述の任意の方法のうち別の例示的な方法では、少なくとも一つの第一世代溶融塩原子炉の溶融塩核燃料の少なくとも一部を濃縮する工程は、上記少なくとも一つの第二世代溶融原子炉の臨界に達するように、少なくとも一つの第一世代溶融塩原子炉の溶融塩核燃料の少なくとも一部を濃縮することによって行う。
【０３７５】
上述の任意の方法のうち別の例示的な方法では、上記少なくとも一つの第二世代溶融原子炉の臨界に達するように、少なくとも一つの第一世代溶融塩原子炉の溶融塩核燃料の少なくとも一部を濃縮する工程は、上記少なくとも一つの第二世代溶融原子炉の上記ある量の溶融塩核燃料を濃縮することなしに、上記少なくとも一つの第二世代溶融原子炉の臨界に達するように、少なくとも一つの第一世代溶融塩原子炉の溶融塩核燃料の少なくとも一部を濃縮することによって行う。
【０３７６】
上述の任意の方法のうち別の例示的な方法では、少なくとも一つの第一世代溶融塩原子炉の溶融塩核燃料の少なくとも一部を濃縮する工程は、上記少なくとも一つの第一世代溶融塩原子炉のある量の上記溶融塩核燃料中の少なくともいくらかのウランを濃縮してＰｕ−２３９を生成することによって行う。
【０３７７】
上述の任意の方法のうち別の例示的な方法では、上記少なくとも一つの第一世代溶融塩原子炉から除去した上記ある量の溶融塩核燃料の少なくとも一部から、一つまたは複数の核分裂生成物を除去する工程を含む。
【０３７８】
上述の任意の方法のうち別の例示的な方法では、上記除去されたある量の溶融塩核燃料の少なくとも一部を、上記少なくとも一つの第一世代溶融塩原子炉から少なくとも一つの第二世代溶融塩原子炉へと供給する工程は、上記除去されたある量の溶融塩核燃料の一部を、上記少なくとも一つの第一世代溶融高速スペクトル塩核燃料から第一の第二世代溶融塩原子炉へと供給し、上記除去されたある量の溶融塩核燃料の少なくとも一つの別の部分を、上記少なくとも一つの第一世代高速スペクトル溶融塩核燃料から少なくとも一つの別の第二世代溶融塩原子炉へと供給することによって行う。
【０３７９】
上述の任意の方法のうち別の例示的な方法では、上記少なくとも一つの第一世代溶融塩原子炉からある量の上記濃縮溶融塩核燃料を除去する工程は、少なくとも一つの第一世代溶融塩原子炉からある量の溶融塩核燃料を除去して、上記少なくとも一つの第一世代溶融塩原子炉の反応度を制御することによって行う。
【０３８０】
上述の任意の方法のうち別の例示的な方法では、上記少なくとも一つの第一世代溶融塩原子炉からある量の上記濃縮溶融塩核燃料を除去する工程は、上記少なくとも一つの第一世代溶融塩原子炉からある量の上記濃縮溶融塩核燃料を絶えず除去することによって行う。
【０３８１】
上述の任意の方法のうち別の例示的な方法では、上記少なくとも一つの第一世代溶融塩原子炉からある量の上記濃縮溶融塩核燃料を除去する工程は、上記少なくとも一つの第一世代溶融塩原子炉から、ある量の上記濃縮溶融塩核燃料のうち選択されたバッチを繰り返し除去することによって行う。
【０３８２】
上述の任意の方法のうち別の例示的な方法は、選択された体積の供給物質を上記少なくとも一つの第一世代溶融塩原子炉に供給する工程を含み、上記供給物質は少なくともいくらかの親物質を含む。
【０３８３】
上述の任意の方法のうち別の例示的な方法では、上記供給物質のうち上記少なくともいくらかの親物質は、少なくとも一つの親燃料塩を含む。
【０３８４】
上述の任意の方法のうち別の例示的な方法では、上記少なくとも一つの親燃料塩は、劣化ウラン、天然ウラン、またはトリウムのうち少なくとも一つを含む塩を含む。
【０３８５】
上述の任意の方法のうち別の例示的な方法では、上記少なくとも一つの親燃料塩は、使用済核燃料に由来する少なくとも一つの金属を含む塩を含む。
【０３８６】
上述の任意の方法のうち別の例示的方法では、上記少なくとも一つの親燃料塩は、上記溶融塩原子炉燃料の化学的組成を維持している。上述の任意の方法のうち別の例示的な方法は、選択された体積の供給物質を上記少なくとも一つの第二世代溶融塩原子炉に供給する工程を含み、上記供給物質は少なくともいくらかの親物質を含む。
【０３８７】
例示的な高速スペクトル溶融塩原子炉は、燃料入口と燃料出口とを有する炉心部を備える。上記燃料入口と上記燃料出口は、溶融塩化物核燃料を上記炉心部を通して流すよう配置されている。上記溶融塩化物核燃料は、ＵＣｌ４と追加の塩化ウランまたは追加の金属塩化物の少なくとも一つの混合物とを含み、上記ＵＣｌ４と少なくとも一つの追加の金属塩化物との混合物は、ＵＣｌ４含有量がモル分率で５％より大きい。
【０３８８】
上述の任意の原子炉のうち別の例示的な高速スペクトル溶融塩原子炉では、上記ＵＣｌ４と少なくとも一つの追加の金属塩化物との混合物中のウラン濃度は６１重量％より大きい。
【０３８９】
上述の任意の原子炉のうち別の例示的な高速スペクトル溶融塩原子炉では、上記追加の塩化ウランはＵＣｌ３を含む。
【０３９０】
上述の任意の原子炉のうち別の例示的な高速スペクトル溶融塩原子炉では、上記ＵＣｌ４と追加の塩化ウランまたは追加の金属塩化物の少なくとも一つとの混合物は、８２ＵＣｌ４−１８ＵＣｌ３の組成を有している。
【０３９１】
上述の任意の原子炉のうち別の例示的な高速スペクトル溶融塩原子炉では、上記ＵＣｌ４と追加の塩化ウランまたは追加の金属塩化物の少なくとも一つとの混合物は、１７ＵＣｌ３−７１ＵＣｌ４−１２ＮａＣｌの組成を有している。
【０３９２】
上述の任意の原子炉のうち別の例示的な高速スペクトル溶融塩原子炉では、上記ＵＣｌ４と追加の塩化ウランまたは追加の金属塩化物の少なくとも一つとの混合物は、５０ＵＣｌ４−５０ＮａＣｌの組成を有している。
【０３９３】
上述の任意の原子炉のうち別の例示的な高速スペクトル溶融塩原子炉では、上記ＵＣｌ４と追加の塩化ウランまたは追加の金属塩化物の少なくとも一つとの混合物は、追加の金属塩化物濃度が、上記追加の塩化物の沈殿濃度以下である。
【０３９４】
上述の任意の原子炉のうち別の例示的な高速スペクトル溶融塩原子炉では、上記ＵＣｌ４と追加の塩化ウランまたは追加の金属塩化物の少なくとも一つとの混合物は、溶融温度が８００℃未満である。
【０３９５】
上述の任意の原子炉のうち別の例示的な高速スペクトル溶融塩原子炉では、上記選択された溶融温度が３３０℃を超える。
【０３９６】
上述の任意の原子炉のうち別の例示的な高速スペクトル溶融塩原子炉では、ウラニウム・プルトニウムサイクルを有する溶融塩化物核燃料内で増殖燃焼反応が行われる。
【０３９７】
高速スペクトル溶融塩原子炉に燃料を供給する例示的な方法は、ある量のＵＣｌ４を供給する工程と、追加の塩化ウランまたは追加の金属塩化物のうち少なくとも一つをある量供給する工程と、上記ある量のＵＣｌ４を追加の塩化ウランまたは追加の金属塩化物のうち上記少なくとも一つの上記ある量と混合して、ＵＣｌ４含有量がモル分率で５％より大きい溶融塩化物核燃料を作る工程と、上記UCl4含有量がモル分率で５％より大きい溶融塩化物核燃料を上記高速スペクトル溶融塩原子炉の少なくとも一つの炉心部に供給する工程と、を含む。
【０３９８】
上述の任意の方法のうち別の例示的方法は、ＵＣｌ３のある量を供給することにより、追加の塩化ウランまたは追加の金属塩化物のうち少なくとも一つのある量を供給する工程を含む。
【０３９９】
上述の任意の方法のうち別の例示的方法では、上記ＵＣｌ４中の上記塩素は３７Ｃｌで濃縮されている。
【０４００】
上述の任意の方法のうち別の例示的方法では、上記塩中の塩素は少なくとも７５％３７Ｃｌまで濃縮されている。
【０４０１】
上述の明細書、実施例、データは、本発明の例示的な実施の構造および使用の完全な説明を提供するものである。本発明の多くの実施は本発明の精神および範囲から離れることなしに行うことができるので、本発明は以下に添付する請求項の中にある。さらに、異なる実施の構造的特徴をまとめて、請求項から離れることなしに、さらに別の実施としてもよい。
【図面の簡単な説明】
【０４０２】
【図１】ＭＣＦＲ親炉とＭＣＦＲ子炉を有する溶融塩化物高速原子炉（ＭＣＦＲ）燃料サイクルの一例を示す概略図である。
【図２】溶融燃料塩から溶融燃料を周期的に除去して溶融親燃料供給物と交換すること（溶融燃料塩交換と称する）に由来するＭＣＦＲ反応度制御の一例を示す。
【図３】溶融燃料塩交換アセンブリを備えたＭＣＦＲシステムの一例を示す。
【図４】原子炉の溶融燃料塩を親燃料塩と周期的に交換することで制御される溶融塩原子炉において、炉心のモデル化されたｋｅｆｆ値と重金属（ＨＭ）燃料の燃焼度の総パーセントの、時間に対するグラフを示す。
【図５】原子炉燃焼速度に合う速度で劣化ウランが供給されるモデル化溶融塩原子炉における、ｋｅｆｆ対時間のグラフを示す。
【図６】供給物質を加えずランタニドを除去しない溶融塩原子炉における、ｋｅｆｆを時間の関数として記したグラフを示す。
【図７】溶融燃料塩交換アセンブリを備えたＭＣＦＲシステムの代替例を示す。
【図８】ＵＣｌ３−ＵＣｌ４−ＮａＣｌ（モル％）の例示的な三元状態図を示す。
【図９】溶融燃料塩交換プロセスの例示的な動作を示す。
【図１０】押しのけ素子アセンブリを備えた溶融塩原子炉を示す。
【図１１】押しのけ素子アセンブリと溶融燃料塩溢出システムを備え、押しのけ素子が溶融燃料塩の中に沈んでいない状態にある、溶融塩原子炉を示す。
【図１２】押しのけ素子アセンブリと溶融燃料塩溢出システムを備え、押しのけ素子が溶融燃料塩の中に沈んでいる状態にある、溶融塩原子炉を示す。
【図１３】燃料押しのけサイクルのさまざまな例示的なステージを示す。
【図１４】燃料押しのけサイクルの二つの例示的なステージを示す。
【図１５】溶融燃料塩押しのけプロセスの例示的な動作を示す。
【図１】
2018506047.tif 000010
【図２】
2018506047.tif 000011
【図３】
2018506047.tif 000012
【図４】
2018506047.tif 000013
【図５】
2018506047.tif 000014
【図６】
2018506047.tif 000015
【図７】
2018506047.tif 000016
【図８】
2018506047.tif 000017
【図９】
2018506047.tif 000018
【図１０】
2018506047.tif 000019
【図１１】
2018506047.tif 000020
【図１２】
2018506047.tif 000021
【図１３】
2018506047.tif 000022
【図１４】
2018506047.tif 000023
【図１５】
2018506047.tif 000024
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
溶融燃料塩によって燃料を供給される核分裂反応を含むよう構成された原子炉心と、
上記原子炉心に接続された溶融燃料塩制御システムであって、選択された体積の上記溶融燃料塩を上記原子炉心から除去して、溶融塩原子炉の反応度を示すパラメータを、ノミナルの反応度の選択された範囲内に保つよう構成された溶融燃料塩制御システムと、を備える、溶融塩原子炉。
【請求項２】
上記溶融燃料塩制御システムは溶融燃料塩交換システムを有しており、上記溶融燃料塩交換システムは、上記原子炉心と流体的に接続されており、選択された体積の上記溶融燃料塩を、選択された親物質と担体塩との混合物を含む選択された体積の供給物質と交換するよう構成されている、請求項１に記載の溶融塩原子炉。
【請求項３】
上記溶融燃料塩交換システムは、上記供給物質を上記原子炉心内に送る供給燃料補給ユニットを有している、請求項２に記載の溶融塩原子炉。
【請求項４】
上記溶融燃料塩交換システムは、選択された体積の上記供給物質を上記原子炉心内に送る供給燃料補給ユニットを有している、請求項２に記載の溶融塩原子炉。
【請求項５】
上記溶融燃料塩交換システムは、選択された組成の上記供給物質を上記原子炉心内に送る供給燃料補給ユニットを有している、請求項２に記載の溶融塩原子炉。
【請求項６】
上記溶融燃料塩交換システムは、上記選択された体積の上記溶融燃料塩を使用済燃料として原子炉心から運ぶ使用済燃料運搬ユニットを有している、請求項２に記載の溶融塩原子炉。
【請求項７】
上記溶融燃料塩交換システムは、上記選択された体積の上記溶融燃料塩を上記原子炉心から移すのと、上記供給物質を上記原子炉心へ移すのを同時に行う、請求項２に記載の溶融塩原子炉。
【請求項８】
上記溶融燃料塩交換システムは、上記原子炉心内で、上記供給物質を上記選択された体積の上記溶融燃料塩と交換することにより、上記核分裂反応の反応度を制御する、請求項２に記載の溶融塩原子炉。
【請求項９】
上記溶融燃料塩交換システムは、上記原子炉心内で、上記供給物質を上記選択された体積の上記溶融燃料塩と交換することにより、上記核分裂反応における上記溶融燃料塩の組成を制御する、請求項２に記載の溶融塩原子炉。
【請求項１０】
上記溶融塩原子炉は高速スペクトル核分裂原子炉であり、上記溶融燃料塩は塩化物を含む、請求項２に記載の溶融塩原子炉。
【請求項１１】
上記溶融燃料塩交換システムは、上記原子炉心内で、上記供給物質を上記選択された体積の上記溶融燃料塩と交換することにより、上記高速スペクトル核分裂原子炉におけるＵＣｌ３−ＵＣｌ４−ＮａＣｌの組成を制御する、請求項１０に記載の溶融塩原子炉。
【請求項１２】
上記溶融燃料塩交換システムは、選択された体積の上記溶融燃料塩を、選択された体積の上記供給物質と繰り返し交換して、上記溶融塩原子炉の反応度を示す上記パラメータを、ノミナルの反応度の選択された範囲内に長期にわたって保つよう構成されている、請求項２に記載の溶融塩原子炉。
【請求項１３】
上記原子炉心に近接して配置された反応度パラメータセンサであって、上記原子炉心の反応度を示す一つまたは複数のパラメータをモニタするよう構成された反応度パラメータセンサと、
上記反応度パラメータセンサと通信可能に接続されて、上記原子炉心の反応度を示す上記一つまたは複数のパラメータを受け取るコントローラであって、上記選択された体積の上記溶融燃料塩と、選択された親物質と担体塩の混合物を含む上記選択された体積の供給物質との交換を、上記一つまたは複数のパラメータに基づいて制御するよう構成されたコントローラと、をさらに備える、請求項２に記載の溶融塩原子炉。
【請求項１４】
上記溶融燃料塩制御システムは体積押しのけ制御システムをさらに有し、上記体積押しのけ制御システムは、上記原子炉心に挿入可能な一つまたは複数の体積押しのけアセンブリを有し、各体積押しのけアセンブリは、上記原子炉心に挿入されると、上記原子炉心から、選択された体積の溶融燃料塩を体積的に押しのけるよう構成されている、請求項２に記載の溶融塩原子炉。
【請求項１５】
上記溶融燃料塩制御システムは体積押しのけ制御システムをさらに有し、上記体積押しのけ制御システムは、上記原子炉心に挿入可能な一つまたは複数の体積押しのけ本体を有し、各体積押しのけ本体は、上記原子炉心に挿入されると、上記原子炉心から、選択された体積の溶融燃料塩を体積的に押しのけるよう構成されている、請求項１に記載の溶融塩原子炉。
【請求項１６】
上記溶融燃料塩制御システムは体積押しのけ制御システムをさらに有し、上記体積押しのけ制御システムは、上記原子炉心に挿入可能な一つまたは複数の体積押しのけ本体を有し、各体積押しのけ本体は、上記原子炉心に挿入されると、上記原子炉心から、選択された体積の溶融燃料塩を体積的に押しのけるよう構成され、上記体積押しのけ制御システムは、溶融燃料塩溢出システムをさらに有し、上記溶融燃料塩溢出システムは、上記体積押しのけ本体によって上記原子炉心の許容充填水平面より上に押しのけられた溶融燃料塩を運ぶよう構成されている、請求項１に記載の溶融塩原子炉。
【請求項１７】
上記溶融燃料塩制御システムは体積押しのけ制御システムをさらに有し、上記体積押しのけ制御システムは、上記原子炉心に挿入可能な一つまたは複数の体積押しのけ本体を有し、各体積押しのけ本体は、上記原子炉心に挿入されると、上記原子炉心から、選択された体積の溶融燃料塩を体積的に押しのけるよう構成され、上記体積押しのけ制御システムは複数の挿入深度で上記原子炉心に挿入されることで、上記溶融塩原子炉の反応度を示す上記パラメータを、ノミナルの反応度の選択された範囲内に長期にわたって保つことができる、請求項１に記載の溶融塩原子炉。
【請求項１８】
原子炉心内で溶融燃料塩によって燃料を供給される核分裂反応を維持する工程と、
溶融塩原子炉の反応度を示すパラメータをノミナルの反応度の選択された範囲内に保つように、選択された体積の上記溶融燃料塩を上記原子炉心から除去する工程と、を含む、方法。
【請求項１９】
上記選択された体積の上記溶融燃料塩を、選択された親物質と担体塩の混合物を含む選択された体積の供給物質と交換する工程をさらに含む、請求項１８に記載の方法。
【請求項２０】
上記交換する工程は、上記供給物質を上記原子炉心内に運ぶ工程を含む、請求項１９に記載の方法。
【請求項２１】
上記交換する工程は、選択された体積の上記供給物質を上記原子炉心内に運ぶ工程を含む、請求項１９に記載の方法。
【請求項２２】
上記交換する工程は、選択された組成の上記供給物質を上記原子炉心内に運ぶ工程を含む、請求項１９に記載の方法。
【請求項２３】
上記交換する工程は、上記選択された体積の上記供給物質に基づいて、上記原子炉心の上記反応度を制御する工程を含む、請求項１９に記載の方法。
【請求項２４】
上記交換する工程は、選択された組成の上記供給物質に基づいて、上記原子炉心内で上記核分裂反応に燃料を供給する上記溶融燃料塩の組成を制御する工程を含む、請求項１９に記載の方法。
【請求項２５】
上記交換する工程は、選択された組成の上記供給物質に基づいて、上記原子炉心内で上記核分裂反応に燃料を供給するＵＣｌ３−ＵＣｌ４−ＮａＣｌの組成を制御する工程を含む、請求項１９に記載の方法。
【請求項２６】
上記溶融燃料塩の交換条件が満たされたことをモニタする工程と、
上記選択された体積の上記溶融燃料塩と、選択された親物質と担体塩の混合物を含む上記選択された体積の供給物質との交換を、上記交換条件が満たされたことに応じて制御する工程と、をさらに含む、請求項１９に記載の方法。
【請求項２７】
上記原子炉心の反応度を示す一つまたは複数の反応度パラメータをモニタする工程と、
上記選択された体積の上記溶融燃料塩と、選択された親物質と担体塩の混合物を含む上記選択された体積の供給物質との交換を、上記一つまたは複数の反応度パラメータに基づいて制御する工程と、をさらに含む、請求項１９に記載の方法。
【請求項２８】
上記原子炉心の上記溶融燃料塩の組成を示す一つまたは複数の組成パラメータをモニタする工程と、
上記選択された体積の上記溶融燃料塩と、選択された親物質と担体塩の混合物を含む上記選択された体積の供給物質との交換を、上記一つまたは複数の組成パラメータに基づいて制御する工程と、をさらに含む、請求項１９に記載の方法。
【請求項２９】
上記除去する工程は、一つまたは複数の体積押しのけ本体を上記原子炉心内の溶融燃料塩に挿入することで上記選択された体積の溶融燃料塩を上記原子炉心から体積的に押しのける工程を含む、請求項１８に記載の方法。
【請求項３０】
上記除去する工程は、上記体積的に押しのけられた体積の溶融燃料塩が上記体積押しのけ本体によって上記原子炉心の許容充填水平面より上に押しのけられたとき、上記体積的に押しのけられた体積の溶融燃料塩を、上記原子炉心から、溶融燃料塩溢出システムを介して運ぶ工程を含む、請求項２９に記載の方法。
【請求項３１】
各体積押しのけ本体は、上記原子炉心に挿入されると、上記原子炉心から、選択された体積の溶融燃料塩を体積的に押しのけるよう構成され、体積押しのけ制御システムは複数の挿入深度で上記原子炉心に挿入されることで、上記溶融塩原子炉の反応度を示す上記パラメータを、ノミナルの反応度の選択された範囲内に長期にわたって保つことができる、請求項２９に記載の方法。
【請求項３２】
溶融燃料塩によって燃料を供給される核分裂反応を維持するよう構成された原子炉心と、
選択された体積の上記溶融燃料塩を、選択された親物質と担体塩の混合物を含む選択された体積の供給物質と交換する手段と、を備える、溶融塩原子炉。
【請求項３３】
溶融燃料塩によって燃料を供給される核分裂反応を維持するよう構成された原子炉心と、
選択された体積の上記溶融燃料塩を上記原子炉心から除去して、溶融塩原子炉の反応度を示すパラメータを、ノミナルの反応度の選択された範囲内に保つ手段と、を備える、溶融塩原子炉。
【手続補正２】
【補正対象書類名】明細書
【補正対象項目名】００２８
【補正方法】変更
【補正の内容】
【００２８】
上記の例示的なＭＣＦＲ燃料サイクル１００は、オープン増殖燃焼燃料サイクル（例えば、平衡、準平衡、および／または非平衡増殖燃焼反応を示す）を可能にする。上記オープン増殖燃焼燃料サイクルは、ウラン・プルトニウム燃料サイクルを採用し、従来のオープン燃料サイクルに比べて廃棄物の体積がかなり少ない。上記技術のさまざまな実施により、四塩化ウラン（ＵＣｌ４）含有レベルがモル分率で５％を超える溶融燃料塩が提供され、それが、溶融燃料塩の重金属含有量を高くするのに役立つ（例えば、約６１重量％）。四塩化ウランの実施は、ＵＣｌ４と三塩化ウラン（ＵＣｌ３）および／または追加の金属塩化物（例えば、ＮａＣｌ）を、所望の重金属含有レベルおよび溶融温度（例えば、３３０℃から８００℃）が達成されるように組み合わせることで行ってもよい。
【手続補正３】
【補正対象書類名】明細書
【補正対象項目名】００６６
【補正方法】変更
【補正の内容】
【００６６】
他の実施では、一つまたは複数のプログラム命令は、炉心部３０２の溶融燃料塩３０８の決定された反応度を、炉心部３０２の測定された過剰反応度を補償する選択された交換体積および組成と関連付けるとともに、他の溶融燃料塩組成についての考慮事項とも関連付けるよう構成されている。非限定的な例として、反応度パラメータセンサ３３０は、炉心部３０２（またはＭＣＦＲシステム３００の他の部分）内の溶融燃料塩３０８と関連した反応度パラメータを取得してよい。反応度パラメータが、選択された上限閾値より大きな反応度を示している場合、交換コントローラ３２８は、上昇した反応度を補償する交換体積および組成を決定し、溶融燃料塩交換アセンブリ３０１に命じて、決定された体積の溶融燃料塩３０８を炉心部３０２から（例えば、使用済燃料運搬ユニット３１６によって）除去し、除去した燃料塩をほぼ同体積の供給物質３１０と（例えば、供給燃料補給ユニット３１４によって）交換する。
【手続補正４】
【補正対象書類名】明細書
【補正対象項目名】００８２
【補正方法】変更
【補正の内容】
【００８２】
炉心部７０２内の溶融燃料塩７０８が増殖し、親物質が核分裂性物質へ変換されると、溶融燃料塩交換アセンブリ７０１は、溶融燃料塩７０８のいくらかを除去して、供給物質源７１７内の除去済溶融燃料７１２とし、除去済溶融燃料７１２を少なくともいくらかの親物質を含む供給物質７１０と交換する。別の実施では、除去済溶融燃料７１２は、一つまたは複数の核分裂生成物を含む。したがって、溶融燃料塩交換アセンブリ７０１は、核分裂性燃料だけでなくランタニドおよび他の中性子吸収材も除去し、例示的なＭＣＦＲシステム７００内の溶融燃料塩７０８の反応度の制御機構として機能し、当該溶融燃料塩の寿命を延ばす装置として機能してよい。燃料交換の制御面での利点により、溶融燃料塩７０８の反応度を臨界状態（例えば、ぎりぎりの臨界状態）に戻すことができ、また、中性子吸収材および／または減速材を除去することで原子炉の効率性を上げることもできる。このように、一つの実施では、例示的なＭＣＦＲシステム７００の溶融燃料塩交換アセンブリ７０１は、さらなる濃縮を加えることなしに、例示的なＭＣＦＲシステム７００の無制限な運転を可能にする。なお、溶融燃料塩交換は、原子炉の運転中および／またはメンテナンス停止期間中に行われてよい。
【手続補正５】
【補正対象書類名】明細書
【補正対象項目名】０１１１
【補正方法】変更
【補正の内容】
【０１１１】
一つの実施では、体積押しのけ素子１０１０は、図１０に示すように棒１０１６を有している。例えば、体積押しのけ素子１０１０は、非中空棒または中空棒を有している。ここで、押しのけ棒１０１６は、任意の種類の棒形状であってよい。例えば、体積押しのけアセンブリ１００２の押しのけ棒は、円筒形状、正四角柱または四角柱形状、三角柱形状、多角柱形状などであってよい。別の実施では、体積押しのけ素子１０１０は一組の棒を有してよい（図示せず）。例えば、一組の棒は一列に配置してもよいし、スポーク形状に配置してもよい。
【手続補正６】
【補正対象書類名】明細書
【補正対象項目名】０１１４
【補正方法】変更
【補正の内容】
【０１１４】
一つの実施では、図１０に示すように、体積押しのけアセンブリ１００２は、体積押しのけ素子１０１０を、炉心部１００４の中央領域に挿入してよい。その際、アクチュエータ１０１２は、図１０に示すように、体積押しのけ素子１０１０を炉心部１００４の軸方向に沿って平行移動させてよい。図１０に示すような回転対称の炉心部だと、体積押しのけ素子１０１０に関連させる価値のある最大の反応度は、体積押しのけ素子１０１０を炉心部１００４の断面中央に位置させることで実現できる。中央に位置した体積押しのけ素子１０１０は、本開示の溶融塩原子炉１０００を限定するものではなく、例示的な目的のためにのみ示されている。さらに、図１０では押しのけ素子１０１０は単独の素子として示されているが、押しのけ素子は複数の挿入可能な素子を含んでよい。これら複数の素子は、炉心部内へ一列になって出入りさせることで、あるいは個別に動かしたり制御したりすることで、反応度、燃料流、局所温度などを管理してよい。
【手続補正７】
【補正対象書類名】明細書
【補正対象項目名】０１１６
【補正方法】変更
【補正の内容】
【０１１６】
一つの実施では、アクチュエータコントローラ１０１４は、オペレータから体積押しのけ作動命令を受け取るよう構成されたオペレータインタフェースを備えている。この点に関して、オペレータは体積押しのけ素子１０１０の作動状態の制御を選択的に命じてよい。別の実施では、アクチュエーションコントローラ１０１４は、以下に記載するように、溶融塩原子炉１０００の一つまたは複数の検知されたあるいはモニタされたパラメータに応じて、体積押しのけ素子１０１０の作動を自動的に命じてよい。
【手続補正８】
【補正対象書類名】明細書
【補正対象項目名】０１２０
【補正方法】変更
【補正の内容】
【０１２０】
別の実施では、反応度は、測定された反応度パラメータ（上述）のうち一つまたは複数を用いて決定される。一つの実施では、炉心部１００４の反応度は、ルックアップテーブルを用いてアクチュエータコントローラ１０１４によって決められる。例えば、温度、圧力、出力レベルなどの測定値を一つまたは複数のルックアップテーブルとともに用いて炉心部１００４の反応度を決定してよい。別の実施では、炉心部１００４の反応度は、一つまたは複数のモデルを用いてアクチュエータコントローラ１０１４によって決められる。例えば、一つまたは複数のモデルとして、アクチュエータコントローラ１０１４の一つまたは複数のプロセッサによって実行されるニュートロニクスモデリングソフトウェアパッケージが挙げられるが、これに限定されるものではない。例えば、適当なニュートロニクスソフトウェアパッケージとして、ＭＣＮＰ、ＣＩＮＤＥＲ、ＲＥＢＵＳなどが挙げられるが、これらに限定されるものではない。別の実施では、反応度パラメータは、オペレータによって決められ、オペレータインタフェースを介してアクチュエータコントローラ１０１４に直接入力されてよい。
【手続補正９】
【補正対象書類名】明細書
【補正対象項目名】０１２４
【補正方法】変更
【補正の内容】
【０１２４】
一つの実施では、アクチュエーションコントローラ１０１４は、一つまたは複数のプロセシングユニットとメモリを備える。一つの実施では、メモリは、体積押しのけアセンブリ１００２の一つまたは複数の動作ステップを実行するよう構成された一組または複数組のプログラム命令を保存している。一つの実施では、アクチュエーションコントローラ１０１４の一つまたは複数のプログラム命令により、アクチュエータコントローラ１０１４が、アクチュエータ１０１２に命じて、体積押しのけアセンブリ１００２を駆動して炉心部１００４に入れさせ、炉心部１００４内の選択された体積の溶融燃料塩１００６を押しのけてよい。
【手続補正１０】
【補正対象書類名】明細書
【補正対象項目名】０１２７
【補正方法】変更
【補正の内容】
【０１２７】
図１２は、体積押しのけ素子アセンブリ１２０２と、溶融燃料塩溢出システム１２３０とを備え、体積押しのけ素子１２１０が溶融燃料塩の中に沈んでいる状態にある、溶融塩原子炉１２００を示す。図１２に示す溶融燃料塩溢出システム１２３０は、体積押しのけ素子アセンブリ１２０２と体積押しのけ素子１２１０との相互関係で示されているが、これは溶融燃料塩溢出システム１２３０の要件ではない。この点に関して、本開示の溶融燃料塩溢出システム１２３０は、体積押しのけアセンブリ１２０２と体積押しのけ素子１０１０とを含まない環境で実施してよい。一つの実施では、溶融燃料塩１２０６の熱膨張を補うために、溶融燃料塩溢出システム１２３０を実施してよい。非限定的な例として、燃料塩取り込み口１２３２が通常の塩の水平面の上方１０ｃｍに位置している場合、溶融燃料塩１２０６の温度がわずか５０℃上がるだけで、溶融燃料塩１２０６は燃料塩取り込み口１２３２に達しうる。他の非限定的な例として、溶融燃料塩１２０６の温度が約２００℃上がると、溶融燃料塩１２０６は燃料塩取り込み口１２３２を通って溢出し、１から５ｍ３の燃料塩が一つまたは複数の溢出貯蔵部１２３４に溢出しうる。溢出した燃料塩１２３６を、一つまたは複数の溢出貯蔵部１２３４の中に示す。
【手続補正１１】
【補正対象書類名】明細書
【補正対象項目名】０１３０
【補正方法】変更
【補正の内容】
【０１３０】
さらに、以下のことが考えられる。ヒートシンクまたはタービントリップが消失した場合、溶融塩原子炉１２００全体の温度が上昇する。溶融燃料塩１２０６の温度が上昇した結果、溶融燃料塩１２０６の密度が下がり、溶融燃料塩１２０６の反応度が下がる。密度の低下により流体水平面が上昇し、いくつかの例（例えば、＋５０℃の温度上昇）では、溶融燃料塩１２０６の流体水平面は燃料塩取り込み口１２３２の水平面に達する。そのような流体水平面の上昇により、続いて、いくらかの量の溶融燃料塩１２０６が一つまたは複数の溢出貯蔵部１２３４へと溢出しうる。これが、炉心部１２０４内での反応度をさらに低下させる役割を果たす。その結果、溶融塩原子炉１２００は半臨界状態となり、冷却してもその状態を維持しうる。別の実施では、溶融燃料塩溢出システム１２３０は、戻り経路（例えば、一本または複数本のパイプ、一つまたは複数のポンプ、一つまたは複数の弁）を有してよい。戻り経路において、一つまたは複数の溢出貯蔵部１２３４に保存された燃料塩は当該一つまたは複数の溢出貯蔵部１２３４から積極的に排出され、炉心部１２０４に戻って、臨界状態を再び達成する。
【手続補正１２】
【補正対象書類名】明細書
【補正対象項目名】０１８７
【補正方法】変更
【補正の内容】
【０１８７】
上述の任意の原子炉のうち別の例示的な高速スペクトル溶融塩原子炉では、上記溶融塩化物核燃料に暴露されている上記少なくとも一つの面は、上記炉心部の内面を含む。
【手続補正１３】
【補正対象書類名】明細書
【補正対象項目名】０３３５
【補正方法】変更
【補正の内容】
【０３３５】
上述の任意の方法のうち別の例示的方法では、選択された体積の上記溶融塩核燃料を選択された体積の供給物質と交換する工程を、選択された体積の上記溶融塩核燃料を、上記溶融塩核燃料の上記選択された体積と体積が等しい、選択された体積の供給物質と交換することによって行う。
【手続補正１４】
【補正対象書類名】明細書
【補正対象項目名】０３５６
【補正方法】変更
【補正の内容】
【０３５６】
上述の任意のシステムのうち別の例示的システムでは、上記ある量の溶融塩核燃料は、上記少なくとも一つの第一世代溶融塩原子炉で濃縮された少なくともいくらかの核分裂性物質を含んでおり、それによって、上記少なくとも一つの第二世代溶融塩原子炉のある量の溶融塩核燃料の濃縮なしに、上記少なくとも一つの第二世代溶融塩原子炉で臨界に達する。
【手続補正１５】
【補正対象書類名】明細書
【補正対象項目名】０３７４
【補正方法】変更
【補正の内容】
【０３７４】
上述の任意の方法のうち別の例示的な方法では、少なくとも一つの第一世代溶融塩原子炉の溶融塩核燃料の少なくとも一部を濃縮する工程は、上記少なくとも一つの第二世代溶融塩原子炉の臨界に達するように、少なくとも一つの第一世代溶融塩原子炉の溶融塩核燃料の少なくとも一部を濃縮することによって行う。
【手続補正１６】
【補正対象書類名】明細書
【補正対象項目名】０３７５
【補正方法】変更
【補正の内容】
【０３７５】
上述の任意の方法のうち別の例示的な方法では、上記少なくとも一つの第二世代溶融塩原子炉の臨界に達するように、少なくとも一つの第一世代溶融塩原子炉の溶融塩核燃料の少なくとも一部を濃縮する工程は、上記少なくとも一つの第二世代溶融塩原子炉の上記ある量の溶融塩核燃料を濃縮することなしに、上記少なくとも一つの第二世代溶融塩原子炉の臨界に達するように、少なくとも一つの第一世代溶融塩原子炉の溶融塩核燃料の少なくとも一部を濃縮することによって行う。
【手続補正１７】
【補正対象書類名】明細書
【補正対象項目名】０３７８
【補正方法】変更
【補正の内容】
【０３７８】
上述の任意の方法のうち別の例示的な方法では、上記除去されたある量の溶融塩核燃料の少なくとも一部を、上記少なくとも一つの第一世代溶融塩原子炉から少なくとも一つの第二世代溶融塩原子炉へと供給する工程は、上記除去されたある量の溶融塩核燃料の一部を、上記少なくとも一つの第一世代高速スペクトル溶融塩核燃料から少なくとも一つの第二世代溶融塩原子炉へと供給し、上記除去されたある量の溶融塩核燃料の少なくとも一つの別の部分を、上記少なくとも一つの第一世代高速スペクトル溶融塩核燃料から少なくとも一つの別の第二世代溶融塩原子炉へと供給することによって行う。
【国際調査報告】
2018506047.tif 000025
2018506047.tif 000026
2018506047.tif 000027